(57)【特許請求の範囲】
【請求項１】
変調およびコーディング方式(Modulation and Coding Scheme, MCS)を決定するための方法であって、前記方法はネットワークデバイスによって実行され、前記方法が、
前記ネットワークデバイスからダウンリンクデータを伝送するために第1の時間期間の中で第1の時間周波数リソースを再使用する端末デバイスの数量Kを決定するステップであって、K≧2である、ステップと、
チャネル品質インジケータCQIを取得するステップであって、前記CQIが、チャネルの信号対干渉雑音比(signal to interference plus noise ratio, SINR)および前記端末デバイスの前記数量Kに従って決定され、前記チャネルが、前記第1の時間周波数リソースに基づくチャネルであり、前記チャネルが、第1の端末デバイスと前記ネットワークデバイスとの間のダウンリンクデータを前記第1の時間期間の中で伝送するために使用される、ステップと、
前記第1の端末デバイスのMCSを前記CQIに従って決定するステップと
を備え、
CQIを取得する前記ステップが、
前記第1の端末デバイスによって送られた第3のインジケータ情報を受信するステップであって、前記第3のインジケータ情報が、前記第1の端末デバイスによってフィードバックされるCQIを示すために使用され、前記第1の端末デバイスによってフィードバックされる前記CQIが、前記チャネルの前記SINRに従って前記第1の端末デバイスによって決定される、ステップと、
前記CQIを決定するために、前記第1の端末デバイスによってフィードバックされた前記CQIを前記端末デバイスの前記数量Kに従って処理するステップとを備える方法。
【請求項２】
前記CQIが、前記チャネルの前記SINR、前記端末デバイスの前記数量K、および第1の復号反復回数に従って決定され、前記第1の復号反復回数が、前記第1の端末デバイスが前記ダウンリンクデータに対する復号処理を実行するときに実行された復号反復の回数である、請求項1に記載の方法。
【請求項３】
前記CQIが、前記チャネルの前記SINR、前記端末デバイスの前記数量K、第1の肯定応答メッセージの数量、および第1の否定応答メッセージの数量に従って決定され、前記第1の肯定応答メッセージが、前記ダウンリンクデータのためのハイブリッド自動再送要求HARQプロセスの中で前記第1の端末デバイスによって前記ネットワークデバイスへ送られた肯定応答メッセージであり、前記第1の否定応答メッセージが、前記HARQプロセスの中で前記第1の端末デバイスによって前記ネットワークデバイスへ送られた否定応答メッセージである、請求項1に記載の方法。
【請求項４】
前記CQIが、前記チャネルの前記SINR、前記端末デバイスの前記数量K、第1の復号反復回数、第1の肯定応答メッセージの数量、および第1の否定応答メッセージの数量に従って決定され、前記第1の復号反復回数が、前記第1の端末デバイスが前記ダウンリンクデータに対する復号処理を実行するときに実行された復号反復の回数であり、前記第1の肯定応答メッセージが、前記ダウンリンクデータのためのハイブリッド自動再送要求HARQプロセスの中で前記第1の端末デバイスによって前記ネットワークデバイスへ送られた肯定応答メッセージであり、前記第1の否定応答メッセージが、前記HARQプロセスの中で前記第1の端末デバイスによって前記ネットワークデバイスへ送られた否定応答メッセージである、請求項1に記載の方法。
【請求項５】
CQIを取得する前記ステップが、
第1のインジケータ情報を前記第1の端末デバイスへ送るステップであって、前記第1のインジケータ情報が、前記端末デバイスの前記数量Kを示すために使用される、ステップと、
前記第1の端末デバイスによって送られた第2のインジケータ情報を受信するステップであって、前記第2のインジケータ情報が、前記CQIを示すために使用され、前記CQIが、前記チャネルの前記SINRおよび前記端末デバイスの前記数量Kに従って、前記第1の端末デバイスによって決定される、ステップとを備える、
請求項1に記載の方法。
【請求項６】
CQIを取得する前記ステップが、
第1のインジケータ情報を前記第1の端末デバイスへ送るステップであって、前記第1のインジケータ情報が、前記端末デバイスの前記数量Kを示すために使用される、ステップと、
前記第1の端末デバイスによって送られた第2のインジケータ情報を受信するステップであって、前記第2のインジケータ情報が、前記CQIを示すために使用され、前記CQIが、前記チャネルの前記SINR、前記端末デバイスの前記数量K、および第1の復号反復回数に従って、前記第1の端末デバイスによって決定され、前記第1の復号反復回数が、前記第1の端末デバイスが前記ダウンリンクデータに対する復号処理を実行するときに実行された復号反復の回数である、ステップとを備える、
請求項1に記載の方法。
【請求項７】
CQIを取得する前記ステップが、
第1のインジケータ情報を前記第1の端末デバイスへ送るステップであって、前記第1のインジケータ情報が、前記端末デバイスの前記数量Kを示すために使用される、ステップと、
前記第1の端末デバイスによって送られた第2のインジケータ情報を受信するステップであって、前記第2のインジケータ情報が、前記CQIを示すために使用され、前記CQIが、前記チャネルの前記SINR、前記端末デバイスの前記数量K、第1の肯定応答メッセージの数量、および第1の否定応答メッセージの数量に従って、前記第1の端末デバイスによって決定され、前記第1の肯定応答メッセージが、前記ダウンリンクデータのためのハイブリッド自動再送要求HARQプロセスの中で前記第1の端末デバイスによって前記ネットワークデバイスへ送られた肯定応答メッセージであり、前記第1の否定応答メッセージが、前記HARQプロセスの中で前記第1の端末デバイスによって前記ネットワークデバイスへ送られた否定応答メッセージである、ステップとを備える、
請求項1に記載の方法。
【請求項８】
CQIを取得する前記ステップが、
第1のインジケータ情報を前記第1の端末デバイスへ送るステップであって、前記第1のインジケータ情報が、前記端末デバイスの前記数量Kを示すために使用される、ステップと、
前記第1の端末デバイスによって送られた第2のインジケータ情報を受信するステップであって、前記第2のインジケータ情報が、前記CQIを示すために使用され、前記CQIが、前記チャネルの前記SINR、前記端末デバイスの前記数量K、第1の復号反復回数、第1の肯定応答メッセージの数量、および第1の否定応答メッセージの数量に従って、前記第1の端末デバイスによって決定され、前記第1の復号反復回数が、前記第1の端末デバイスが前記ダウンリンクデータに対する復号処理を実行するときに実行された復号反復の回数であり、前記第1の肯定応答メッセージが、前記ダウンリンクデータのためのハイブリッド自動再送要求HARQプロセスの中で前記第1の端末デバイスによって前記ネットワークデバイスへ送られた肯定応答メッセージであり、前記第1の否定応答メッセージが、前記HARQプロセスの中で前記第1の端末デバイスによって前記ネットワークデバイスへ送られた否定応答メッセージである、ステップとを備える、
請求項1に記載の方法。
【請求項９】
前記方法が、
前記第1の端末デバイスによって送られた第4のインジケータ情報を受信するステップをさらに備え、前記第4のインジケータ情報が、第1の復号反復回数を示すために使用され、前記第1の復号反復回数が、前記第1の端末デバイスが前記ダウンリンクデータに対する復号処理を実行するときに実行された復号反復の回数であり、
前記第1の端末デバイスによってフィードバックされた前記CQIを前記端末デバイスの前記数量Kに従って処理する前記ステップが、
前記第1の端末デバイスによってフィードバックされた前記CQIを、前記端末デバイスの前記数量Kおよび前記第1の復号反復回数に従って処理するステップを備える、
請求項1に記載の方法。
【請求項１０】
前記方法が、
第1の肯定応答メッセージの数量および第1の否定応答メッセージの数量を決定するステップをさらに備え、前記第1の肯定応答メッセージが、前記ダウンリンクデータのためのHARQプロセスの中で前記第1の端末デバイスによって前記ネットワークデバイスへ送られた肯定応答メッセージであり、前記第1の否定応答メッセージが、前記HARQプロセスの中で前記第1の端末デバイスによって前記ネットワークデバイスへ送られた否定応答メッセージであり、
前記第1の端末デバイスによってフィードバックされた前記CQIを前記端末デバイスの前記数量Kに従って処理する前記ステップが、
前記第1の端末デバイスによってフィードバックされた前記CQIを、前記端末デバイスの前記数量K、前記第1の肯定応答メッセージの前記数量、および前記第1の否定応答メッセージの前記数量に従って処理するステップを備える、
請求項1に記載の方法。
【請求項１１】
前記方法が、
前記第1の端末デバイスによって送られた第4のインジケータ情報を受信するステップであって、前記第4のインジケータ情報が、第1の復号反復回数を示すために使用され、前記第1の復号反復回数が、前記第1の端末デバイスが前記ダウンリンクデータに対する復号処理を実行するときに実行された復号反復の回数である、ステップと、
第1の肯定応答メッセージの数量および第1の否定応答メッセージの数量を決定するステップであって、前記第1の肯定応答メッセージが、前記ダウンリンクデータのためのHARQプロセスの中で前記第1の端末デバイスによって前記ネットワークデバイスへ送られた肯定応答メッセージであり、前記第1の否定応答メッセージが、前記HARQプロセスの中で前記第1の端末デバイスによって前記ネットワークデバイスへ送られた否定応答メッセージである、ステップとをさらに備え、
前記第1の端末デバイスによってフィードバックされた前記CQIを前記端末デバイスの前記数量Kに従って処理する前記ステップが、
前記第1の端末デバイスによってフィードバックされた前記CQIを、前記端末デバイスの前記数量K、前記第1の復号反復回数、前記第1の肯定応答メッセージの前記数量、および前記第1の否定応答メッセージの前記数量に従って処理するステップを備える、
請求項1に記載の方法。
【請求項１２】
前記方法が、スパースコード多元接続通信システムに適用され、前記第1の時間周波数リソースが、少なくとも2つのリソース要素REを備える時間周波数リソースブロックである、請求項1から11のいずれか一項に記載の方法。
【請求項１３】
変調およびコーディング方式(Modulation and Coding Scheme, MCS)を決定するための装置であって、前記装置が、
前記装置とのダウンリンクデータ伝送を実行するために第1の時間期間の中で第1の時間周波数リソースを再使用する端末デバイスの数量Kを決定するように構成された数量決定ユニットであって、K≧2である、数量決定ユニットと、
チャネル品質インジケータCQIを取得するように構成されたCQI決定ユニットであって、前記CQIが、チャネルの信号対干渉雑音比SINRおよび前記端末デバイスの前記数量Kに従って決定され、前記チャネルが、前記第1の時間周波数リソースに基づくチャネルであり、前記チャネルが、第1の端末デバイスと前記装置との間のダウンリンクデータを前記第1の時間期間の中で伝送するために使用される、CQI決定ユニットと、
前記第1の端末デバイスのMCSを前記CQIに従って決定するように構成されたMCS決定ユニットと
を備え、
前記装置が、
前記第1の端末デバイスによって送られた第3のインジケータ情報を受信するように構成された受信ユニットをさらに備え、前記第3のインジケータ情報が、前記第1の端末デバイスによってフィードバックされるCQIを示すために使用され、前記第1の端末デバイスによってフィードバックされる前記CQIが、前記チャネルの前記SINRに従って前記第1の端末デバイスによって決定され、
前記CQI決定ユニットが、前記CQIを決定するために、前記第1の端末デバイスによってフィードバックされた前記CQIを前記端末デバイスの前記数量Kに従って処理するように特に構成される装置。
【請求項１４】
前記CQIが、前記チャネルの前記SINR、前記端末デバイスの前記数量K、および第1の復号反復回数に従って決定され、前記第1の復号反復回数が、前記第1の端末デバイスが前記ダウンリンクデータに対する復号処理を実行するときに実行された復号反復の回数である、請求項13に記載の装置。
【請求項１５】
前記CQIが、前記チャネルの前記SINR、前記端末デバイスの前記数量K、第1の肯定応答メッセージの数量、および第1の否定応答メッセージの数量に従って決定され、前記第1の肯定応答メッセージが、前記ダウンリンクデータのためのハイブリッド自動再送要求HARQプロセスの中で前記第1の端末デバイスによって前記装置へ送られた肯定応答メッセージであり、前記第1の否定応答メッセージが、前記HARQプロセスの中で前記第1の端末デバイスによって前記装置へ送られた否定応答メッセージである、請求項13に記載の装置。
【請求項１６】
前記CQIが、前記チャネルの前記SINR、前記端末デバイスの前記数量K、第1の復号反復回数、第1の肯定応答メッセージの数量、および第1の否定応答メッセージの数量に従って決定され、前記第1の復号反復回数が、前記第1の端末デバイスが前記ダウンリンクデータに対する復号処理を実行するときに実行された復号反復の回数であり、前記第1の肯定応答メッセージが、前記ダウンリンクデータのためのハイブリッド自動再送要求HARQプロセスの中で前記第1の端末デバイスによって前記装置へ送られた肯定応答メッセージであり、前記第1の否定応答メッセージが、前記HARQプロセスの中で前記第1の端末デバイスによって前記装置へ送られた否定応答メッセージである、請求項13に記載の装置。
【請求項１７】
前記装置が、
第1のインジケータ情報を前記第1の端末デバイスへ送るように構成された送信ユニットであって、前記第1のインジケータ情報が、前記端末デバイスの前記数量Kを示すために使用される、送信ユニットと、
前記第1の端末デバイスによって送られた第2のインジケータ情報を受信するように構成された受信ユニットであって、前記第2のインジケータ情報が、前記CQIを示すために使用され、前記CQIが、前記チャネルの前記SINRおよび前記端末デバイスの前記数量Kに従って、前記第1の端末デバイスによって決定される、受信ユニットとをさらに備え、
前記CQI決定ユニットが、前記第2のインジケータ情報に従って前記CQIを決定するように特に構成される、
請求項13に記載の装置。
【請求項１８】
前記装置が、
第1のインジケータ情報を前記第1の端末デバイスへ送るように構成された送信ユニットであって、前記第1のインジケータ情報が、前記端末デバイスの前記数量Kを示すために使用される、送信ユニットと、
前記第1の端末デバイスによって送られた第2のインジケータ情報を受信するように構成された受信ユニットであって、前記第2のインジケータ情報が、前記CQIを示すために使用され、前記CQIが、前記チャネルの前記SINR、前記端末デバイスの前記数量K、および第1の復号反復回数に従って、前記第1の端末デバイスによって決定され、前記第1の復号反復回数が、前記第1の端末デバイスが前記ダウンリンクデータに対する復号処理を実行するときに実行された復号反復の回数である、受信ユニットとをさらに備え、
前記CQI決定ユニットが、前記第2のインジケータ情報に従って前記CQIを決定するように特に構成される、
請求項13に記載の装置。
【請求項１９】
前記装置が、
第1のインジケータ情報を前記第1の端末デバイスへ送るように構成された送信ユニットであって、前記第1のインジケータ情報が、前記端末デバイスの前記数量Kを示すために使用される、送信ユニットと、
前記第1の端末デバイスによって送られた第2のインジケータ情報を受信するように構成された受信ユニットであって、前記第2のインジケータ情報が、前記CQIを示すために使用され、前記CQIが、前記チャネルの前記SINR、前記端末デバイスの前記数量K、第1の肯定応答メッセージの数量、および第1の否定応答メッセージの数量に従って、前記第1の端末デバイスによって決定され、前記第1の肯定応答メッセージが、前記ダウンリンクデータのためのハイブリッド自動再送要求HARQプロセスの中で前記第1の端末デバイスによって前記装置へ送られた肯定応答メッセージであり、前記第1の否定応答メッセージが、前記HARQプロセスの中で前記第1の端末デバイスによって前記装置へ送られた否定応答メッセージである、受信ユニットとをさらに備え、
前記CQI決定ユニットが、前記第2のインジケータ情報に従って前記CQIを決定するように特に構成される、
請求項13に記載の装置。
【請求項２０】
前記装置が、
第1のインジケータ情報を前記第1の端末デバイスへ送るように構成された送信ユニットであって、前記第1のインジケータ情報が、前記端末デバイスの前記数量Kを示すために使用される、送信ユニットと、
前記第1の端末デバイスによって送られた第2のインジケータ情報を受信するように構成された受信ユニットであって、前記第2のインジケータ情報が、前記CQIを示すために使用され、前記CQIが、前記チャネルの前記SINR、前記端末デバイスの前記数量K、第1の復号反復回数、第1の肯定応答メッセージの数量、および第1の否定応答メッセージの数量に従って、前記第1の端末デバイスによって決定され、前記第1の復号反復回数が、前記第1の端末デバイスが前記ダウンリンクデータに対する復号処理を実行するときに実行された復号反復の回数であり、前記第1の肯定応答メッセージが、前記ダウンリンクデータのためのハイブリッド自動再送要求HARQプロセスの中で前記第1の端末デバイスによって前記装置へ送られた肯定応答メッセージであり、前記第1の否定応答メッセージが、前記HARQプロセスの中で前記第1の端末デバイスによって前記装置へ送られた否定応答メッセージである、受信ユニットとをさらに備え、
前記CQI決定ユニットが、前記第2のインジケータ情報に従って前記CQIを決定するように特に構成される、
請求項13に記載の装置。
【請求項２１】
前記受信ユニットが、前記第1の端末デバイスによって送られた第4のインジケータ情報を受信するようにさらに構成され、前記第4のインジケータ情報が、第1の復号反復回数を示すために使用され、前記第1の復号反復回数が、前記第1の端末デバイスが前記ダウンリンクデータに対する復号処理を実行するときに実行された復号反復の回数であり、
前記CQI決定ユニットが、前記第1の端末デバイスによってフィードバックされた前記CQIを、前記端末デバイスの前記数量Kおよび前記第1の復号反復回数に従って処理するように特に構成される、
請求項13に記載の装置。
【請求項２２】
前記CQI決定ユニットは、第1の肯定応答メッセージの数量および第1の否定応答メッセージの数量を決定することであって、前記第1の肯定応答メッセージが、前記ダウンリンクデータのためのHARQプロセスの中で前記第1の端末デバイスによって前記装置へ送られた肯定応答メッセージであり、前記第1の否定応答メッセージが、前記HARQプロセスの中で前記第1の端末デバイスによって前記装置へ送られた否定応答メッセージであることを行うようにさらに構成され、前記第1の端末デバイスによってフィードバックされた前記CQIを、前記端末デバイスの前記数量K、前記第1の肯定応答メッセージの前記数量、および前記第1の否定応答メッセージの前記数量に従って処理するように構成される、請求項13に記載の装置。
【請求項２３】
前記受信ユニットが、前記第1の端末デバイスによって送られた第4のインジケータ情報を受信するようにさらに構成され、前記第4のインジケータ情報が、第1の復号反復回数を示すために使用され、前記第1の復号反復回数が、前記第1の端末デバイスが前記ダウンリンクデータに対する復号処理を実行するときに実行された復号反復の回数であり、
前記CQI決定ユニットは、第1の肯定応答メッセージの数量および第1の否定応答メッセージの数量を決定することであって、前記第1の肯定応答メッセージが、前記ダウンリンクデータのためのHARQプロセスの中で前記第1の端末デバイスによって前記装置へ送られた肯定応答メッセージであり、前記第1の否定応答メッセージが、前記HARQプロセスの中で前記第1の端末デバイスによって前記装置へ送られた否定応答メッセージであることを行うようにさらに構成され、前記第1の端末デバイスによってフィードバックされた前記CQIを、前記端末デバイスの前記数量K、前記第1の復号反復回数、前記第1の肯定応答メッセージの前記数量、および前記第1の否定応答メッセージの前記数量に従って処理するように構成される、請求項13に記載の装置。
【発明の詳細な説明】
【技術分野】
【０００１】
本発明は、通信分野に関し、詳細には、変調およびコーディング順位を決定するための方法、装置、およびデバイスに関する。
【背景技術】
【０００２】
現在知られている適応的な変調およびコーディング(AMC、Adaptive Modulation and Coding)技術によれば、ダウンリンクにおいて、端末デバイスは、現在のダウンリンクのチャネル品質インジケータ(CQI、channel quality indicator)値を計算することができ、ネットワークデバイスへCQI値を伝送することができ、その結果、ネットワークデバイスは、端末デバイスによってフィードバックされたCQI値に従ってユーザのダウンリンク変調およびコーディング方式(MCS、Modulation and Coding Scheme)を調整して、ダウンリンク適合を完了する。
【０００３】
しかしながら、技術開発とともに、たとえば、スパースコード多元接続(SCMA、Sparse Code Multiple Access)技術または直交周波数分割多重(OFDM、Orthogonal Frequency Division Multiplexing)技術において、複数の端末デバイスがデータ伝送を実行するために同じ時間周波数リソースを再使用することが、すでに可能にされている。
【０００４】
この場合、AMC技術に従って取得されるCQI値は、複数の端末デバイスによって再使用される時間周波数リソースでの全体的な干渉のみを反映することができるが、時間周波数リソースを再使用する複数の端末デバイスにおける各端末デバイスでの特有の干渉を反映することはできない。したがって、もはやAMC技術は、データ伝送を実行するために同じ時間周波数リソースを再使用する端末デバイス用の変調およびコーディング方式の調整に適用可能でない。
【発明の概要】
【課題を解決するための手段】
【０００５】
本発明の実施形態は、データ伝送を実行するために同じ時間周波数リソースを再使用する端末デバイスのための変調およびコーディング方式の調整に適用可能な、変調およびコーディング順位を決定するための方法、装置、およびデバイスを提供する。
【０００６】
第1の態様によれば、変調およびコーディング方式を決定するための方法が提供され、ここで、方法はネットワークデバイスによって実行され、方法は、ネットワークデバイスからダウンリンクデータを受信するために第1の時間期間の中で第1の時間周波数リソースを再使用する端末デバイスの数量Kを決定することであって、ここで、K≧2であることと、チャネル品質インジケータCQIを取得することであって、ここで、CQIが、チャネルの信号対干渉雑音比SINRおよび端末デバイスの数量Kに従って決定され、ここで、チャネルが、第1の時間周波数リソースに基づくチャネルであり、チャネルが、第1の端末デバイスとネットワークデバイスとの間のダウンリンクデータを第1の時間期間の中で伝送するために使用されることと、第1の端末デバイスの変調およびコーディング方式MCSをCQIに従って決定することとを含む。
【０００７】
第1の態様に関して、第1の態様の第1の実装様式では、CQIは、チャネルのSINR、端末デバイスの数量K、および第1の復号反復回数に従って決定され、ここで、第1の復号反復回数は、第1の端末デバイスがダウンリンクデータに対する復号処理を実行するときに実行された復号反復の回数である。
【０００８】
第1の態様および第1の態様の上記の実装様式に関して、第1の態様の第2の実装様式では、CQIは、チャネルのSINR、端末デバイスの数量K、第1の肯定応答メッセージの数量、および第1の否定応答メッセージの数量に従って決定され、ここで、第1の肯定応答メッセージは、ダウンリンクデータのためのハイブリッド自動再送要求HARQプロセスの中で第1の端末デバイスによってネットワークデバイスへ送られた肯定応答メッセージであり、第1の否定応答メッセージは、HARQプロセスの中で第1の端末デバイスによってネットワークデバイスへ送られた否定応答メッセージである。
【０００９】
第1の態様および第1の態様の上記の実装様式に関して、第1の態様の第3の実装様式では、CQIは、チャネルのSINR、端末デバイスの数量K、第1の復号反復回数、第1の肯定応答メッセージの数量、および第1の否定応答メッセージの数量に従って決定され、ここで、第1の復号反復回数は、第1の端末デバイスがダウンリンクデータに対する復号処理を実行するときに実行された復号反復の回数であり、第1の肯定応答メッセージは、ダウンリンクデータのためのハイブリッド自動再送要求HARQプロセスの中で第1の端末デバイスによってネットワークデバイスへ送られた肯定応答メッセージであり、第1の否定応答メッセージは、HARQプロセスの中で第1の端末デバイスによってネットワークデバイスへ送られた否定応答メッセージである。
【００１０】
第1の態様および第1の態様の上記の実装様式に関して、第1の態様の第4の実装様式では、CQIを取得することは、第1のインジケータ情報を第1の端末デバイスへ送ることであって、ここで、第1のインジケータ情報が、端末デバイスの数量Kを示すために使用されることと、第1の端末デバイスによって送られた第2のインジケータ情報を受信することであって、ここで、第2のインジケータ情報が、CQIを示すために使用され、CQIが、チャネルのSINRおよび端末デバイスの数量Kに従って、第1の端末デバイスによって決定されることとを含む。
【００１１】
第1の態様および第1の態様の上記の実装様式に関して、第1の態様の第5の実装様式では、CQIを取得することは、第1のインジケータ情報を第1の端末デバイスへ送ることであって、ここで、第1のインジケータ情報が、端末デバイスの数量Kを示すために使用されることと、第1の端末デバイスによって送られた第2のインジケータ情報を受信することであって、ここで、第2のインジケータ情報が、CQIを示すために使用され、CQIが、チャネルのSINR、端末デバイスの数量K、および第1の復号反復回数に従って、第1の端末デバイスによって決定され、ここで、第1の復号反復回数が、第1の端末デバイスがダウンリンクデータに対する復号処理を実行するときに実行された復号反復の回数であることとを含む。
【００１２】
第1の態様および第1の態様の上記の実装様式に関して、第1の態様の第6の実装様式では、CQIを取得することは、第1のインジケータ情報を第1の端末デバイスへ送ることであって、ここで、第1のインジケータ情報が、端末デバイスの数量Kを示すために使用されることと、第1の端末デバイスによって送られた第2のインジケータ情報を受信することであって、ここで、第2のインジケータ情報が、CQIを示すために使用され、CQIが、チャネルのSINR、端末デバイスの数量K、第1の肯定応答メッセージの数量、および第1の否定応答メッセージの数量に従って、第1の端末デバイスによって決定され、ここで、第1の肯定応答メッセージが、ダウンリンクデータのためのハイブリッド自動再送要求HARQプロセスの中で第1の端末デバイスによってネットワークデバイスへ送られた肯定応答メッセージであり、第1の否定応答メッセージが、HARQプロセスの中で第1の端末デバイスによってネットワークデバイスへ送られた否定応答メッセージであることとを含む。
【００１３】
第1の態様および第1の態様の上記の実装様式に関して、第1の態様の第7の実装様式では、CQIを取得することは、第1のインジケータ情報を第1の端末デバイスへ送ることであって、ここで、第1のインジケータ情報が、端末デバイスの数量Kを示すために使用されることと、第1の端末デバイスによって送られた第2のインジケータ情報を受信することであって、ここで、第2のインジケータ情報が、CQIを示すために使用され、CQIが、チャネルのSINR、端末デバイスの数量K、第1の復号反復回数、第1の肯定応答メッセージの数量、および第1の否定応答メッセージの数量に従って、第1の端末デバイスによって決定され、ここで、第1の復号反復回数が、第1の端末デバイスがダウンリンクデータに対する復号処理を実行するときに実行された復号反復の回数であり、第1の肯定応答メッセージが、ダウンリンクデータのためのハイブリッド自動再送要求HARQプロセスの中で第1の端末デバイスによってネットワークデバイスへ送られた肯定応答メッセージであり、第1の否定応答メッセージが、HARQプロセスの中で第1の端末デバイスによってネットワークデバイスへ送られた否定応答メッセージであることとを含む。
【００１４】
第1の態様および第1の態様の上記の実装様式に関して、第1の態様の第8の実装様式では、CQIを取得することは、第1の端末デバイスによって送られた第3のインジケータ情報を受信することであって、ここで、第3のインジケータ情報が、第1の端末デバイスによってフィードバックされるCQIを示すために使用され、第1の端末デバイスによってフィードバックされるCQIが、チャネルのSINRに従って第1の端末デバイスによって決定されることと、CQIを決定するために、第1の端末デバイスによってフィードバックされたCQIを端末デバイスの数量Kに従って処理することとを含む。
【００１５】
第1の態様および第1の態様の上記の実装様式に関して、第1の態様の第9の実装様式では、方法は、第1の端末デバイスによって送られた第4のインジケータ情報を受信することをさらに含み、ここで、第4のインジケータ情報は、第1の復号反復回数を示すために使用され、ここで、第1の復号反復回数は、第1の端末デバイスがダウンリンクデータに対する復号処理を実行するときに実行された復号反復の回数であり、第1の端末デバイスによってフィードバックされたCQIを端末デバイスの数量Kに従って処理することは、第1の端末デバイスによってフィードバックされたCQIを、端末デバイスの数量Kおよび第1の復号反復回数に従って処理することを含む。
【００１６】
第1の態様および第1の態様の上記の実装様式に関して、第1の態様の第10の実装様式では、方法は、第1の肯定応答メッセージの数量および第1の否定応答メッセージの数量を決定することをさらに含み、ここで、第1の肯定応答メッセージは、ダウンリンクデータのためのHARQプロセスの中で第1の端末デバイスによってネットワークデバイスへ送られた肯定応答メッセージであり、第1の否定応答メッセージは、HARQプロセスの中で第1の端末デバイスによってネットワークデバイスへ送られた否定応答メッセージであり、第1の端末デバイスによってフィードバックされたCQIを端末デバイスの数量Kに従って処理することは、第1の端末デバイスによってフィードバックされたCQIを、端末デバイスの数量K、第1の肯定応答メッセージの数量、および第1の否定応答メッセージの数量に従って処理することを含む。
【００１７】
第1の態様および第1の態様の上記の実装様式に関して、第1の態様の第11の実装様式では、方法は、第1の端末デバイスによって送られた第4のインジケータ情報を受信することであって、ここで、第4のインジケータ情報が、第1の復号反復回数を示すために使用され、ここで、第1の復号反復回数が、第1の端末デバイスがダウンリンクデータに対する復号処理を実行するときに実行された復号反復の回数であることと、第1の肯定応答メッセージの数量および第1の否定応答メッセージの数量を決定することであって、ここで、第1の肯定応答メッセージが、ダウンリンクデータのためのHARQプロセスの中で第1の端末デバイスによってネットワークデバイスへ送られた肯定応答メッセージであり、第1の否定応答メッセージが、HARQプロセスの中で第1の端末デバイスによってネットワークデバイスへ送られた否定応答メッセージであることとをさらに含み、第1の端末デバイスによってフィードバックされたCQIを端末デバイスの数量Kに従って処理することは、第1の端末デバイスによってフィードバックされたCQIを、端末デバイスの数量K、第1の復号反復回数、第1の肯定応答メッセージの数量、および第1の否定応答メッセージの数量に従って処理することを含む。
【００１８】
第1の態様および第1の態様の上記の実装様式に関して、第1の態様の第12の実装様式では、方法は、スパースコード多元接続通信システムに適用され、第1の時間周波数リソースは、少なくとも2つのリソース要素REを含む時間周波数リソースブロックである。
【００１９】
第2の態様によれば、変調およびコーディング方式を決定するための方法が提供され、ここで、方法はネットワークデバイスによって実行され、方法は、ネットワークデバイスからダウンリンクデータを受信するために第1の時間期間の中で第1の時間周波数リソースを再使用する端末デバイスの数量Kを決定することであって、ここで、K≧2であることと、第1の端末デバイスによって送られた第1のインジケータ情報を受信することであって、ここで、第1のインジケータ情報が、チャネル品質インジケータCQIを示すために使用され、CQIが、チャネルのSINRに従って第1の端末デバイスによって決定され、チャネルが、第1の時間周波数リソースに基づくチャネルであり、チャネルが、第1の端末デバイスとネットワークデバイスとの間のダウンリンクデータを第1の時間期間の中で伝送するために使用されることと、端末デバイスの数量Kの値およびCQIの値に対応する変調およびコーディング方式MCSを事前設定マッピング関係情報に従って決定し、第1の端末デバイスのMCSとしてそのMCSを使用することであって、ここで、マッピング関係情報が、N個のパラメータセットとN個のMCSとの間の1対1マッピング関係を示すために使用され、各パラメータセットが、端末デバイス数量値およびCQI値を含み、N≧2であることとを含む。
【００２０】
第2の態様に関して、第2の態様の第1の実装様式では、各パラメータセットは、復号反復回数値をさらに含み、方法は、第1の端末デバイスによって送られた第2のインジケータ情報を受信することをさらに含み、ここで、第2のインジケータ情報は、第1の復号反復回数を示すために使用され、ここで、第1の復号反復回数は、第1の端末デバイスがダウンリンクデータに対する復号処理を実行するときに実行された復号反復の回数であり、端末デバイスの数量Kの値およびCQIの値に対応するMCSを事前設定マッピング関係情報に従って決定することは、端末デバイスの数量Kの値、CQIの値、および第1の復号反復回数値に対応するMCSを、事前設定マッピング関係情報に従って決定することを含む。
【００２１】
第2の態様および第2の態様の上記の実装様式に関して、第2の態様の第2の実装様式では、各パラメータセットは、肯定応答メッセージの数量の値および否定応答メッセージの数量の値をさらに含み、方法は、第1の肯定応答メッセージの数量および第1の否定応答メッセージの数量を決定することをさらに含み、ここで、第1の肯定応答メッセージは、ダウンリンクデータのためのハイブリッド自動再送要求HARQプロセスの中で第1の端末デバイスによってネットワークデバイスへ送られた肯定応答メッセージであり、第1の否定応答メッセージは、HARQプロセスの中で第1の端末デバイスによってネットワークデバイスへ送られた否定応答メッセージであり、調整ポリシー情報は、第1の肯定応答メッセージの数量および第1の否定応答メッセージの数量をさらに含み、端末デバイスの数量Kの値およびCQIの値に対応するMCSを事前設定マッピング関係情報に従って決定することは、端末デバイスの数量Kの値、CQIの値、第1の肯定応答メッセージの数量、および第1の否定応答メッセージの数量に対応するMCSを、事前設定マッピング関係情報に従って決定することを含む。
【００２２】
第2の態様および第2の態様の上記の実装様式に関して、第2の態様の第3の実装様式では、各パラメータセットは、復号反復回数値、肯定応答メッセージの数量の値、および否定応答メッセージの数量の値をさらに含み、方法は、第1の端末デバイスによって送られた第2のインジケータ情報を受信することであって、ここで、第2のインジケータ情報が、第1の復号反復回数を示すために使用され、ここで、第1の復号反復回数が、第1の端末デバイスがダウンリンクデータに対する復号処理を実行するときに実行された復号反復の回数であることと、第1の肯定応答メッセージの数量および第1の否定応答メッセージの数量を決定することであって、ここで、第1の肯定応答メッセージが、ダウンリンクデータのためのHARQプロセスの中で第1の端末デバイスによってネットワークデバイスへ送られた肯定応答メッセージであり、第1の否定応答メッセージが、HARQプロセスの中で第1の端末デバイスによってネットワークデバイスへ送られた否定応答メッセージであり、調整ポリシー情報が、第1の肯定応答メッセージの数量および第1の否定応答メッセージの数量をさらに含むこととをさらに含み、端末デバイスの数量Kの値およびCQIの値に対応するMCSを事前設定マッピング関係情報に従って決定することは、端末デバイスの数量Kの値、CQIの値、第1の復号反復回数値、第1の肯定応答メッセージの数量、および第1の否定応答メッセージの数量に対応するMCSを、事前設定マッピング関係情報に従って決定することを含む。
【００２３】
第2の態様および第2の態様の上記の実装様式に関して、第2の態様の第4の実装様式では、方法は、スパースコード多元接続通信システムに適用され、第1の時間周波数リソースは、少なくとも2つのリソース要素REを含む時間周波数リソースブロックである。
【００２４】
第3の態様によれば、変調およびコーディング方式を決定するための方法が提供され、ここで、方法はK個の端末デバイスの中の第1の端末デバイスによって実行され、方法は、チャネルの信号対干渉雑音比SINRを決定することであって、ここで、チャネルが、第1の時間周波数リソースに基づくチャネルであり、チャネルが、第1の端末デバイスとネットワークデバイスとの間のダウンリンクデータを第1の時間期間の中で伝送するために使用され、K個の端末デバイスが、ネットワークデバイスからダウンリンクデータを受信するために第1の時間期間の中で第1の時間周波数リソースを再使用し、K≧2であることと、ネットワークデバイスによって送られた第1のインジケータ情報を受信することであって、ここで、第1のインジケータ情報が、端末デバイスの数量Kを示すために使用されることと、チャネルの信号対干渉雑音比SINRおよび端末デバイスの数量Kに従って、チャネル品質インジケータCQIを決定することと、ネットワークデバイスが、第1の端末デバイスの変調およびコーディング方式MCSをCQIに従って決定するように、第2のインジケータ情報をネットワークデバイスへ送ることであって、ここで、第2のインジケータ情報が、CQIを示すために使用されることとを含む。
【００２５】
第3の態様に関して、第3の態様の第1の実装様式では、チャネルの信号対干渉雑音比SINRおよび端末デバイスの数量Kに従ってCQIを決定することは、チャネルのSINR、端末デバイスの数量K、および第1の復号反復回数に従ってCQIを決定することを含み、ここで、第1の復号反復回数は、第1の端末デバイスがダウンリンクデータに対する復号処理を実行するときに実行された復号反復の回数である。
【００２６】
第3の態様および第3の態様の上記の実装様式に関して、第3の態様の第2の実装様式では、チャネルの信号対干渉雑音比SINRおよび端末デバイスの数量Kに従ってCQIを決定することは、チャネルのSINR、端末デバイスの数量K、第1の肯定応答メッセージの数量、および第1の否定応答メッセージの数量に従ってCQIを決定することを含み、ここで、第1の肯定応答メッセージは、ダウンリンクデータのためのハイブリッド自動再送要求HARQプロセスの中で第1の端末デバイスによってネットワークデバイスへ送られた肯定応答メッセージであり、第1の否定応答メッセージは、HARQプロセスの中で第1の端末デバイスによってネットワークデバイスへ送られた否定応答メッセージである。
【００２７】
第3の態様および第3の態様の上記の実装様式に関して、第3の態様の第3の実装様式では、チャネルの信号対干渉雑音比SINRおよび端末デバイスの数量Kに従ってCQIを決定することは、チャネルのSINR、端末デバイスの数量K、第1の復号反復回数、第1の肯定応答メッセージの数量、および第1の否定応答メッセージの数量に従ってCQIを決定することを含み、ここで、第1の復号反復回数は、第1の端末デバイスがダウンリンクデータに対する復号処理を実行するときに実行された復号反復の回数であり、第1の肯定応答メッセージは、ダウンリンクデータのためのハイブリッド自動再送要求HARQプロセスの中で第1の端末デバイスによってネットワークデバイスへ送られた肯定応答メッセージであり、第1の否定応答メッセージは、HARQプロセスの中で第1の端末デバイスによってネットワークデバイスへ送られた否定応答メッセージである。
【００２８】
第3の態様および第3の態様の上記の実装様式に関して、第3の態様の第4の実装様式では、方法は、スパースコード多元接続通信システムに適用され、第1の時間周波数リソースは、少なくとも2つのリソース要素REを含む時間周波数リソースブロックである。
【００２９】
第4の態様によれば、変調およびコーディング方式を決定するための方法が提供され、ここで、方法はK個の端末デバイスの中の第1の端末デバイスによって実行され、方法は、チャネルの信号対干渉雑音比SINRを決定することであって、ここで、チャネルが、第1の時間周波数リソースに基づくチャネルであり、チャネルが、第1の端末デバイスとネットワークデバイスとの間のダウンリンクデータを第1の時間期間の中で伝送するために使用され、K個の端末デバイスが、ネットワークデバイスからダウンリンクデータを受信するために第1の時間期間の中で第1の時間周波数リソースを再使用し、K≧2であることと、チャネルのSINRに従ってチャネル品質インジケータCQIを決定することと、ネットワークデバイスが、第1の端末デバイスの変調およびコーディング方式MCSを端末デバイスの数量Kおよび第1の復号反復回数に従って決定するように、第1のインジケータ情報および第2のインジケータ情報をネットワークデバイスへ送ることであって、ここで、第1のインジケータ情報が、CQIを示すために使用され、第2のインジケータ情報が、第1の復号反復回数を示すために使用され、ここで、第1の復号反復回数が、第1の端末デバイスがダウンリンクデータに対する復号処理を実行するときに実行された復号反復の回数であることとを含む。
【００３０】
第4の態様に関して、第4の態様の第1の実装様式では、方法は、スパースコード多元接続通信システムに適用され、第1の時間周波数リソースは、少なくとも2つのリソース要素REを含む時間周波数リソースブロックである。
【００３１】
第5の態様によれば、変調およびコーディング方式を決定するための装置が提供され、ここで、装置は、装置とのダウンリンクデータ伝送を実行するために第1の時間期間の中で第1の時間周波数リソースを再使用する端末デバイスの数量Kを決定するように構成された数量決定ユニットであって、ここで、K≧2である、数量決定ユニットと、チャネル品質インジケータCQIを取得するように構成されたCQI決定ユニットであって、ここで、CQIが、チャネルの信号対干渉雑音比SINRおよび端末デバイスの数量Kに従って決定され、ここで、チャネルが、第1の時間周波数リソースに基づくチャネルであり、チャネルが、第1の端末デバイスと装置との間のダウンリンクデータを第1の時間期間の中で伝送するために使用される、CQI決定ユニットと、第1の端末デバイスの変調およびコーディング方式MCSをCQIに従って決定するように構成されたMCS決定ユニットとを含む。
【００３２】
第5の態様に関して、第5の態様の第1の実装様式では、CQIは、チャネルのSINR、端末デバイスの数量K、および第1の復号反復回数に従って決定され、ここで、第1の復号反復回数は、第1の端末デバイスがダウンリンクデータに対する復号処理を実行するときに実行された復号反復の回数である。
【００３３】
第5の態様および第5の態様の上記の実装様式に関して、第5の態様の第2の実装様式では、CQIは、チャネルのSINR、端末デバイスの数量K、第1の肯定応答メッセージの数量、および第1の否定応答メッセージの数量に従って決定され、ここで、第1の肯定応答メッセージは、ダウンリンクデータのためのハイブリッド自動再送要求HARQプロセスの中で第1の端末デバイスによって装置へ送られた肯定応答メッセージであり、第1の否定応答メッセージは、HARQプロセスの中で第1の端末デバイスによって装置へ送られた否定応答メッセージである。
【００３４】
第5の態様および第5の態様の上記の実装様式に関して、第5の態様の第3の実装様式では、CQIは、チャネルのSINR、端末デバイスの数量K、第1の復号反復回数、第1の肯定応答メッセージの数量、および第1の否定応答メッセージの数量に従って決定され、ここで、第1の復号反復回数は、第1の端末デバイスがダウンリンクデータに対する復号処理を実行するときに実行された復号反復の回数であり、第1の肯定応答メッセージは、ダウンリンクデータのためのハイブリッド自動再送要求HARQプロセスの中で第1の端末デバイスによって装置へ送られた肯定応答メッセージであり、第1の否定応答メッセージは、HARQプロセスの中で第1の端末デバイスによって装置へ送られた否定応答メッセージである。
【００３５】
第5の態様および第5の態様の上記の実装様式に関して、第5の態様の第4の実装様式では、装置は、第1のインジケータ情報を第1の端末デバイスへ送るように構成された送信ユニットであって、ここで、第1のインジケータ情報が、端末デバイスの数量Kを示すために使用される、送信ユニットと、第1の端末デバイスによって送られた第2のインジケータ情報を受信するように構成された受信ユニットであって、ここで、第2のインジケータ情報が、CQIを示すために使用され、CQIが、チャネルのSINRおよび端末デバイスの数量Kに従って、第1の端末デバイスによって決定される、受信ユニットとをさらに含み、ここで、CQI決定ユニットは、第2のインジケータ情報に従ってCQIを決定するように特に構成される。
【００３６】
第5の態様および第5の態様の上記の実装様式に関して、第5の態様の第5の実装様式では、装置は、第1のインジケータ情報を第1の端末デバイスへ送るように構成された送信ユニットであって、ここで、第1のインジケータ情報が、端末デバイスの数量Kを示すために使用される、送信ユニットと、第1の端末デバイスによって送られた第2のインジケータ情報を受信するように構成された受信ユニットであって、ここで、第2のインジケータ情報が、CQIを示すために使用され、CQIが、チャネルのSINR、端末デバイスの数量K、および第1の復号反復回数に従って、第1の端末デバイスによって決定され、ここで、第1の復号反復回数が、第1の端末デバイスがダウンリンクデータに対する復号処理を実行するときに実行された復号反復の回数である、受信ユニットとをさらに含み、ここで、CQI決定ユニットは、第2のインジケータ情報に従ってCQIを決定するように特に構成される。
【００３７】
第5の態様および第5の態様の上記の実装様式に関して、第5の態様の第6の実装様式では、装置は、第1のインジケータ情報を第1の端末デバイスへ送るように構成された送信ユニットであって、ここで、第1のインジケータ情報が、端末デバイスの数量Kを示すために使用される、送信ユニットと、第1の端末デバイスによって送られた第2のインジケータ情報を受信するように構成された受信ユニットであって、ここで、第2のインジケータ情報が、CQIを示すために使用され、CQIが、チャネルのSINR、端末デバイスの数量K、第1の肯定応答メッセージの数量、および第1の否定応答メッセージの数量に従って、第1の端末デバイスによって決定され、ここで、第1の肯定応答メッセージが、ダウンリンクデータのためのハイブリッド自動再送要求HARQプロセスの中で第1の端末デバイスによって装置へ送られた肯定応答メッセージであり、第1の否定応答メッセージが、HARQプロセスの中で第1の端末デバイスによって装置へ送られた否定応答メッセージである、受信ユニットとをさらに含み、ここで、CQI決定ユニットは、第2のインジケータ情報に従ってCQIを決定するように特に構成される。
【００３８】
第5の態様および第5の態様の上記の実装様式に関して、第5の態様の第7の実装様式では、装置は、第1のインジケータ情報を第1の端末デバイスへ送るように構成された送信ユニットであって、ここで、第1のインジケータ情報が、端末デバイスの数量Kを示すために使用される、送信ユニットと、第1の端末デバイスによって送られた第2のインジケータ情報を受信するように構成された受信ユニットであって、ここで、第2のインジケータ情報が、CQIを示すために使用され、CQIが、チャネルのSINR、端末デバイスの数量K、第1の復号反復回数、第1の肯定応答メッセージの数量、および第1の否定応答メッセージの数量に従って、第1の端末デバイスによって決定され、ここで、第1の復号反復回数が、第1の端末デバイスがダウンリンクデータに対する復号処理を実行するときに実行された復号反復の回数であり、第1の肯定応答メッセージが、ダウンリンクデータのためのハイブリッド自動再送要求HARQプロセスの中で第1の端末デバイスによって装置へ送られた肯定応答メッセージであり、第1の否定応答メッセージが、HARQプロセスの中で第1の端末デバイスによって装置へ送られた否定応答メッセージである、受信ユニットとをさらに含み、ここで、CQI決定ユニットは、第2のインジケータ情報に従ってCQIを決定するように特に構成される。
【００３９】
第5の態様および第5の態様の上記の実装様式に関して、第5の態様の第8の実装様式では、装置は、第1の端末デバイスによって送られた第3のインジケータ情報を受信するように構成された受信ユニットをさらに含み、ここで、第3のインジケータ情報は、第1の端末デバイスによってフィードバックされるCQIを示すために使用され、第1の端末デバイスによってフィードバックされるCQIは、チャネルのSINRに従って第1の端末デバイスによって決定され、ここで、CQI決定ユニットは、CQIを決定するために、第1の端末デバイスによってフィードバックされたCQIを端末デバイスの数量Kに従って処理するように特に構成される。
【００４０】
第5の態様および第5の態様の上記の実装様式に関して、第5の態様の第9の実装様式では、受信ユニットは、第1の端末デバイスによって送られた第4のインジケータ情報を受信するようにさらに構成され、ここで、第4のインジケータ情報は、第1の復号反復回数を示すために使用され、ここで、第1の復号反復回数は、第1の端末デバイスがダウンリンクデータに対する復号処理を実行するときに実行された復号反復の回数であり、CQI決定ユニットは、第1の端末デバイスによってフィードバックされたCQIを、端末デバイスの数量Kおよび第1の復号反復回数に従って処理するように特に構成される。
【００４１】
第5の態様および第5の態様の上記の実装様式に関して、第5の態様の第10の実装様式では、CQI決定ユニットは、第1の肯定応答メッセージの数量および第1の否定応答メッセージの数量を決定することであって、ここで、第1の肯定応答メッセージが、ダウンリンクデータのためのHARQプロセスの中で第1の端末デバイスによって装置へ送られた肯定応答メッセージであり、第1の否定応答メッセージが、HARQプロセスの中で第1の端末デバイスによって装置へ送られた否定応答メッセージであることを行うようにさらに構成され、第1の端末デバイスによってフィードバックされたCQIを、端末デバイスの数量K、第1の肯定応答メッセージの数量、および第1の否定応答メッセージの数量に従って処理するように構成される。
【００４２】
第5の態様および第5の態様の上記の実装様式に関して、第5の態様の第11の実装様式では、受信ユニットは、第1の端末デバイスによって送られた第4のインジケータ情報を受信するようにさらに構成され、ここで、第4のインジケータ情報は、第1の復号反復回数を示すために使用され、ここで、第1の復号反復回数は、第1の端末デバイスがダウンリンクデータに対する復号処理を実行するときに実行された復号反復の回数であり、CQI決定ユニットは、第1の肯定応答メッセージの数量および第1の否定応答メッセージの数量を決定することであって、ここで、第1の肯定応答メッセージが、ダウンリンクデータのためのHARQプロセスの中で第1の端末デバイスによって装置へ送られた肯定応答メッセージであり、第1の否定応答メッセージが、HARQプロセスの中で第1の端末デバイスによって装置へ送られた否定応答メッセージであることを行うようにさらに構成され、第1の端末デバイスによってフィードバックされたCQIを、端末デバイスの数量K、第1の復号反復回数、第1の肯定応答メッセージの数量、および第1の否定応答メッセージの数量に従って処理するように構成される。
【００４３】
第5の態様および第5の態様の上記の実装様式に関して、第5の態様の第12の実装様式では、装置は、スパースコード多元接続通信システムにおいて構成され、第1の時間周波数リソースは、少なくとも2つのリソース要素REを含む時間周波数リソースブロックである。
【００４４】
第5の態様および第5の態様の上記の実装様式に関して、第5の態様の第13の実装様式では、装置はネットワークデバイスである。
【００４５】
第6の態様によれば、変調およびコーディング方式を決定するための装置が提供され、ここで、装置は、装置とのダウンリンクデータ伝送を実行するために第1の時間期間の中で第1の時間周波数リソースを再使用する端末デバイスの数量Kを決定するように構成された数量決定ユニットであって、ここで、K≧2である、数量決定ユニットと、第1の端末デバイスによって送られた第1のインジケータ情報を受信するように構成された受信ユニットであって、ここで、第1のインジケータ情報が、チャネル品質インジケータCQIを示すために使用され、CQIが、チャネルのSINRに従って第1の端末デバイスによって決定され、チャネルが、第1の時間周波数リソースに基づくチャネルであり、チャネルが、第1の端末デバイスと装置との間のダウンリンクデータを第1の時間期間の中で伝送するために使用される、受信ユニットと、端末デバイスの数量Kの値およびCQIの値に対応する変調およびコーディング方式MCSを事前設定マッピング関係情報に従って決定し、第1の端末デバイスのMCSとしてそのMCSを使用するように構成されたMCS決定ユニットであって、ここで、マッピング関係情報が、N個のパラメータセットとN個のMCSとの間の1対1マッピング関係を示すために使用され、各パラメータセットが、端末デバイス数量値およびCQI値を含み、N≧2である、MCS決定ユニットとを含む。
【００４６】
第6の態様に関して、第6の態様の第1の実装様式では、各パラメータセットは、復号反復回数値をさらに含み、受信ユニットは、第1の端末デバイスによって送られた第2のインジケータ情報を受信するようにさらに構成され、ここで、第2のインジケータ情報は、第1の復号反復回数を示すために使用され、ここで、第1の復号反復回数は、第1の端末デバイスがダウンリンクデータに対する復号処理を実行するときに実行された復号反復の回数であり、MCS決定ユニットは、端末デバイスの数量Kの値、CQIの値、および第1の復号反復回数値に対応するMCSを、事前設定マッピング関係情報に従って決定するように特に構成される。
【００４７】
第6の態様および第6の態様の上記の実装様式に関して、第6の態様の第2の実装様式では、各パラメータセットは、肯定応答メッセージの数量の値および否定応答メッセージの数量の値をさらに含み、数量決定ユニットは、第1の肯定応答メッセージの数量および第1の否定応答メッセージの数量を決定するようにさらに構成され、ここで、第1の肯定応答メッセージは、ダウンリンクデータのためのハイブリッド自動再送要求HARQプロセスの中で第1の端末デバイスによって装置へ送られた肯定応答メッセージであり、第1の否定応答メッセージは、HARQプロセスの中で第1の端末デバイスによって装置へ送られた否定応答メッセージであり、調整ポリシー情報は、第1の肯定応答メッセージの数量および第1の否定応答メッセージの数量をさらに含み、MCS決定ユニットは、端末デバイスの数量Kの値、CQIの値、第1の肯定応答メッセージの数量、および第1の否定応答メッセージの数量に対応するMCSを、事前設定マッピング関係情報に従って決定するように特に構成される。
【００４８】
第6の態様および第6の態様の上記の実装様式に関して、第6の態様の第3の実装様式では、各パラメータセットは、復号反復回数値、肯定応答メッセージの数量の値、および否定応答メッセージの数量の値をさらに含み、受信ユニットは、第1の端末デバイスによって送られた第2のインジケータ情報を受信するようにさらに構成され、ここで、第2のインジケータ情報は、第1の復号反復回数を示すために使用され、ここで、第1の復号反復回数は、第1の端末デバイスがダウンリンクデータに対する復号処理を実行するときに実行された復号反復の回数であり、数量決定ユニットは、第1の肯定応答メッセージの数量および第1の否定応答メッセージの数量を決定するようにさらに構成され、ここで、第1の肯定応答メッセージは、ダウンリンクデータのためのHARQプロセスの中で第1の端末デバイスによって装置へ送られた肯定応答メッセージであり、第1の否定応答メッセージは、HARQプロセスの中で第1の端末デバイスによって装置へ送られた否定応答メッセージであり、調整ポリシー情報は、第1の肯定応答メッセージの数量および第1の否定応答メッセージの数量をさらに含み、MCS決定ユニットは、端末デバイスの数量Kの値、CQIの値、第1の復号反復回数値、第1の肯定応答メッセージの数量、および第1の否定応答メッセージの数量に対応するMCSを、事前設定マッピング関係情報に従って決定するように特に構成される。
【００４９】
第6の態様および第6の態様の上記の実装様式に関して、第6の態様の第4の実装様式では、装置は、スパースコード多元接続通信システムにおいて構成され、第1の時間周波数リソースは、少なくとも2つのリソース要素REを含む時間周波数リソースブロックである。
【００５０】
第6の態様および第6の態様の上記の実装様式に関して、第6の態様の第5の実装様式では、装置はネットワークデバイスである。
【００５１】
第7の態様によれば、変調およびコーディング方式を決定するための装置が提供され、ここで、装置はK個の端末デバイスにおける第1の端末デバイスであり、装置は、チャネルの信号対干渉雑音比SINRを決定するように構成された決定ユニットであって、ここで、チャネルが、第1の時間周波数リソースに基づくチャネルであり、チャネルが、装置とネットワークデバイスとの間のダウンリンクデータを第1の時間期間の中で伝送するために使用され、K個の端末デバイスが、ネットワークデバイスからダウンリンクデータを受信するために第1の時間期間の中で第1の時間周波数リソースを再使用し、K≧2である、決定ユニットと、ネットワークデバイスによって送られた第1のインジケータ情報を受信するように構成された受信ユニットであって、ここで、第1のインジケータ情報が、端末デバイスの数量Kを示すために使用され、ここで、決定ユニットが、チャネルの信号対干渉雑音比SINRおよび端末デバイスの数量Kに従って、チャネル品質インジケータCQIを決定するようにさらに構成される、受信ユニットと、ネットワークデバイスが、装置の変調およびコーディング方式MCSをCQIに従って決定するように、第2のインジケータ情報をネットワークデバイスへ送るように構成されたユニットであって、ここで、第2のインジケータ情報が、CQIを示すために使用される、送信ユニットとを含む。
【００５２】
第7の態様に関して、第7の態様の第1の実装様式では、決定ユニットは、チャネルのSINR、端末デバイスの数量K、および第1の復号反復回数に従ってCQIを決定するように特に構成され、ここで、第1の復号反復回数は、装置がダウンリンクデータに対する復号処理を実行するときに実行された復号反復の回数である。
【００５３】
第7の態様および第7の態様の上記の実装様式に関して、第7の態様の第2の実装様式では、決定ユニットは、チャネルのSINR、端末デバイスの数量K、第1の肯定応答メッセージの数量、および第1の否定応答メッセージの数量に従ってCQIを決定するように特に構成され、ここで、第1の肯定応答メッセージは、ダウンリンクデータのためのハイブリッド自動再送要求HARQプロセスの中で装置によってネットワークデバイスへ送られた肯定応答メッセージであり、第1の否定応答メッセージは、HARQプロセスの中で装置によってネットワークデバイスへ送られた否定応答メッセージである。
【００５４】
第7の態様および第7の態様の上記の実装様式に関して、第7の態様の第3の実装様式では、決定ユニットは、チャネルのSINR、端末デバイスの数量K、第1の復号反復回数、第1の肯定応答メッセージの数量、および第1の否定応答メッセージの数量に従ってCQIを決定するように特に構成され、ここで、第1の復号反復回数は、装置がダウンリンクデータに対する復号処理を実行するときに実行された復号反復の回数であり、第1の肯定応答メッセージは、ダウンリンクデータのためのハイブリッド自動再送要求HARQプロセスの中で装置によってネットワークデバイスへ送られた肯定応答メッセージであり、第1の否定応答メッセージは、HARQプロセスの中で装置によってネットワークデバイスへ送られた否定応答メッセージである。
【００５５】
第7の態様および第7の態様の上記の実装様式に関して、第7の態様の第4の実装様式では、装置は、スパースコード多元接続通信システムにおいて構成され、第1の時間周波数リソースは、少なくとも2つのリソース要素REを含む時間周波数リソースブロックである。
【００５６】
第8の態様によれば、変調およびコーディング方式を決定するための装置が提供され、ここで、装置はK個の端末デバイスにおける第1の端末デバイスであり、装置は、チャネルの信号対干渉雑音比SINRを決定するように構成された決定ユニットであって、ここで、チャネルが、第1の時間周波数リソースに基づくチャネルであり、チャネルが、装置とネットワークデバイスとの間のダウンリンクデータを第1の時間期間の中で伝送するために使用され、K個の端末デバイスが、ネットワークデバイスからダウンリンクデータを受信するために第1の時間期間の中で第1の時間周波数リソースを再使用し、K≧2である、決定ユニットであって、チャネルのSINRに従ってチャネル品質インジケータCQIを決定するように構成された決定ユニットと、ネットワークデバイスが、装置の変調およびコーディング方式MCSを端末デバイスの数量Kおよび第1の復号反復回数に従って決定するように、第1のインジケータ情報および第2のインジケータ情報をネットワークデバイスへ送るように構成された送信ユニットであって、ここで、第1のインジケータ情報が、CQIを示すために使用され、第2のインジケータ情報が、第1の復号反復回数を示すために使用され、ここで、第1の復号反復回数が、装置がダウンリンクデータに対する復号処理を実行するときに実行された復号反復の回数である、送信ユニットとを含む。
【００５７】
第8の態様に関して、第8の態様の第1の実装様式では、装置は、スパースコード多元接続通信システムにおいて構成され、第1の時間周波数リソースは、少なくとも2つのリソース要素REを含む時間周波数リソースブロックである。
【００５８】
第9の態様によれば、変調およびコーディング方式を決定するためのデバイスが提供され、ここで、デバイスは、バスと、バスに接続されたプロセッサと、バスに接続されたメモリと、バスに接続されたトランシーバとを含み、ここで、プロセッサは、メモリに記憶されたプログラムを、バスを使用することによって起動し、それにより、プロセッサは、デバイスとのダウンリンクデータ伝送を実行するために第1の時間期間の中で第1の時間周波数リソースを再使用する端末デバイスの数量Kを決定することであって、ここで、K≧2であることを行うように構成され、チャネル品質インジケータCQIを取得することであって、ここで、CQIが、チャネルの信号対干渉雑音比SINRおよび端末デバイスの数量Kに従って決定され、ここで、チャネルが、第1の時間周波数リソースに基づくチャネルであり、チャネルが、第1の端末デバイスとデバイスとの間のダウンリンクデータを第1の時間期間の中で伝送するために使用されることを行うように構成され、第1の端末デバイスの変調およびコーディング方式MCSをCQIに従って決定するように構成される。
【００５９】
第9の態様に関して、第9の態様の第1の実装様式では、CQIは、チャネルのSINR、端末デバイスの数量K、および第1の復号反復回数に従って決定され、ここで、第1の復号反復回数は、第1の端末デバイスがダウンリンクデータに対する復号処理を実行するときに実行された復号反復の回数である。
【００６０】
第9の態様および第9の態様の上記の実装様式に関して、第9の態様の第2の実装様式では、CQIは、チャネルのSINR、端末デバイスの数量K、第1の肯定応答メッセージの数量、および第1の否定応答メッセージの数量に従って決定され、ここで、第1の肯定応答メッセージは、ダウンリンクデータのためのハイブリッド自動再送要求HARQプロセスの中で第1の端末デバイスによってデバイスへ送られた肯定応答メッセージであり、第1の否定応答メッセージは、HARQプロセスの中で第1の端末デバイスによってデバイスへ送られた否定応答メッセージである。
【００６１】
第9の態様および第9の態様の上記の実装様式に関して、第9の態様の第3の実装様式では、CQIは、チャネルのSINR、端末デバイスの数量K、第1の復号反復回数、第1の肯定応答メッセージの数量、および第1の否定応答メッセージの数量に従って決定され、ここで、第1の復号反復回数は、第1の端末デバイスがダウンリンクデータに対する復号処理を実行するときに実行された復号反復の回数であり、第1の肯定応答メッセージは、ダウンリンクデータのためのハイブリッド自動再送要求HARQプロセスの中で第1の端末デバイスによってデバイスへ送られた肯定応答メッセージであり、第1の否定応答メッセージは、HARQプロセスの中で第1の端末デバイスによってデバイスへ送られた否定応答メッセージである。
【００６２】
第9の態様および第9の態様の上記の実装様式に関して、第9の態様の第4の実装様式では、プロセッサは、第1のインジケータ情報を第1の端末デバイスへ送るようにトランシーバを制御することであって、ここで、第1のインジケータ情報が、端末デバイスの数量Kを示すために使用されることと、第1の端末デバイスによって送られた第2のインジケータ情報を受信するようにトランシーバを制御することであって、ここで、第2のインジケータ情報が、CQIを示すために使用され、CQIが、チャネルのSINRおよび端末デバイスの数量Kに従って、第1の端末デバイスによって決定されることとを行うように特に構成される。
【００６３】
第9の態様および第9の態様の上記の実装様式に関して、第9の態様の第5の実装様式では、プロセッサは、第1のインジケータ情報を第1の端末デバイスへ送るようにトランシーバを制御することであって、ここで、第1のインジケータ情報が、端末デバイスの数量Kを示すために使用されることを行うように特に構成され、第1の端末デバイスによって送られた第2のインジケータ情報を受信するようにトランシーバを制御することであって、ここで、第2のインジケータ情報が、CQIを示すために使用され、CQIが、チャネルのSINR、端末デバイスの数量K、および第1の復号反復回数に従って、第1の端末デバイスによって決定され、ここで、第1の復号反復回数が、第1の端末デバイスがダウンリンクデータに対する復号処理を実行するときに実行された復号反復の回数であることを行うように構成される。
【００６４】
第9の態様および第9の態様の上記の実装様式に関して、第9の態様の第6の実装様式では、プロセッサは、第1のインジケータ情報を第1の端末デバイスへ送るようにトランシーバを制御することであって、ここで、第1のインジケータ情報が、端末デバイスの数量Kを示すために使用されることと、第1の端末デバイスによって送られた第2のインジケータ情報を受信するようにトランシーバを制御することであって、ここで、第2のインジケータ情報が、CQIを示すために使用され、CQIが、チャネルのSINR、端末デバイスの数量K、第1の肯定応答メッセージの数量、および第1の否定応答メッセージの数量に従って、第1の端末デバイスによって決定され、ここで、第1の肯定応答メッセージが、ダウンリンクデータのためのハイブリッド自動再送要求HARQプロセスの中で第1の端末デバイスによってデバイスへ送られた肯定応答メッセージであり、第1の否定応答メッセージが、HARQプロセスの中で第1の端末デバイスによってデバイスへ送られた否定応答メッセージであることとを行うように特に構成される。
【００６５】
第9の態様および第9の態様の上記の実装様式に関して、第9の態様の第7の実装様式では、プロセッサは、第1のインジケータ情報を第1の端末デバイスへ送るようにトランシーバを制御することであって、ここで、第1のインジケータ情報が、端末デバイスの数量Kを示すために使用されることと、第1の端末デバイスによって送られた第2のインジケータ情報を受信するようにトランシーバを制御することであって、ここで、第2のインジケータ情報が、CQIを示すために使用され、CQIが、チャネルのSINR、端末デバイスの数量K、第1の復号反復回数、第1の肯定応答メッセージの数量、および第1の否定応答メッセージの数量に従って、第1の端末デバイスによって決定され、ここで、第1の復号反復回数が、第1の端末デバイスがダウンリンクデータに対する復号処理を実行するときに実行された復号反復の回数であり、第1の肯定応答メッセージが、ダウンリンクデータのためのハイブリッド自動再送要求HARQプロセスの中で第1の端末デバイスによってデバイスへ送られた肯定応答メッセージであり、第1の否定応答メッセージが、HARQプロセスの中で第1の端末デバイスによってデバイスへ送られた否定応答メッセージであることとを行うように特に構成される。
【００６６】
第9の態様および第9の態様の上記の実装様式に関して、第9の態様の第8の実装様式では、プロセッサは、第1の端末デバイスによって送られた第3のインジケータ情報を受信するようにトランシーバを制御することであって、ここで、第3のインジケータ情報が、第1の端末デバイスによってフィードバックされるCQIを示すために使用され、第1の端末デバイスによってフィードバックされるCQIが、チャネルのSINRに従って第1の端末デバイスによって決定されることを行うように特に構成され、CQIを決定するために、第1の端末デバイスによってフィードバックされたCQIを端末デバイスの数量Kに従って処理するように構成される。
【００６７】
第9の態様および第9の態様の上記の実装様式に関して、第9の態様の第9の実装様式では、プロセッサは、第1の端末デバイスによって送られた第4のインジケータ情報を受信するようにトランシーバを制御することであって、ここで、第4のインジケータ情報が、第1の復号反復回数を示すために使用され、ここで、第1の復号反復回数が、第1の端末デバイスがダウンリンクデータに対する復号処理を実行するときに実行された復号反復の回数であることを行うように特に構成され、第1の端末デバイスによってフィードバックされたCQIを、端末デバイスの数量Kおよび第1の復号反復回数に従って処理するように構成される。
【００６８】
第9の態様および第9の態様の上記の実装様式に関して、第9の態様の第10の実装様式では、プロセッサは、第1の肯定応答メッセージの数量および第1の否定応答メッセージの数量を決定することであって、ここで、第1の肯定応答メッセージが、ダウンリンクデータのためのHARQプロセスの中で第1の端末デバイスによってデバイスへ送られた肯定応答メッセージであり、第1の否定応答メッセージが、HARQプロセスの中で第1の端末デバイスによってデバイスへ送られた否定応答メッセージであることを行うように特に構成され、第1の端末デバイスによってフィードバックされたCQIを、端末デバイスの数量K、第1の肯定応答メッセージの数量、および第1の否定応答メッセージの数量に従って処理するように構成される。
【００６９】
第9の態様および第9の態様の上記の実装様式に関して、第9の態様の第11の実装様式では、プロセッサは、第1の端末デバイスによって送られた第4のインジケータ情報を受信するようにトランシーバを制御することであって、ここで、第4のインジケータ情報が、第1の復号反復回数を示すために使用され、ここで、第1の復号反復回数が、第1の端末デバイスがダウンリンクデータに対する復号処理を実行するときに実行された復号反復の回数であることを行うように特に構成され、第1の肯定応答メッセージの数量および第1の否定応答メッセージの数量を決定することであって、ここで、第1の肯定応答メッセージが、ダウンリンクデータのためのHARQプロセスの中で第1の端末デバイスによってデバイスへ送られた肯定応答メッセージであり、第1の否定応答メッセージが、HARQプロセスの中で第1の端末デバイスによってデバイスへ送られた否定応答メッセージであることを行うように構成され、第1の端末デバイスによってフィードバックされたCQIを、端末デバイスの数量K、第1の復号反復回数、第1の肯定応答メッセージの数量、および第1の否定応答メッセージの数量に従って処理するように構成される。
【００７０】
第9の態様および第9の態様の上記の実装様式に関して、第9の態様の第12の実装様式では、デバイスは、スパースコード多元接続通信システムにおいて構成され、第1の時間周波数リソースは、少なくとも2つのリソース要素REを含む時間周波数リソースブロックである。
【００７１】
第9の態様および第9の態様の上記の実装様式に関して、第9の態様の第13の実装様式では、デバイスはネットワークデバイスである。
【００７２】
第10の態様によれば、変調およびコーディング方式を決定するためのデバイスが提供され、ここで、デバイスは、バスと、バスに接続されたプロセッサと、バスに接続されたメモリと、バスに接続されたトランシーバとを含み、ここで、プロセッサは、メモリに記憶されたプログラムを、バスを使用することによって起動し、それにより、プロセッサは、デバイスとのダウンリンクデータ伝送を実行するために第1の時間期間の中で第1の時間周波数リソースを再使用する端末デバイスの数量Kを決定することであって、ここで、K≧2であることを行うように構成され、第1の端末デバイスによって送られた第1のインジケータ情報を受信するようにトランシーバを制御することであって、ここで、第1のインジケータ情報が、チャネル品質インジケータCQIを示すために使用され、CQIが、チャネルのSINRに従って第1の端末デバイスによって決定され、チャネルが、第1の時間周波数リソースに基づくチャネルであり、チャネルが、第1の端末デバイスとデバイスとの間のダウンリンクデータを第1の時間期間の中で伝送するために使用されることを行うように構成され、端末デバイスの数量Kの値およびCQIの値に対応する変調およびコーディング方式MCSを事前設定マッピング関係情報に従って決定し、第1の端末デバイスのMCSとしてそのMCSを使用することであって、ここで、マッピング関係情報が、N個のパラメータセットとN個のMCSとの間の1対1マッピング関係を示すために使用され、各パラメータセットが、端末デバイス数量値およびCQI値を含み、N≧2であることを行うように構成される。
【００７３】
第10の態様に関して、第10の態様の第1の実装様式では、各パラメータセットは、復号反復回数値をさらに含み、プロセッサは、第1の端末デバイスによって送られた第2のインジケータ情報を受信するようにトランシーバを制御することであって、ここで、第2のインジケータ情報が、第1の復号反復回数を示すために使用され、ここで、第1の復号反復回数が、第1の端末デバイスがダウンリンクデータに対する復号処理を実行するときに実行された復号反復の回数であることを行うようにさらに構成され、端末デバイスの数量Kの値、CQIの値、および第1の復号反復回数値に対応するMCSを、事前設定マッピング関係情報に従って決定するように構成される。
【００７４】
第10の態様および第10の態様の上記の実装様式に関して、第10の態様の第2の実装様式では、各パラメータセットは、肯定応答メッセージの数量の値および否定応答メッセージの数量の値をさらに含み、プロセッサは、第1の肯定応答メッセージの数量および第1の否定応答メッセージの数量を決定することであって、ここで、第1の肯定応答メッセージが、ダウンリンクデータのためのハイブリッド自動再送要求HARQプロセスの中で第1の端末デバイスによってデバイスへ送られた肯定応答メッセージであり、第1の否定応答メッセージが、HARQプロセスの中で第1の端末デバイスによってデバイスへ送られた否定応答メッセージであり、調整ポリシー情報が、第1の肯定応答メッセージの数量および第1の否定応答メッセージの数量をさらに含むことを行うようにさらに構成され、端末デバイスの数量Kの値、CQIの値、第1の肯定応答メッセージの数量、および第1の否定応答メッセージの数量に対応するMCSを、事前設定マッピング関係情報に従って決定するように構成される。
【００７５】
第10の態様および第10の態様の上記の実装様式に関して、第10の態様の第3の実装様式では、各パラメータセットは、復号反復回数値、肯定応答メッセージの数量の値、および否定応答メッセージの数量の値をさらに含み、プロセッサは、第1の端末デバイスによって送られた第2のインジケータ情報を受信するようにトランシーバを制御することであって、ここで、第2のインジケータ情報が、第1の復号反復回数を示すために使用され、ここで、第1の復号反復回数が、第1の端末デバイスがダウンリンクデータに対する復号処理を実行するときに実行された復号反復の回数であることを行うようにさらに構成され、第1の肯定応答メッセージの数量および第1の否定応答メッセージの数量を決定することであって、ここで、第1の肯定応答メッセージが、ダウンリンクデータのためのHARQプロセスの中で第1の端末デバイスによってデバイスへ送られた肯定応答メッセージであり、第1の否定応答メッセージが、HARQプロセスの中で第1の端末デバイスによってデバイスへ送られた否定応答メッセージであり、調整ポリシー情報が、第1の肯定応答メッセージの数量および第1の否定応答メッセージの数量をさらに含むことを行うように構成され、端末デバイスの数量Kの値、CQIの値、第1の復号反復回数値、第1の肯定応答メッセージの数量、および第1の否定応答メッセージの数量に対応するMCSを、事前設定マッピング関係情報に従って決定するように構成される。
【００７６】
第10の態様および第10の態様の上記の実装様式に関して、第10の態様の第4の実装様式では、デバイスは、スパースコード多元接続通信システムにおいて構成され、第1の時間周波数リソースは、少なくとも2つのリソース要素REを含む時間周波数リソースブロックである。
【００７７】
第10の態様および第10の態様の上記の実装様式に関して、第10の態様の第5の実装様式では、デバイスはネットワークデバイスである。
【００７８】
第11の態様によれば、変調およびコーディング方式を決定するためのデバイスが提供され、ここで、デバイスはK個の端末デバイスにおける第1の端末デバイスであり、デバイスは、バスと、バスに接続されたプロセッサと、バスに接続されたメモリと、バスに接続されたトランシーバとを含み、ここで、プロセッサは、メモリに記憶されたプログラムを、バスを使用することによって起動し、それにより、プロセッサは、チャネルの信号対干渉雑音比SINRを決定することであって、ここで、チャネルが、第1の時間周波数リソースに基づくチャネルであり、チャネルが、デバイスとネットワークデバイスとの間のダウンリンクデータを第1の時間期間の中で伝送するために使用され、K個の端末デバイスが、ネットワークデバイスからダウンリンクデータを受信するために第1の時間期間の中で第1の時間周波数リソースを再使用し、K≧2であることを行うように構成され、ネットワークデバイスによって送られた第1のインジケータ情報を受信するようにトランシーバを制御することであって、ここで、第1のインジケータ情報が、端末デバイスの数量Kを示すために使用されることを行うように構成され、チャネルの信号対干渉雑音比SINRおよび端末デバイスの数量Kに従って、チャネル品質インジケータCQIを決定するように構成され、ネットワークデバイスが、デバイスの変調およびコーディング方式MCSをCQIに従って決定するように、第2のインジケータ情報をネットワークデバイスへ送るようにトランシーバを制御することであって、ここで、第2のインジケータ情報が、CQIを示すために使用されることを行うように構成される。
【００７９】
第11の態様に関して、第11の態様の第1の実装様式では、プロセッサは、チャネルのSINR、端末デバイスの数量K、および第1の復号反復回数に従ってCQIを決定するように特に構成され、ここで、第1の復号反復回数は、デバイスがダウンリンクデータに対する復号処理を実行するときに実行された復号反復の回数である。
【００８０】
第11の態様および第11の態様の上記の実装様式に関して、第11の態様の第2の実装様式では、プロセッサは、チャネルのSINR、端末デバイスの数量K、第1の肯定応答メッセージの数量、および第1の否定応答メッセージの数量に従ってCQIを決定するように特に構成され、ここで、第1の肯定応答メッセージは、ダウンリンクデータのためのハイブリッド自動再送要求HARQプロセスの中でデバイスによってネットワークデバイスへ送られた肯定応答メッセージであり、第1の否定応答メッセージは、HARQプロセスの中でデバイスによってネットワークデバイスへ送られた否定応答メッセージである。
【００８１】
第11の態様および第11の態様の上記の実装様式に関して、第11の態様の第3の実装様式では、プロセッサは、チャネルのSINR、端末デバイスの数量K、第1の復号反復回数、第1の肯定応答メッセージの数量、および第1の否定応答メッセージの数量に従ってCQIを決定するように特に構成され、ここで、第1の復号反復回数は、デバイスがダウンリンクデータに対する復号処理を実行するときに実行された復号反復の回数であり、第1の肯定応答メッセージは、ダウンリンクデータのためのハイブリッド自動再送要求HARQプロセスの中でデバイスによってネットワークデバイスへ送られた肯定応答メッセージであり、第1の否定応答メッセージは、HARQプロセスの中でデバイスによってネットワークデバイスへ送られた否定応答メッセージである。
【００８２】
第11の態様および第11の態様の上記の実装様式に関して、第11の態様の第4の実装様式では、デバイスは、スパースコード多元接続通信システムに属し、第1の時間周波数リソースは、少なくとも2つのリソース要素REを含む時間周波数リソースブロックである。
【００８３】
第12の態様によれば、変調およびコーディング方式を決定するためのデバイスが提供され、ここで、デバイスはK個の端末デバイスの中で実行され、デバイスは、バスと、バスに接続されたプロセッサと、バスに接続されたメモリと、バスに接続されたトランシーバとを含み、ここで、プロセッサは、メモリに記憶されたプログラムを、バスを使用することによって起動し、それにより、プロセッサは、チャネルの信号対干渉雑音比SINRを決定することであって、ここで、チャネルが、第1の時間周波数リソースに基づくチャネルであり、チャネルが、デバイスとネットワークデバイスとの間のダウンリンクデータを第1の時間期間の中で伝送するために使用され、K個の端末デバイスが、ネットワークデバイスからダウンリンクデータを受信するために第1の時間期間の中で第1の時間周波数リソースを再使用し、K≧2であることを行うように構成され、チャネルのSINRに従ってチャネル品質インジケータCQIを決定するように構成され、ネットワークデバイスが、デバイスの変調およびコーディング方式MCSを端末デバイスの数量Kおよび第1の復号反復回数に従って決定するように、第1のインジケータ情報および第2のインジケータ情報をネットワークデバイスへ送るようにトランシーバを制御することであって、ここで、第1のインジケータ情報が、CQIを示すために使用され、第2のインジケータ情報が、第1の復号反復回数を示すために使用され、ここで、第1の復号反復回数が、デバイスがダウンリンクデータに対する復号処理を実行するときに実行された復号反復の回数であることを行うように構成される。
【００８４】
第12の態様に関して、第12の態様の第1の実装様式では、デバイスは、スパースコード多元接続通信システムに属し、第1の時間周波数リソースは、少なくとも2つのリソース要素REを含む時間周波数リソースブロックである。
【００８５】
本発明の実施形態における変調およびコーディング方式を決定するための方法、装置、およびデバイスによれば、K個の端末デバイスは、ネットワークデバイスとのデータ伝送を実行するために同じ時間期間の中で同じ時間周波数リソースを再使用し、データは、時間周波数リソースに基づくチャネルを通じて第1の端末デバイスとネットワークデバイスとの間で伝送され、処理されたCQIが第1の端末デバイスのデータ伝送プロセスにおける干渉雑音を反映し得るように、チャネルの信号対干渉雑音比に基づいて決定されたCQIが端末デバイスの数量Kに従って処理され、調整された変調およびコーディング方式が第1の端末デバイスの干渉雑音に適応し得るように、第1の端末デバイスの変調およびコーディング方式が処理済みCQIに従って調整される。したがって、方法、装置、およびデバイスは、データ伝送を実行するために同じ時間周波数リソースを再使用する端末デバイス用の変調およびコーディング方式の調整に適用可能である。
【００８６】
本発明の実施形態における技術的解決策をより明瞭に説明するために、下記のことは本実施形態または従来技術を説明するのに必要とされる添付図面を手短に説明する。見掛け上、以下の説明における添付図面は本発明のいくつかの実施形態を示すにすぎず、当業者は創造的な取組みなしにこれらの添付図面から他の図面をさらに導出し得る。
【図面の簡単な説明】
【００８７】
【図１】本発明による変調およびコーディング方式を決定するための方法を使用する通信システムの概略図である。
【図２】本発明の一実施形態による変調およびコーディング方式を決定するための方法の概略フローチャートである。
【図３】本発明の一実施形態による変調およびコーディング方式を決定するための方法の概略相互作用図である。
【図４】本発明の別の実施形態による変調およびコーディング方式を決定するための方法の概略相互作用図である。
【図５】本発明の別の実施形態による変調およびコーディング方式を決定するための方法の概略フローチャートである。
【図６】本発明のまた別の実施形態による変調およびコーディング方式を決定するための方法の概略相互作用図である。
【図７】本発明のまた別の実施形態による変調およびコーディング方式を決定するための方法の概略フローチャートである。
【図８】本発明のまた別の実施形態による変調およびコーディング方式を決定するための方法の概略フローチャートである。
【図９】本発明の一実施形態による変調およびコーディング方式を決定するための装置の概略構造図である。
【図１０】本発明の別の実施形態による変調およびコーディング方式を決定するための装置の概略構造図である。
【図１１】本発明のまた別の実施形態による変調およびコーディング方式を決定するための装置の概略構造図である。
【図１２】本発明のまた別の実施形態による変調およびコーディング方式を決定するための装置の概略構造図である。
【図１３】本発明の一実施形態による変調およびコーディング方式を決定するためのデバイスの概略構造図である。
【図１４】本発明の別の実施形態による変調およびコーディング方式を決定するためのデバイスの概略構造図である。
【図１５】本発明のまた別の実施形態による変調およびコーディング方式を決定するためのデバイスの概略構造図である。
【図１６】本発明のまた別の実施形態による変調およびコーディング方式を決定するためのデバイスの概略構造図である。
【発明を実施するための形態】
【００８８】
下記のことは、本発明の実施形態において添付の図面を参照しながら、本発明の実施形態における技術的解決策を明瞭かつ完全に説明する。見掛け上、説明する実施形態は一部であり、本発明の実施形態のすべてであるとは限らない。創造的な取組みなしに本発明の実施形態に基づいて当業者によって取得されるすべての他の実施形態が、本発明の保護範囲に入るものとする。
【００８９】
本明細書で使用する「構成要素」、「モジュール」、および「システム」などの用語は、コンピュータ関連エンティティ、ハードウェア、ファームウェア、ハードウェアとソフトウェアの組合せ、ソフトウェア、または実行されているソフトウェアを示すために使用される。たとえば、構成要素は、限定はしないが、プロセッサ上で動作するプロセス、プロセッサ、オブジェクト、実行可能ファイル、実行スレッド、プログラム、および/またはコンピュータであり得る。図に示すように、コンピューティングデバイスと、コンピューティングデバイスの上で動作するアプリケーションの両方が、構成要素であり得る。1つまたは複数の構成要素は、プロセス内および/または実行スレッド内にあってよく、構成要素は、1つのコンピュータ上にあってよく、かつ/または2つ以上のコンピュータ間で分散されてよい。加えて、これらの構成要素は、様々なデータ構造を記憶する様々なコンピュータ可読媒体から実行されてよい。たとえば、構成要素は、ローカルプロセスおよび/またはリモートプロセスを使用することによって、たとえば、1つまたは複数のデータパケット(たとえば、ローカルシステムの中で、分散システムの中で、かつ/または信号を使用することによって他のシステムと相互作用するインターネットなどのネットワークを越えて、別の構成要素と相互作用する1つの構成要素からのデータ)を有する信号に従って、通信し得る。
【００９０】
本発明の各実施形態は、端末デバイスを参照しながら説明される。端末デバイスは、アクセス端末、加入者ユニット、加入者局、移動局、リモート局、リモート端末、モバイルデバイス、ユーザ端末、端末、ワイヤレス通信デバイス、ユーザエージェント、またはユーザ装置と呼ばれることもある。アクセス端末は、セルラーフォン、コードレス電話、SIP(Session Initiation Protocol、セッション開始プロトコル)電話、WLL(Wireless Local Loop、ワイヤレスローカルループ)ステーション、PDA(Personal Digital Assistant、携帯情報端末)、ワイヤレス通信機能を有するハンドヘルドデバイス、コンピューティングデバイス、ワイヤレスモデムに接続された別の処理デバイス、車載デバイス、ウェアラブルデバイス、または将来の5Gネットワークにおける端末デバイスであってよい。
【００９１】
加えて、本発明の各実施形態が、ネットワークデバイスを参照しながら説明される。ネットワークデバイスは、モバイルデバイスと通信するために使用されてよく、ネットワークデバイスは、GSM(登録商標)(Global System for Mobile communication、モバイル通信のグローバルシステム)もしくはCDMA(Code Division Multiple Access、符号分割多元接続)におけるBTS(Base Transceiver Station、トランシーバ基地局)であってよく、またはWCDMA(登録商標)(Wideband Code Division Multiple Access、ワイドバンド符号分割多元接続)におけるNB(NodeB、ノードB)であってよく、あるいは、さらにLTE(Long Term Evolution、ロングタームエボリューション)におけるeNBすなわちeノードB(Evolved Node B、発展型ノードB)、中継局もしくはアクセスポイント、車載デバイス、ウェアラブルデバイス、または将来の5Gネットワークにおけるネットワークデバイスなどであってよい。
【００９２】
加えて、本発明の態様または特徴は、標準的なプログラミング技術および/またはエンジニアリング技術を使用する方法、装置、または製品として実施され得る。本出願で使用する「製品」という用語は、任意のコンピュータ可読構成要素、キャリア、または媒体からアクセスされ得るコンピュータプログラムを包含する。たとえば、コンピュータ可読媒体は、限定はしないが、磁気記憶構成要素(たとえば、ハードディスク、フロッピーディスク、または磁気テープ)、光ディスク(たとえば、CD(Compact Disk、コンパクトディスク)、DVD(Digital Versatile Disk、デジタル多用途ディスク)、スマートカードおよびフラッシュメモリ構成要素(たとえば、EPROM(Erasable Programmable Read-Only Memory、消去可能プログラマブル読取り専用メモリ)、カード、スティック、またはキードライブ)を含んでよい。加えて、本明細書で説明する様々な記憶媒体は、情報を記憶するために使用される1つまたは複数のデバイスおよび/または他の機械可読媒体を示し得る。「機械可読媒体」という用語は、限定はしないが、無線チャネル、ならびに命令および/またはデータを記憶し得、含み得、かつ/または搬送し得る、様々な他の媒体を含んでよい。
【００９３】
図1は、本発明による変調およびコーディング方式を決定するための方法を使用する通信システムの概略図である。図1に示すように、通信システム100は、ネットワークデバイス102を含み、ここで、ネットワークデバイス102は、複数のアンテナグループを含み得る。各アンテナグループは、1つまたは複数のアンテナを含み得る。たとえば、あるアンテナグループはアンテナ104および106を含み得、別のアンテナグループはアンテナ108および110を含み得、追加のグループはアンテナ112および114を含み得る。図1は、アンテナグループごとに2つのアンテナを示すが、より多数またはより少数のアンテナが各グループ用に使用されてもよい。ネットワークデバイス102は、追加として、送信機チェーンおよび受信機チェーンを含み得る。送信機チェーンと受信機チェーンの両方が、信号の送信および受信に関係する複数の構成要素(たとえば、プロセッサ、変調器、マルチプレクサ、復調器、デマルチプレクサ、またはアンテナ)を含み得ることを、当業者は理解し得る。
【００９４】
ネットワークデバイス102は、複数の端末デバイス(たとえば、端末デバイス116および端末デバイス122)と通信し得る。しかしながら、ネットワークデバイス102が、端末デバイス116または122と類似の、任意の数量の端末デバイスと通信できることが理解され得る。端末デバイス116および122は、たとえば、セルラーフォン、スマートフォン、ポータブルコンピュータ、ハンドヘルド通信デバイス、ハンドヘルドコンピューティングデバイス、衛星無線装置、全地球測位システム、PDA、および/またはワイヤレス通信システム100における通信のために使用される任意の他の適切なデバイスであってよい。
【００９５】
図1に示すように、端末デバイス116は、アンテナ112および114と通信し、ここで、アンテナ112および114は、順方向リンク118を通じて端末デバイス116へ情報を送信し、逆方向リンク120を通じて端末デバイス116から情報を受信する。加えて、端末デバイス122は、アンテナ104および106と通信し、ここで、アンテナ104および106は、順方向リンク124を通じて端末デバイス122へ情報を送信し、逆方向リンク126を通じて端末デバイス122から情報を受信する。
【００９６】
たとえば、周波数分割複信(FDD、Frequency Division Duplex)システムでは、たとえば、順方向リンク118は、逆方向リンク120によって使用されるものと異なる周波数帯域を使用し得、順方向リンク124は、逆方向リンク126によって使用されるものと異なる周波数帯域を使用し得る。
【００９７】
別の例として、時分割複信(TDD、Time Division Duplex)システムおよび全二重(Full Duplex)システムでは、順方向リンク118および逆方向リンク120が同じ周波数帯域を使用し得、順方向リンク124および逆方向リンク126が同じ周波数帯域を使用し得る。
【００９８】
通信のために設計された各アンテナグループおよび/または各エリアは、ネットワークデバイス102のセクタと呼ばれる。たとえば、アンテナグループは、ネットワークデバイス102のカバレージエリアのセクタの中の端末デバイスと通信するように設計され得る。ネットワークデバイス102が、順方向リンク118および124を通じて、それぞれ、端末デバイス116および122と通信するプロセスでは、ネットワークデバイス102の送信アンテナは、順方向リンク118および124の信号対干渉雑音比を改善するためにビームフォーミングを使用し得る。加えて、ネットワークデバイスによってサービスされるすべての端末デバイスへ信号を送信するためにネットワークデバイスが単一のアンテナしか使用しない様式とは対照的に、関係するカバレージエリアの中でランダムに分散されている端末デバイス116および122へ信号を送信するためにネットワークデバイス102がビームフォーミングを使用するとき、隣接セルの中のモバイルデバイスはより少ない干渉しか受信しなくてすむ。
【００９９】
所与の時間において、ネットワークデバイス102、端末デバイス116、または端末デバイス122は、ワイヤレス通信送信装置および/またはワイヤレス通信受信装置であり得る。データ伝送中、ワイヤレス通信送信装置は、送信のためにデータを符号化し得る。詳細には、ワイヤレス通信送信装置は、チャネルを通じてワイヤレス通信受信装置へ送信されることが必要な一定量のデータビットを、取得(たとえば、生成、別の通信装置から受信、またはメモリに記憶)し得る。そのようなデータビットは、データのトランスポートブロック(または、複数のトランスポートブロック)に含められてよく、ここで、トランスポートブロックは、複数のコードブロックを生成するためにセグメント化され得る。
【０１００】
本発明の一実施形態による変調およびコーディング方式を決定するための方法および装置を使用する通信システム100において、ネットワークデバイスとのデータ伝送を実行するために、複数の端末デバイスが同じ時間期間の中で同じ時間周波数リソースを再使用することに留意されたい。加えて、たとえば、リソース要素(RE、Resource Element)を単位とする時間周波数リソース分割の様式では、同じ時間周波数リソースは、複数のREを含む時間周波数リソースブロック(時間周波数リソースグループと呼ばれることもある)であり得、複数のREは、時間領域における同じ位置(すなわち、同じシンボルに対応する)かつ周波数領域における異なる位置(すなわち、異なるサブキャリアに対応する)にあってよく、または複数のREが、時間領域における異なる位置(すなわち、異なるシンボルに対応する)かつ周波数領域における同じ位置(すなわち、同じサブキャリアに対応する)にあってもよい。このことは、本発明において特に限定されない。
【０１０１】
随意に、通信システムは、スパースコード多元接続通信システムであり、時間周波数リソースは、少なくとも2つのリソース要素REを含む時間周波数リソースブロックである。
【０１０２】
詳細には、スパースコード多元接続(SCMA、Sparse Code Multiple Access)は、新たな多元接続モードにある。このアクセスモードでは、複数のユーザが、データ伝送を実行するために同じ時間周波数リソースブロックを再使用する。各リソースブロックは、いくつかのリソースREを含む。本明細書でのREは、OFDM技術でのサブキャリアシンボルユニットであり得るか、または別のエアインターフェース技術での時間領域もしくは周波数領域におけるリソース要素であり得る。たとえば、K個の端末デバイスを含むSCMAシステムでは、利用可能なリソースはいくつかの直交時間周波数リソースブロックに分割され、各リソースブロックはL個のREを含み、ここで、L個のREは時間領域における同じ位置にあってよい。端末デバイス#kがデータを送信するとき、最初に、送信されるべきデータはサイズがSビットのデータブロックに分割される。端末デバイス#kのコードブック(ネットワークデバイスによって決定され端末デバイスに配信される)が照会され、各データブロックが変調シンボルのグループX#k={X#k1,X#k2,...,X#kL}にマッピングされ、ここで、各変調シンボルはリソースブロックの中の1つのREに対応する。次いで、変調シンボルに従って信号波形が生成される。サイズがSビットのデータブロックに対して、各コードブックは、2S個の可能なデータブロックに対応する2S個の異なる変調シンボルグループを含む。
【０１０３】
上記のコードブックはコードワードセットであり、コードワードは情報ビットから送信シンボルへのマッピング関係である。すなわち、コードブックはそのようなマッピング関係のセットである。
【０１０４】
加えて、SCMAでは、各端末デバイスに対応する変調シンボルX#k={X#k1,X#k2,...,X#kL}のグループの中で、少なくとも1つのシンボルが0シンボルであり、少なくとも1つのシンボルが非0シンボルである。すなわち、端末デバイスのデータに対して、L個のREのうちの一部のRE(少なくとも1つのRE)だけが端末デバイスのデータを搬送する。
【０１０５】
上で図示したSCMAシステムは、本発明による変調およびコーディング方式を決定するための方法および装置を使用する通信システムの一例にすぎないことを理解されたい。しかしながら、本発明はそれに限定されない。端末デバイスがデータ伝送を実行するために同じ時間期間の中で同じ時間周波数リソースを再使用することを可能にするすべての他の通信システムが、本発明の保護範囲に入るものとする。
【０１０６】
理解および説明しやすいように、以下の実施形態では、別段に規定されていない限り、本発明の一実施形態による変調およびコーディング方式を決定するための方法は、一例としてSCMAシステムにおける適用例を使用することによって説明される。
【０１０７】
加えて、本発明の一実施形態では、複数の端末デバイスがネットワークデバイスとの伝送を実行するために同じ時間周波数リソースを再使用するので、ネットワークデバイスは同時に複数の端末デバイスとのデータ伝送を実行し得る。ネットワークデバイスと端末デバイスとの間のデータ伝送プロセスが類似であるので、理解および説明しやすいように、下記のことは、説明のための一例として、ネットワークデバイスと、複数の端末デバイスの中の端末デバイス#1(すなわち、第1の端末デバイスの一例)との間のデータ伝送プロセスを使用する。
【０１０８】
図2は、本発明の一実施形態による変調およびコーディング方式を決定するための方法200の概略フローチャートであり、ここで、方法は、ネットワークデバイスの観点から説明される。方法200は、ネットワークデバイスによって実行される。図2に示すように、方法200は以下のことを含む。
【０１０９】
S210。ネットワークデバイスからダウンリンクデータを受信するために第1の時間期間の中で第1の時間周波数リソースを再使用する端末デバイスの数量Kを決定し、ここで、K≧2である。
【０１１０】
S220。チャネル品質インジケータCQIを取得し、ここで、CQIは、チャネルの信号対干渉雑音比SINRおよび端末デバイスの数量Kに従って決定され、ここで、チャネルは、第1の時間周波数リソースに基づくチャネルであり、チャネルは、第1の端末デバイスとネットワークデバイスとの間のダウンリンクデータを第1の時間期間の中で伝送するために使用される。
【０１１１】
S230。第1の端末デバイスの変調およびコーディング方式MCSをCQIに従って決定する。
【０１１２】
方法200は、ダウンリンク伝送に適用され得る。上記で説明したように、ネットワークデバイスは、同じ時間期間(理解および区別しやすいように、以下で時間期間#Aとして示す第1の時間期間を含む)の中で、端末デバイス#1を含むK個の端末デバイスとのデータ伝送を実行するために、(たとえば、SCMAモードにおける)同じ時間周波数リソースを使用することを決定し得る。
【０１１３】
ネットワークデバイスは、端末デバイス#1用のダウンリンク伝送情報を決定し得、ここで、ダウンリンク伝送情報は、以下の情報、すなわち、
ダウンリンク伝送を実行するために時間期間#A(すなわち、第1の時間期間の一例)の中で端末デバイス#1によって使用されるコードブックと、
ダウンリンク伝送を実行するために時間期間#Aの中で端末デバイス#1によって使用される時間周波数リソースブロック#Aであって、ここで、時間周波数リソースブロック#Aが、複数のRE(たとえば、同じシンボルに対応し、異なるサブキャリアに対応する)を含み、ここで、端末デバイス#1を含む複数の端末デバイスが、ダウンリンク伝送を実行するために時間周波数リソースブロック#Aを再使用する、時間周波数リソースブロック#Aと、
ダウンリンク伝送を実行するために時間期間#Aの中で端末デバイス#1によって使用される初期MCSとを含む。
【０１１４】
加えて、ネットワークデバイスは、ダウンリンク伝送情報を端末デバイス#1へ、たとえば、制御チャネルまたはブロードキャストチャネルを通じて伝送し得る。
【０１１５】
上で図示したダウンリンク伝送情報が一例にすぎないことを理解されたい。本発明はそれに限定されない。従来のSCMAにおいて、ダウンリンク伝送のために使用され、ダウンリンク伝送が実行される前にネットワークデバイスによって端末デバイスに配信されるすべての他の情報が、本発明の保護範囲に入るものとする。以下で繰返しを避けるために、類似のケースについての詳細な説明は省略する。
【０１１６】
したがって、端末デバイス#1は、ダウンリンクデータを搬送する時間周波数リソースブロック#Aの位置(時間領域位置および周波数領域位置を含む)、および復号処理がダウンリンク伝送データに対して実行されるときに使用される初期MCSを、ダウンリンク伝送情報に従って決定することができる。
【０１１７】
その後、ネットワークデバイスは、決定された初期MCSに従って、端末デバイス#1へ伝送されることが必要なデータ(たとえば、元のビットシーケンス)に対するコーディング処理を実行してダウンリンクデータ(すなわち、データの一例)を生成し得、ダウンリンクデータを端末デバイス#1へ、時間期間#Aの中で時間周波数リソースブロック#A(すなわち、チャネルの一例)に基づくチャネル#Aを通じて伝送し得る。
【０１１８】
端末デバイス#1は、時間期間#Aの中でチャネル#Aを通じてダウンリンクデータを受信することができ、初期MCSを使用することによってダウンリンクデータに対する復号処理を実行して、ネットワークデバイスがコーディング処理を実行する前に存在していたデータ(たとえば、元のビットシーケンス)にダウンリンクデータを復元することができる。
【０１１９】
本発明のこの実施形態では、ネットワークデバイスによるコーディング処理、端末デバイス#1による復号処理、およびダウンリンクデータの伝送プロセスは、従来技術におけるものと類似であってよいことに留意されたい。本明細書では繰返しを避けるために、それの詳細な説明は省略する。
【０１２０】
その後、ネットワークデバイスは、チャネル#AのCQIを決定し得、ここで、CQIは、端末デバイスの数量K、およびネットワークデバイスと端末デバイス#1との間のチャネルのSINRに従って決定される。
【０１２１】
随意に、CQIは、チャネルのSINR、端末デバイスの数量K、および第1の復号反復回数に従って決定され、ここで、第1の復号反復回数は、第1の端末デバイスがダウンリンクデータに対する復号処理を実行するときに実行された復号反復の回数である。
【０１２２】
随意に、CQIは、チャネルのSINR、端末デバイスの数量K、第1の肯定応答メッセージの数量、および第1の否定応答メッセージの数量に従って決定され、ここで、第1の肯定応答メッセージは、ダウンリンクデータのためのハイブリッド自動再送要求HARQプロセスの中で第1の端末デバイスによってネットワークデバイスへ送られた肯定応答メッセージであり、第1の否定応答メッセージは、HARQプロセスの中で第1の端末デバイスによってネットワークデバイスへ送られた否定応答メッセージである。
【０１２３】
随意に、CQIは、チャネルのSINR、端末デバイスの数量K、第1の復号反復回数、第1の肯定応答メッセージの数量、および第1の否定応答メッセージの数量に従って決定され、ここで、第1の復号反復回数は、第1の端末デバイスがダウンリンクデータに対する復号処理を実行するときに実行された復号反復の回数であり、第1の肯定応答メッセージは、ダウンリンクデータのためのハイブリッド自動再送要求HARQプロセスの中で第1の端末デバイスによってネットワークデバイスへ送られた肯定応答メッセージであり、第1の否定応答メッセージは、HARQプロセスの中で第1の端末デバイスによってネットワークデバイスへ送られた否定応答メッセージである。
【０１２４】
詳細には、本発明のこの実施形態では、端末デバイスの数量K、およびネットワークデバイスと端末デバイス#1との間のチャネルのSINRに加えて、復号反復回数、肯定応答メッセージの数量、および否定応答メッセージの数量の使用が、さらに考慮に入れられてよい。詳細な説明が、ネットワークデバイスおよび端末デバイス#1のアクションを参照しながら後で提供される。
【０１２５】
本発明のこの実施形態では、CQIは、事前設定規則に従ってネットワークデバイスによって決定されてよく(すなわち、様式1)、または事前設定規則に従って端末デバイス#1によって決定されネットワークデバイスに報告されてもよい(すなわち、様式2)。下記のことは、2つの様式をそれぞれ詳細に説明する。
【０１２６】
様式1
【０１２７】
CQIを処理するためにネットワークデバイスによって使用される異なる事前設定規則(すなわち、使用されるパラメータ)に従って、様式1は、様式1a、様式1b、様式1c、および様式1dに分類され得る。
【０１２８】
様式1a
【０１２９】
事前設定規則の一例は、端末デバイス#1によってフィードバックされたCQIを、端末デバイスの数量Kのみに基づいて処理することであり得る。
【０１３０】
随意に、方法は、第1の端末デバイスによって送られた第3のインジケータ情報を受信することであって、ここで、第3のインジケータ情報が、第1の端末デバイスによってフィードバックされるCQIを示すために使用され、第1の端末デバイスによってフィードバックされるCQIが、チャネルのSINRに従って第1の端末デバイスによって決定されることと、
CQIを決定するために、第1の端末デバイスによってフィードバックされたCQIを端末デバイスの数量Kに従って処理することとをさらに含む。
【０１３１】
詳細には、端末デバイス#1は、チャネル#AのSINRに対応するCQI値(理解および区別しやすいように、以下でCQI#1として示す)を、第3のインジケータ情報を使用することによってネットワークデバイスへ送るために、ダウンリンクデータの中で搬送されたパイロット情報、たとえば、セル固有基準信号(CRS、Cell-specific Reference Signal)によるチャネル#Aに対するチャネル推定を実行し得、チャネル#AのSINRをさらに計算し得る。
【０１３２】
上で図示したチャネル#AのSINRを端末デバイス#1によって決定するための方法およびプロセスは、例にすぎず、本発明において特に限定されず、またチャネルのSINRを決定するために端末デバイスによって使用される別の従来技術におけるものと類似であってもよいことを理解されたい。本明細書では繰返しを避けるために、それの詳細な説明は省略する。加えて、類似のケースについての説明は以下で省略する。
【０１３３】
したがって、ネットワークデバイスは、端末デバイスの数量Kに従ってCQI#1を処理し得る。
【０１３４】
たとえば、ネットワークデバイスは、下の式1に基づいてCQI#1を処理してよい。
【０１３５】
【数１】
0006522757.tif 000002
【０１３６】
本式において、MCQIは処理済みCQI(理解しやすいように、CQI#2として示す)を示し、SINRはCQI#1に対応するチャネル#AのそのSINRを示し、ue_numは端末デバイスの数量Kを示し、a、b、c、およびdは事前設定された定数であり、a、b、c、およびdの値範囲は(0,1]であってよく、a、b、c、およびdの間の関係はa>b>c>dであってよく、w、x、y、およびzは事前設定された正の整数であってよい。加えて、CQIに基づいてSINRを決定するための方法は、従来技術におけるものと類似であってよい。本明細書では繰返しを避けるために、それの詳細な説明は省略する。加えて、類似のケースについての説明は以下で省略する。
【０１３７】
様式1b
【０１３８】
事前設定規則の別の例は、端末デバイス#1によってフィードバックされたCQIを、端末デバイスの数量K、ならびにダウンリンクデータのためのハイブリッド自動再送要求(HARQ、Hybrid Automatic Repeat Request)プロセスの中で、第1の端末デバイスによってネットワークデバイスへ送られる肯定応答メッセージおよび否定応答メッセージの数量に従って処理することであり得る。
随意に、方法は、
第1の肯定応答メッセージの数量および第1の否定応答メッセージの数量を決定することをさらに含み、ここで、第1の肯定応答メッセージは、ダウンリンクデータのためのHARQプロセスの中で第1の端末デバイスによってネットワークデバイスへ送られた肯定応答メッセージであり、第1の否定応答メッセージは、HARQプロセスの中で第1の端末デバイスによってネットワークデバイスへ送られた否定応答メッセージであり、
第1の端末デバイスによってフィードバックされたCQIを端末デバイスの数量Kに従って処理することは、
第1の端末デバイスによってフィードバックされたCQIを、端末デバイスの数量K、第1の肯定応答メッセージの数量、および第1の否定応答メッセージの数量に従って処理することを含む。
【０１３９】
詳細には、端末デバイス#1およびネットワークデバイスは、様式1aと類似の様式でCQI#1情報を伝送し得る。
【０１４０】
加えて、ネットワークデバイスとのダウンリンクデータを伝送するプロセスでは、ネットワークデバイスは、HARQプロセスの中で、端末デバイス#1によってネットワークデバイスへ送られた肯定応答(ACK)メッセージの数量、および端末デバイス#1からネットワークデバイスへ送られた否定応答(NACK)メッセージの数量を、記録し得る。加えて、本発明のこの実施形態では、端末デバイス#1とネットワークデバイスとの間で実行されるHARQプロセスは、従来技術におけるものと類似であってよい。本明細書では繰返しを避けるために、それの詳細な説明は省略する。加えて、類似のケースについての説明は以下で省略する。
【０１４１】
したがって、ネットワークデバイスは、端末デバイスの数量K、ACKメッセージの数量、およびNACKメッセージの数量に従って、CQI#1を処理し得る。
【０１４２】
たとえば、ネットワークデバイスは、下の式2に基づいてCQI#1を処理してよい。
【０１４３】
【数２】
0006522757.tif 000003
【０１４４】
本式において、MCQIは処理済みCQI(理解しやすいように、CQI#3として示す)を示し、SINRはチャネル#AのSINRを示し、ue_numは端末デバイスの数量Kを示し、N_ackは肯定応答メッセージの数量を示し、N_nackは否定応答メッセージの数量を示し、a、b、c、d、およびeは事前設定された定数であり、a、b、c、およびdの値範囲は(0,1]であってよく、a、b、c、およびdの間の関係はa>b>c>dであってよく、w、x、y、およびzは事前設定された正の整数であってよい。
【０１４５】
様式1c
【０１４６】
事前設定規則の別の例は、端末デバイス#1によってフィードバックされたCQIを、端末デバイスの数量K、およびダウンリンクデータに対して端末デバイス#1によって実行される復号反復の回数に従って処理することであり得る。すなわち、
随意に、方法は、
第1の端末デバイスによって送られた第4のインジケータ情報を受信することをさらに含むことをさらに含み、ここで、第4のインジケータ情報は、第1の復号反復回数を示すために使用され、ここで、第1の復号反復回数は、第1の端末デバイスがダウンリンクデータに対する復号処理を実行するときに実行された復号反復の回数であり、
第1の端末デバイスによってフィードバックされたCQIを端末デバイスの数量Kに従って処理することは、
第1の端末デバイスによってフィードバックされたCQIを、端末デバイスの数量Kおよび第1の復号反復回数に従って処理することを含む。
【０１４７】
詳細には、端末デバイス#1およびネットワークデバイスは、様式1aと類似の様式でCQI#1情報を伝送し得る。
【０１４８】
加えて、本発明のこの実施形態では、端末デバイス#1は、複数回の反復によってダウンリンクデータを復号し得る。反復的な様式で復号を実行するための方法は、turbo復号、SCMA復号などであってよい。加えて、反復的な様式で復号を実行するための方法の特定の実施プロセスは、従来技術におけるものと類似であってよい。本明細書では繰返しを避けるために、それの詳細な説明は省略する。加えて、類似のケースについての説明は以下で省略する。
【０１４９】
加えて、端末デバイス#1は、復号反復回数をネットワークデバイスへ(第4のインジケータ情報を使用することによって)送り得る。
【０１５０】
したがって、ネットワークデバイスは、端末デバイスの数量Kおよび復号反復回数に従ってCQI#1を処理し得る。
【０１５１】
たとえば、ネットワークデバイスは、下の式3に基づいてCQI#1を処理してよい。
【０１５２】
【数３】
0006522757.tif 000004
【０１５３】
本式において、MCQIは処理済みCQI(理解しやすいように、CQI#4として示す)を示し、SINRはチャネル#AのSINRを示し、ue_numは端末デバイスの数量Kを示し、m'は復号反復回数を示し、a、b、c、d、e、f、g、h、およびiは事前設定された定数であり、a、b、c、およびdの値範囲は(0,1]であってよく、a、b、c、およびdの間の関係はa>b>c>dであってよく、f、g、h、およびiは1以上の数値であってよく、f、g、h、およびiの間の関係はi>h>g>fであってよく、w、x、y、およびzは事前設定された正の整数であってよい。
【０１５４】
様式1d
【０１５５】
事前設定規則のまた別の例は、端末デバイス#1によってフィードバックされたCQIを、端末デバイスの数量K、HARQプロセスの中でダウンリンクデータのために端末デバイス#1によってネットワークデバイスへ送られる肯定応答メッセージおよび否定応答メッセージの数量、ならびにダウンリンクデータに対して端末デバイス#1によって実行される復号反復の回数に従って処理することであり得る。すなわち、
随意に、方法は、
第1の端末デバイスによって送られた第4のインジケータ情報を受信することであって、ここで、第4のインジケータ情報が、第1の復号反復回数を示すために使用され、ここで、第1の復号反復回数が、第1の端末デバイスがダウンリンクデータに対する復号処理を実行するときに実行された復号反復の回数であることと、
第1の肯定応答メッセージの数量および第1の否定応答メッセージの数量を決定することであって、ここで、第1の肯定応答メッセージが、ダウンリンクデータのためのHARQプロセスの中で第1の端末デバイスによってネットワークデバイスへ送られた肯定応答メッセージであって、第1の否定応答メッセージが、HARQプロセスの中で第1の端末デバイスによってネットワークデバイスへ送られた否定応答メッセージであることとをさらに含み、
第1の端末デバイスによってフィードバックされたCQIを端末デバイスの数量Kに従って処理することは、
第1の端末デバイスによってフィードバックされたCQIを、端末デバイスの数量K、第1の復号反復回数、第1の肯定応答メッセージの数量、および第1の否定応答メッセージの数量に従って処理することを含む。
【０１５６】
詳細には、端末デバイス#1およびネットワークデバイスは、様式1aと類似の様式でCQI#1情報を伝送し得る。
【０１５７】
加えて、ネットワークデバイスは、様式1bと類似の様式でACKメッセージの数量およびNACKメッセージの数量を決定し得る。ネットワークデバイスは、様式1cと類似の様式で復号反復回数を決定し得る。
【０１５８】
したがって、ネットワークデバイスは、端末デバイス#1によってフィードバックされたCQIを、端末デバイスの数量K、復号反復回数、ACKメッセージの決定された数量、およびNACKメッセージの決定された数量に従って処理し得る。
【０１５９】
たとえば、CQI#1は、下の式4に基づいて処理されてよい。
【０１６０】
【数４】
0006522757.tif 000005
【０１６１】
本式において、MCQIは処理済みCQI(理解しやすいように、CQI#5として示す)を示し、SINRはチャネル#AのSINRを示し、ue_numは端末デバイスの数量Kを示し、N_ackは肯定応答メッセージの数量を示し、N_nackは否定応答メッセージの数量を示し、m'は復号反復回数を示し、a、b、c、d、e、f、g、h、およびiは事前設定された定数であり、a、b、c、およびdの値範囲は(0,1]であってよく、a、b、c、およびdの間の関係はa>b>c>dであってよく、f、g、h、およびiは1以上の数値であってよく、f、g、h、およびiの間の関係はi>h>g>fであってよく、w、x、y、およびzは事前設定された正の整数であってよい。
【０１６２】
したがって、ネットワークデバイスは、処理済みCQIの数値に従って、初期MCSに対して更新処理を実行し得る。本発明のこの実施形態では、更新処理プロセスは、従来技術におけるものと類似であってよい。たとえば、処理済みCQIの数値が特定のしきい値よりも大きいときにMCSは増大し、処理済みCQIの数値が特定のしきい値よりも小さいときにMCSは減少し、変更されたMCSが端末デバイス#1に配信される。
【０１６３】
図3は、様式1に対応する本発明のこの実施形態における、ネットワークデバイスと端末デバイス#1との間の相互作用の概略図を示す。図3に示すように、ステップS310において、ネットワークデバイスは、復号処理を実行するために使用される情報、たとえば、上記の初期MCSを含む上記のダウンリンク伝送情報を、端末デバイス#1に配信する。
【０１６４】
ステップS320において、ネットワークデバイスは、コーディング処理を実行してダウンリンクデータを生成する。
【０１６５】
ステップS330において、ネットワークデバイスは、ダウンリンクデータを端末デバイス#1へ送る。
【０１６６】
ステップS340において、端末デバイス#1は、ダウンリンクデータを伝送するために使用されるチャネル(たとえば、上記のチャネル#A)のSINRを決定し、ダウンリンクデータに対する復号を実行する。随意に、端末デバイス#1は、さらに復号反復回数を記録してもよい。
【０１６７】
ステップS350において、端末デバイス#1は、チャネル#AのSINRに対応するCQIをネットワークデバイスにフィードバックする。随意に、端末デバイス#1は、復号反復回数をさらにフィードバックしてもよい。
【０１６８】
ステップS360において、ネットワークデバイスは、端末デバイス#1によってフィードバックされたCQIを、端末デバイス#1を含み時間周波数リソースブロック#Aを再使用する端末デバイスの数量Kに基づいて処理する。
【０１６９】
随意に、ネットワークデバイスは、端末デバイス#1によってフィードバックされたCQIを、端末デバイスの数量K、ならびにHARQプロセスにおけるACKメッセージの数量およびNACKメッセージの数量に基づいて、さらに処理してもよい。
【０１７０】
随意に、ネットワークデバイスは、端末デバイス#1によってフィードバックされたCQIを、端末デバイスの数量K、および端末デバイス#1によってフィードバックされた復号反復回数に基づいてさらに処理してもよい。
【０１７１】
随意に、ネットワークデバイスは、端末デバイス#1によってフィードバックされたCQIを、端末デバイスの数量K、HARQプロセスにおけるACKメッセージの数量およびNACKメッセージの数量、ならびに端末デバイス#1によってフィードバックされた復号反復回数に基づいて、さらに処理してもよい。
【０１７２】
ステップS370において、ネットワークデバイスは、処理済みCQIに従って、ステップS310において決定されたMCSに対する更新処理をさらに実行し得、たとえば、処理済みCQIが事前設定されたしきい値よりも大きい場合、MCSを増大させ得、変更されたMCSを端末デバイス#1に配信し得る。
【０１７３】
様式2
【０１７４】
CQIを処理するために端末デバイス#1によって使用される異なる事前設定規則(すなわち、使用されるパラメータ)に従って、様式2は、様式2a、様式2b、様式2c、および様式2dに分類され得る。
【０１７５】
様式2a
【０１７６】
事前設定規則の一例は、端末デバイスの数量Kに従ってCQIを処理することであり得る。
【０１７７】
随意に、CQIを取得することは、
第1のインジケータ情報を第1の端末デバイスへ送ることであって、ここで、第1のインジケータ情報が、端末デバイスの数量Kを示すために使用されることと、
第1の端末デバイスによって送られた第2のインジケータ情報を受信することであって、ここで、第2のインジケータ情報が、CQIを示すために使用され、CQIが、チャネルのSINRおよび端末デバイスの数量Kに従って、第1の端末デバイスによって決定されることとを含む。
【０１７８】
詳細には、ネットワークデバイスは、第1のインジケータ情報を端末デバイス#1へ送り得、ここで、第1のインジケータ情報は、端末デバイス#1を含みダウンリンク伝送を実行するために上記の時間周波数リソースブロック#Aを再使用する端末デバイスの数量Kを示し得る。
【０１７９】
端末デバイス#1は、ダウンリンクデータの中で搬送されたパイロット情報(たとえば、CRS)によるチャネル#Aに対するチャネル推定を実行し得、チャネル#AのSINRをさらに計算し得、チャネル#AのSINRに対応するCQI(すなわち、上記のCQI#1)を決定し得る。プロセスは、従来技術におけるものと類似であってよい。本明細書では繰返しを避けるために、それの詳細な説明は省略する。
【０１８０】
したがって、端末デバイス#1は、端末デバイスの数量Kに従ってCQI#1を処理し得る。処理プロセスは、ネットワークデバイスがCQI#1を処理してCQI#2を決定するプロセスと類似であってよい。その後、端末デバイス#1は、第2のインジケータ情報を使用することによって、処理済みCQIをネットワークデバイスへ送り得る。
【０１８１】
様式2b
【０１８２】
事前設定規則のまた別の例は、端末デバイスの数量K、ならびにダウンリンクデータのためのHARQプロセスの中で端末デバイス#1によってネットワークデバイスへ送られる肯定応答メッセージおよび否定応答メッセージの数量に従って、CQIを処理することであり得る。すなわち、
随意に、CQIを取得することは、
第1のインジケータ情報を第1の端末デバイスへ送ることであって、ここで、第1のインジケータ情報が、端末デバイスの数量Kを示すために使用されることと、
第1の端末デバイスによって送られた第2のインジケータ情報を受信することであって、ここで、第2のインジケータ情報が、CQIを示すために使用され、CQIが、チャネルのSINR、端末デバイスの数量K、第1の肯定応答メッセージの数量、および第1の否定応答メッセージの数量に従って、第1の端末デバイスによって決定され、ここで、第1の肯定応答メッセージが、ダウンリンクデータのためのハイブリッド自動再送要求HARQプロセスの中で第1の端末デバイスによってネットワークデバイスへ送られた肯定応答メッセージであり、第1の否定応答メッセージが、HARQプロセスの中で第1の端末デバイスによってネットワークデバイスへ送られた否定応答メッセージであることとを含む。
【０１８３】
詳細には、ネットワークデバイスは、第1のインジケータ情報を端末デバイス#1へ送り得、ここで、第1のインジケータ情報は、端末デバイス#1を含みダウンリンク伝送を実行するために上記の時間周波数リソースブロック#Aを再使用する端末デバイスの数量Kを示し得る。
【０１８４】
端末デバイス#1は、様式2bと類似の様式でCQI#1を決定し得る。
【０１８５】
加えて、端末デバイス#1は、ネットワークデバイスとのダウンリンクデータを伝送するプロセスにおけるHARQプロセスの中で、端末デバイス#1によってネットワークデバイスへ送られた肯定応答(ACK)メッセージの数量、および端末デバイス#1によってネットワークデバイスへ送られた否定応答(NACK)メッセージの数量を、記録し得る。
【０１８６】
したがって、端末デバイス#1は、端末デバイスの数量K、ACKメッセージの数量、およびNCKメッセージの数量に従ってCQI#1を処理し得る。処理プロセスは、ネットワークデバイスがCQI#1を処理してCQI#3を決定するプロセスと類似であってよい。その後、端末デバイス#1は、第2のインジケータ情報を使用することによって、処理済みCQIをネットワークデバイスへ送り得る。
【０１８７】
様式2c
【０１８８】
事前設定規則のまた別の例は、端末デバイスの数量K、およびダウンリンクデータに対して端末デバイス#1によって実行される復号反復の回数に従ってCQIを処理することであり得る。すなわち、
随意に、CQIを取得することは、
第1のインジケータ情報を第1の端末デバイスへ送ることであって、ここで、第1のインジケータ情報が、端末デバイスの数量Kを示すために使用されることと、
第1の端末デバイスによって送られた第2のインジケータ情報を受信することであって、ここで、第2のインジケータ情報が、CQIを示すために使用され、CQIが、チャネルのSINR、端末デバイスの数量K、および第1の復号反復回数に従って、第1の端末デバイスによって決定され、ここで、第1の復号反復回数が、第1の端末デバイスがダウンリンクデータに対する復号処理を実行するときに実行された復号反復の回数であることとを含む。
【０１８９】
詳細には、ネットワークデバイスは、第1のインジケータ情報を端末デバイス#1へ送り得、ここで、第1のインジケータ情報は、端末デバイス#1を含みダウンリンク伝送を実行するために上記の時間周波数リソースブロック#Aを再使用する端末デバイスの数量Kを示し得る。
【０１９０】
端末デバイス#1は、様式2bと類似の様式でCQI#1を決定し得る。
【０１９１】
加えて、本発明のこの実施形態では、端末デバイス#1は、複数回の反復によってダウンリンクデータを復号し得る。反復的な様式で復号を実行するための方法は、turbo復号、SCMA復号などであってよい。したがって、端末デバイス#1は、復号反復回数を決定することができる。
【０１９２】
したがって、端末デバイス#1は、端末デバイスの数量Kおよび復号反復回数に従ってCQI#1を処理し得る。処理プロセスは、ネットワークデバイスがCQI#1を処理してCQI#4を決定するプロセスと類似であってよい。その後、端末デバイス#1は、第2のインジケータ情報を使用することによって、処理済みCQIをネットワークデバイスへ送り得る。
【０１９３】
様式2d
【０１９４】
事前設定規則のまた別の例は、端末デバイスの数量K、ダウンリンクデータに対して端末デバイス#1によって実行される復号反復の回数、ならびにダウンリンクデータのためのHARQプロセスの中で端末デバイス#1によってネットワークデバイスへ送られる肯定応答メッセージおよび否定応答メッセージの数量に従って、CQIを処理することであり得る。すなわち、
随意に、CQIを取得することは、
第1のインジケータ情報を第1の端末デバイスへ送ることであって、ここで、第1のインジケータ情報が、端末デバイスの数量Kを示すために使用されることと、
第1の端末デバイスによって送られた第2のインジケータ情報を受信することであって、ここで、第2のインジケータ情報が、CQIを示すために使用され、CQIが、チャネルのSINR、端末デバイスの数量K、第1の肯定応答メッセージの数量、および第1の否定応答メッセージの数量に従って、第1の端末デバイスによって決定され、ここで、第1の肯定応答メッセージが、ダウンリンクデータのためのハイブリッド自動再送要求HARQプロセスの中で第1の端末デバイスによってネットワークデバイスへ送られた肯定応答メッセージであり、第1の否定応答メッセージが、HARQプロセスの中で第1の端末デバイスによってネットワークデバイスへ送られた否定応答メッセージであることとを含む。
【０１９５】
詳細には、ネットワークデバイスは、第1のインジケータ情報を端末デバイス#1へ送り得、ここで、第1のインジケータ情報は、端末デバイス#1を含みダウンリンク伝送を実行するために上記の時間周波数リソースブロック#Aを再使用する端末デバイスの数量Kを示し得る。
【０１９６】
端末デバイス#1は、様式2bと類似の様式でCQI#1を決定し得る。
【０１９７】
加えて、本発明のこの実施形態では、端末デバイス#1は、複数回の反復によってダウンリンクデータを復号し得る。反復的な様式で復号を実行するための方法は、turbo復号、SCMA復号などであってよい。したがって、端末デバイス#1は、復号反復回数を決定することができる。
【０１９８】
加えて、端末デバイス#1は、ネットワークデバイスとのダウンリンクデータを伝送するプロセスにおけるHARQプロセスの中で、端末デバイス#1によってネットワークデバイスへ送られた肯定応答(ACK)メッセージの数量、および端末デバイス#1によってネットワークデバイスへ送られた否定応答(NACK)メッセージの数量を、記録し得る。
【０１９９】
したがって、端末デバイス#1は、端末デバイスの数量K、復号反復回数、ACKメッセージの数量、およびNCKメッセージの数量に従ってCQI#1を処理し得る。処理プロセスは、ネットワークデバイスがCQI#1を処理してCQI#5を決定するプロセスと類似であってよい。その後、端末デバイス#1は、第2のインジケータ情報を使用することによって、処理済みCQIをネットワークデバイスへ送り得る。
【０２００】
したがって、ネットワークデバイスは、端末デバイスの数量Kに基づいて端末デバイス#1によって決定されるCQIを取得し得、CQIに従ってMCSに対する更新処理を実行し得る。本発明のこの実施形態では、更新処理プロセスは、従来技術におけるものと類似であってよく、たとえば、CQIの数値が特定のしきい値よりも大きい(または、小さい)とき、MCSを増大(または、減少)させ、変更されたMCSを端末デバイス#1に配信する。
【０２０１】
図4は、様式2に対応する本発明のこの実施形態における、ネットワークデバイスと端末デバイス#1との間の相互作用の概略図を示す。図4に示すように、ステップS410において、ネットワークデバイスは、復号処理を実行するために使用される情報、たとえば、上記のダウンリンク伝送情報を、端末デバイス#1に配信し、ここで、ダウンリンク伝送情報は、上記の初期MCS、および端末デバイス#1を含み時間周波数リソースブロック#Aを再使用する端末デバイスの数量Kを含む。
【０２０２】
ステップS420において、ネットワークデバイスは、コーディング処理を実行してダウンリンクデータを生成する。
【０２０３】
ステップS430において、ネットワークデバイスは、ダウンリンクデータを端末デバイス#1へ送る。
【０２０４】
ステップS440において、端末デバイス#1は、ダウンリンクデータを伝送するために使用されるチャネル(たとえば、上記のチャネル#A)のSINRを決定し、チャネル#AのSINRに対応するCQIを決定し、端末デバイス#1を含み時間周波数リソースブロック#Aを再使用する端末デバイスの数量Kに従ってCQIを処理し得る。
【０２０５】
随意に、端末デバイス#1は、端末デバイスの数量K、ならびにHARQプロセスにおけるACKメッセージの数量およびNACKメッセージの数量に基づいて、CQIをさらに処理してもよい。
【０２０６】
随意に、端末デバイス#1は、端末デバイスの数量Kおよび復号反復回数に基づいてCQIをさらに処理してもよい。
【０２０７】
随意に、端末デバイス#1は、端末デバイスの数量K、HARQプロセスにおけるACKメッセージの数量およびNACKメッセージの数量、ならびに復号反復回数に基づいて、CQIをさらに処理してもよい。
【０２０８】
ステップS450において、端末デバイス#1は、処理済みCQIをネットワークデバイスへ送る。
【０２０９】
ステップS460において、ネットワークデバイスは、処理済みCQIに従って、ステップS410において決定されたMCSに対する更新処理を実行する。
【０２１０】
上で図示した端末デバイス#1がチャネルのSINRに基づいて決定されたCQIを処理するプロセスが一例にすぎないことを理解されたい。本発明はそれに限定されない。たとえば、マッピング関係エントリは、端末デバイス#1に事前記憶されてよく、ここで、マッピング関係エントリは、複数のパラメータセットと複数のCQIとの間の1対1マッピング関係を記録し得、複数のパラメータセットは、1つの端末デバイス数量値および1つのSINR値(または、SINR値に対応するCQI値)を含み得る。したがって、端末デバイスの数量KおよびチャネルのSINRを決定した後、端末デバイス#1は、対応するCQIをマッピング関係エントリに従って直接見つけ、そのCQIを処理済みCQIとして使用する。
【０２１１】
加えて、本発明のこの実施形態では、マッピング関係エントリの形態は、要件に従って決定されてよい。たとえば、端末デバイス数量値およびSINR値が、エントリの中の2つの項目として使用されてよく、マッピング関係エントリの中に(たとえば、エントリにおける2つの行または2つの列として)記録されてよい。代替として、複数のエントリが形成されてよく、ここで、各エントリは、SINR値とCQIとの間のマッピング関係を記録し、複数のエントリは、複数の端末デバイス数量値とのマッピング関係を有すべきである。すなわち、端末デバイスは、決定された端末デバイス数量値を使用することによって、端末デバイス数量値に対応しSINR値に基づいてCQIを決定するために使用されるエントリを見つけ得る。
【０２１２】
変調およびコーディング順位を決定するための従来の方法では、調整は、リンク(リンクは、複数のREを含む時間周波数リソースブロックに基づく)のSINR値、またはSINR値に対応するCQIの量子化された値のみに従って実行される。しかしながら、SCMAシステムでは、複数の端末デバイスが、データ伝送を実行するために同じ時間周波数リソースブロックを再使用する。複数の端末デバイスの間に干渉が存在することがあるので、ネットワークデバイスは、時間周波数リソースブロックのSINR値しか取得することができず、時間周波数リソースブロックを再使用する複数の端末デバイスの中の各端末デバイスの、それぞれのSINR値を取得することができない。したがって、変調およびコーディング方式を決定するための従来の方法は、SCMAシステムにおいて効果的に実施され得ない。
【０２１３】
対照的に、本発明のこの実施形態における変調およびコーディング方式を決定するための方法によれば、K個の端末デバイスは、ネットワークデバイスとのデータ伝送を実行するために同じ時間期間の中で同じ時間周波数リソースを再使用し、データは、時間周波数リソースに基づくチャネルを通じて第1の端末デバイスとネットワークデバイスとの間で伝送され、処理されたCQIが第1の端末デバイスのデータ伝送プロセスにおける干渉雑音を反映し得るように、チャネルの信号対干渉雑音比に基づいて決定されたCQIが端末デバイスの数量Kに従って処理され、調整された変調およびコーディング方式が第1の端末デバイスの干渉雑音に適応し得るように、第1の端末デバイスの変調およびコーディング方式が処理済みCQIに従って調整される。したがって、方法は、データ伝送を実行するために同じ時間周波数リソースを再使用する端末デバイス用の変調およびコーディング方式の調整に適用可能である。
【０２１４】
図5は、本発明の別の実施形態による変調およびコーディング方式を決定するための方法500の概略フローチャートを示し、ここで、方法は、ネットワークデバイスの観点から説明される。方法500は、ネットワークデバイスによって実行される。図5に示すように、方法500は以下のことを含む。
【０２１５】
S510。ネットワークデバイスからダウンリンクデータを受信するために第1の時間期間の中で第1の時間周波数リソースを再使用する端末デバイスの数量Kを決定し、ここで、K≧2である。
【０２１６】
S520。第1の端末デバイスによって送られた第1のインジケータ情報を受信し、ここで、第1のインジケータ情報は、チャネル品質インジケータCQIを示すために使用され、CQIは、チャネルのSINRに従って第1の端末デバイスによって決定され、チャネルは、第1の時間周波数リソースに基づくチャネルであり、チャネルは、第1の端末デバイスとネットワークデバイスとの間のダウンリンクデータを第1の時間期間の中で伝送するために使用される。
【０２１７】
S530。端末デバイスの数量Kの値およびCQIの値に対応する変調およびコーディング方式MCSを、事前設定マッピング関係情報に従って決定し、第1の端末デバイスのMCSとしてそのMCSを使用し、ここで、マッピング関係情報は、N個のパラメータセットとN個のMCSとの間の1対1マッピング関係を示すために使用され、各パラメータセットは、端末デバイス数量値およびCQI値を含み、N≧2である。
【０２１８】
方法500は、ダウンリンク伝送に適用され得る。上記で説明したように、ネットワークデバイスは、同じ時間期間(理解および区別しやすいように、以下で時間期間#Aとして示す第1の時間期間を含む)の中で、端末デバイス#1を含むK個の端末デバイスとのデータ伝送を実行するために、(たとえば、SCMAモードにおける)同じ時間周波数リソースを使用することを決定し得る。
【０２１９】
ネットワークデバイスは、端末デバイス#1用のダウンリンク伝送情報を決定し得、ここで、ダウンリンク伝送情報は、以下の情報、すなわち、
ダウンリンク伝送を実行するために時間期間#A(すなわち、第1の時間期間の一例)の中で端末デバイス#1によって使用されるコードブックと、
ダウンリンク伝送を実行するために時間期間#Aの中で端末デバイス#1によって使用される時間周波数リソースブロック#Aであって、ここで、時間周波数リソースブロック#Aが、複数のRE(たとえば、同じシンボルに対応し、異なるサブキャリアに対応する)を含み、ここで、端末デバイス#1を含む複数の端末デバイスが、ダウンリンク伝送を実行するために時間周波数リソースブロック#Aを再使用する、時間周波数リソースブロック#Aと、
ダウンリンク伝送を実行するために時間期間#Aの中で端末デバイス#1によって使用される初期MCSとを含む。
【０２２０】
加えて、ネットワークデバイスは、ダウンリンク伝送情報を端末デバイス#1へ、たとえば、制御チャネルまたはブロードキャストチャネルを通じて伝送し得る。
【０２２１】
上で図示したダウンリンク伝送情報が一例にすぎないことを理解されたい。本発明はそれに限定されない。従来のSCMAにおいて、ダウンリンク伝送のために使用され、ダウンリンク伝送が実行される前にネットワークデバイスによって端末デバイスに配信されるすべての他の情報が、本発明の保護範囲に入るものとする。以下で繰返しを避けるために、類似のケースについての詳細な説明は省略する。
【０２２２】
したがって、端末デバイス#1は、ダウンリンクデータを搬送する時間周波数リソースブロック#Aの位置(時間領域位置および周波数領域位置を含む)、および復号処理がダウンリンク伝送データに対して実行されるときに使用される初期MCSを、ダウンリンク伝送情報に従って決定することができる。
【０２２３】
その後、ネットワークデバイスは、決定された初期MCSに従って、端末デバイス#1へ伝送されることが必要なデータ(たとえば、元のビットシーケンス)に対するコーディング処理を実行してダウンリンクデータ(すなわち、データの一例)を生成し得、ダウンリンクデータを端末デバイス#1へ、時間期間#Aの中で時間周波数リソースブロック#A(すなわち、チャネルの一例)に基づくチャネル#Aを通じて伝送し得る。
【０２２４】
端末デバイス#1は、時間期間#Aの中でチャネル#Aを通じてダウンリンクデータを受信することができ、初期MCSを使用することによってダウンリンクデータに対する復号処理を実行して、ネットワークデバイスがコーディング処理を実行する前に存在していたデータ(たとえば、元のビットシーケンス)にダウンリンクデータを復元することができる。
【０２２５】
本発明のこの実施形態では、ネットワークデバイスによるコーディング処理、端末デバイス#1による復号処理、およびダウンリンクデータの伝送プロセスは、従来技術におけるものと類似であってよいことに留意されたい。本明細書では繰返しを避けるために、それの詳細な説明は省略する。
【０２２６】
端末デバイス#1は、チャネル#AのSINRに対応するCQI値を、第1のインジケータ情報を使用することによってネットワークデバイスへ送るために、ダウンリンクデータの中で搬送されたパイロット情報、たとえば、セル固有基準信号(CRS、Cell-specific Reference Signal)によるチャネル#Aに対するチャネル推定を実行し得、チャネル#AのSINRをさらに計算し得る。
【０２２７】
上で図示したチャネル#AのSINRを端末デバイス#1によって決定するための方法およびプロセスは、例にすぎず、本発明において特に限定されず、またチャネルのSINRを決定するために端末デバイスによって使用される別の従来技術におけるものと類似であってもよいことを理解されたい。本明細書では繰返しを避けるために、それの詳細な説明は省略する。加えて、類似のケースについての説明は以下で省略する。
【０２２８】
ネットワークデバイスは、マッピング関係情報を取得し得、ここで、マッピング関係情報は、複数の第1の情報グループと複数のMCSとの間のマッピング関係(理解および区別しやすいように、以下でマッピング関係#1として示す)を示し、複数の第1の情報グループは、1対1基準で複数のMCSに対応し、ここで、第1の情報グループは、端末デバイス数量の数値およびCQI値(または、CQI値に対応するSINR値)を含み、含まれる2つの数値のうちの少なくとも1つの値は、異なる第1の情報グループの中で異なっている。
【０２２９】
本発明のこの実施形態では、マッピング関係は、経験の様式で統計を収集することなどによって、電気通信事業者またはネットワーク管理者によって取得され得る。加えて、マッピング関係は、対応エントリとして記録されてよく、ネットワークデバイスの記憶デバイスに記憶されてよく、または式として表現されるとともにソフトウェアプログラムとしてネットワークデバイスの記憶デバイスに記憶されてもよい。このことは、本発明において特に限定されない。
【０２３０】
随意に、マッピング関係情報は、特にN個のパラメータセットとN個のMCSとの間の1対1マッピング関係を記録するマッピング関係エントリである。
【０２３１】
詳細には、マッピング関係#1は、マッピング関係エントリ(理解および区別しやすいように、以下でマッピング関係エントリ#1として示す)として反映され得る。たとえば、マッピング関係エントリ#1において、ネットワークデバイスが端末デバイスの数量Kおよびチャネル#AのSINRに対応するMCSをマッピング関係エントリ#1から見つけることができるように、CQI値および端末デバイス数量値は、エントリの行または列として使用され得る。
【０２３２】
随意に、各パラメータセットは、復号反復回数値をさらに含み、
方法は、
第1の端末デバイスによって送られた第2のインジケータ情報を受信することをさらに含み、ここで、第2のインジケータ情報は、第1の復号反復回数を示すために使用され、ここで、第1の復号反復回数は、第1の端末デバイスがダウンリンクデータに対する復号処理を実行するときに実行された復号反復の回数であり、
端末デバイスの数量Kの値およびCQIの値に対応するMCSを事前設定マッピング関係情報に従って決定することは、
端末デバイスの数量Kの値、CQIの値、および第1の復号反復回数値に対応するMCSを、事前設定マッピング関係情報に従って決定することを含む。
【０２３３】
詳細には、ネットワークデバイスは、マッピング関係情報を取得し得、ここで、マッピング関係情報は、複数の第2の情報グループと複数のMCSとの間のマッピング関係(理解および区別しやすいように、以下でマッピング関係#2として示す)を示し、複数の第2の情報グループは、1対1基準で複数のMCSに対応し、ここで、第2の情報グループは、ユーザ機器数量の数値、CQI値(または、CQI値に対応するSINR値)、および復号反復回数の数値を含み、3つの数値のうちの少なくとも1つの値は、異なる第2の情報グループの中で異なっている。
【０２３４】
同様に、マッピング関係#2は、マッピング関係エントリ(理解および区別しやすいように、以下でマッピング関係エントリ#2として示す)として反映され得る。たとえば、マッピング関係エントリ#2において、CQI値、端末デバイス数量値、および復号反復回数の数値は、エントリの行または列として使用され得る。
【０２３５】
加えて、本発明のこの実施形態では、端末デバイス#1は、複数回の反復によってダウンリンクデータを復号し得る。反復的な様式で復号を実行するための方法は、turbo復号、SCMA復号などであってよい。したがって、端末デバイス#1は、復号反復回数を決定することができ、復号反復回数をネットワークデバイスへ伝送することができる。
【０２３６】
したがって、ネットワークデバイスは、端末デバイスの決定された数量K、CQI値、および復号反復回数に従ってエントリ#2を見つけ得、端末デバイスの数量K、チャネル#AのSINRに対応するCQI値、および復号反復回数に対応するMCSを、端末デバイス#1のMCSとして使用し得る。
【０２３７】
随意に、各パラメータセットは、肯定応答メッセージの数量の値および否定応答メッセージの数量の値をさらに含み、
方法は、
第1の肯定応答メッセージの数量および第1の否定応答メッセージの数量を決定することをさらに含み、ここで、第1の肯定応答メッセージは、ダウンリンクデータのためのハイブリッド自動再送要求HARQプロセスの中で第1の端末デバイスによってネットワークデバイスへ送られた肯定応答メッセージであり、第1の否定応答メッセージは、HARQプロセスの中で第1の端末デバイスによってネットワークデバイスへ送られた否定応答メッセージであり、調整ポリシー情報は、第1の肯定応答メッセージの数量および第1の否定応答メッセージの数量をさらに含み、
端末デバイスの数量Kの値およびCQIの値に対応するMCSを事前設定マッピング関係情報に従って決定することは、
端末デバイスの数量Kの値、CQIの値、第1の肯定応答メッセージの数量、および第1の否定応答メッセージの数量に対応するMCSを、事前設定マッピング関係情報に従って決定することを含む。
【０２３８】
詳細には、端末デバイスは、マッピング関係情報を取得し得、ここで、マッピング関係情報は、複数の第3の情報グループと複数のMCSとの間のマッピング関係(理解および区別しやすいように、以下でマッピング関係#3として示す)を示し、複数の第3の情報グループは、1対1基準で複数のMCSに対応し、ここで、第3の情報グループは、端末デバイス数量の数値、CQI値(または、CQI値に対応するSINR値)、ACKメッセージの数量の数値、およびNACKメッセージの数量の数値を含み、4つの数値のうちの少なくとも1つの値は、異なる第3の情報グループの中で異なっている。
【０２３９】
同様に、マッピング関係#3は、マッピング関係エントリ(理解および区別しやすいように、以下でマッピング関係エントリ#3として示す)として反映され得る。たとえば、マッピング関係エントリ#3において、CQI値、端末デバイス数量値、ACKメッセージの数量の数値、およびNACKメッセージの数量の数値は、エントリの行または列として使用され得る。
【０２４０】
加えて、端末デバイス#1は、ネットワークデバイスとのダウンリンクデータを伝送するプロセスにおけるHARQプロセスの中で、端末デバイス#1によってネットワークデバイスへ送られた肯定応答(ACK)メッセージの数量、および端末デバイス#1によってネットワークデバイスへ送られた否定応答(NACK)メッセージの数量を、記録し得る。
【０２４１】
したがって、ネットワークデバイスは、端末デバイスの決定された数量K、CQI値、ACKメッセージの数量、およびNACKメッセージの数量に従って、対応するMCSをマッピング関係エントリ#3から見つけ得る。
【０２４２】
随意に、各パラメータセットは、復号反復回数値、肯定応答メッセージの数量の値、および否定応答メッセージの数量の値をさらに含み、
方法は、
第1の端末デバイスによって送られた第2のインジケータ情報を受信することであって、ここで、第2のインジケータ情報が、第1の復号反復回数を示すために使用され、ここで、第1の復号反復回数が、第1の端末デバイスがダウンリンクデータに対する復号処理を実行するときに実行された復号反復の回数であることと、
第1の肯定応答メッセージの数量および第1の否定応答メッセージの数量を決定することであって、ここで、第1の肯定応答メッセージが、ダウンリンクデータのためのHARQプロセスの中で第1の端末デバイスによってネットワークデバイスへ送られた肯定応答メッセージであり、第1の否定応答メッセージが、HARQプロセスの中で第1の端末デバイスによってネットワークデバイスへ送られた否定応答メッセージであり、調整ポリシー情報が、第1の肯定応答メッセージの数量および第1の否定応答メッセージに数量をさらに含むこととをさらに含み、
端末デバイスの数量Kの値およびCQIの値に対応するMCSを事前設定マッピング関係情報に従って決定することは、
端末デバイスの数量Kの値、CQIの値、第1の復号反復回数値、第1の肯定応答メッセージの数量、および第1の否定応答メッセージの数量に対応するMCSを、事前設定マッピング関係情報に従って決定することを含む。
【０２４３】
詳細には、端末デバイスは、マッピング関係情報を取得し得、ここで、マッピング関係情報は、複数の第4の情報グループと複数のMCSとの間のマッピング関係(理解および区別しやすいように、以下でマッピング関係#4として示す)を示し、複数の第4の情報グループは、1対1基準で複数のMCSに対応し、ここで、第4の情報グループは、端末デバイス数量の数値、CQI値(または、CQI値に対応するSINR値)、復号反復回数値、ACKメッセージの数量の数値、およびNACKメッセージの数量の数値を含み、5つの数値のうちの少なくとも1つの値は、異なる第4の情報グループの中で異なっている。
【０２４４】
同様に、マッピング関係#4は、マッピング関係エントリ(理解および区別しやすいように、以下でマッピング関係エントリ#4として示す)として反映され得る。たとえば、マッピング関係エントリ#4において、CQI値、端末デバイス数量値、復号反復回数、ACKメッセージの数量の数値、およびNACKメッセージの数量の数値は、エントリの行または列として使用され得る。
【０２４５】
したがって、ネットワークデバイスは、端末デバイスの数量K、チャネル#AのSINRに対応するCQI値、復号反復回数、ACKメッセージの数量、およびNACKメッセージの数量に対応するMCSを、マッピング関係エントリ#4から見つけることができ、端末デバイス#1のMCSとしてそのMCSを使用することができる。
【０２４６】
加えて、本発明のこの実施形態では、マッピング関係エントリの形態は、要件に従って決定されてよい。たとえば、端末デバイス数量値およびSINR値が、エントリの中の2つの項目として使用されてよく、マッピング関係エントリの中に(たとえば、エントリにおける2つの行または2つの列として)記録されてよい。代替として、複数のエントリが形成されてよく、ここで、各エントリは、SINR値とCQIとの間のマッピング関係を記録し、複数のエントリは、複数の端末デバイス数量値とのマッピング関係を有すべきである。すなわち、端末デバイスは、決定された端末デバイス数量値を使用することによって、端末デバイス数量値に対応しSINR値に基づいてCQIを決定するために使用されるエントリを見つけ得る。
【０２４７】
変調およびコーディング順位を決定するための従来の方法では、調整は、リンク(リンクは、複数のREを含む時間周波数リソースブロックに基づく)のSINR値、またはSINR値に対応するCQIの量子化された値のみに従って実行される。しかしながら、SCMAシステムでは、複数の端末デバイスが、データ伝送を実行するために同じ時間周波数リソースブロックを再使用する。複数の端末デバイスの間に干渉が存在することがあるので、ネットワークデバイスは、時間周波数リソースブロックのSINR値しか取得することができず、時間周波数リソースブロックを再使用する複数の端末デバイスの中の各端末デバイスの、それぞれのSINR値を取得することができない。したがって、変調およびコーディング方式を決定するための従来の方法は、SCMAシステムにおいて効果的に実施され得ない。
【０２４８】
対照的に、本発明のこの実施形態における変調およびコーディング方式を決定するための方法によれば、K個の端末デバイスは、ネットワークデバイスとのデータ伝送を実行するために同じ時間期間の中で同じ時間周波数リソースを再使用し、データは、時間周波数リソースに基づくチャネルを通じて第1の端末デバイスとネットワークデバイスとの間で伝送され、MCSが第1の端末デバイスのデータ伝送プロセスにおける干渉雑音を反映し得るとともに、調整された変調およびコーディング方式が第1の端末デバイスの干渉雑音に適応し得るように、MCSは、端末デバイスの数量K、およびチャネルの信号対干渉雑音比に基づいて決定されたCQIに従って決定される。したがって、方法は、データ伝送を実行するために同じ時間周波数リソースを再使用する端末デバイス用の変調およびコーディング方式の調整に適用可能である。
【０２４９】
上記のことは、本発明による変調およびコーディング方式を決定するための方法がダウンリンク伝送に適用されるプロセスを示す。しかしながら、本発明はそれに限定されず、方法はアップリンク伝送にも適用され得る。
【０２５０】
この場合、ネットワークデバイスは、端末デバイス#1用のアップリンク伝送情報を決定し得、ここで、アップリンク伝送情報は、以下の情報、すなわち、
アップリンク伝送を時間期間#Bの中で実行するために端末デバイス#1によって使用されるコードブックと、
アップリンク伝送を時間期間#Bの中で実行するために端末デバイス#1によって使用される時間周波数リソースブロック#Bであって、ここで、時間周波数リソースブロック#Bが、複数のRE(たとえば、同じシンボルに対応し、異なるサブキャリアに対応する)を含み、ここで、端末デバイス#1を含む複数の端末デバイスが、アップリンク伝送を実行するために時間周波数リソースブロック#Bを再使用する、時間周波数リソースブロック#Bと、
アップリンク伝送を時間期間#Bの中で実行するために端末デバイス#1によって使用される初期MCSとを含む。
【０２５１】
加えて、ネットワークデバイスは、アップリンク伝送情報を端末デバイス#1へ、たとえば、制御チャネルまたはブロードキャストチャネルを通じて伝送し得る。
【０２５２】
したがって、端末デバイス#1は、アップリンクデータを搬送する時間周波数リソースブロック#Bの位置(時間領域位置および周波数領域位置を含む)、およびコーディング処理がアップリンク伝送データに対して実行されるときに使用される初期MCSを、アップリンク伝送情報に従って決定することができる。
【０２５３】
その後、端末デバイス#1は、決定された初期MCSに従って、ネットワークデバイスへ伝送されることが必要なデータに対するコーディング処理実行してアップリンクデータを生成し得、アップリンクデータをネットワークデバイスへ、時間期間#Bの中で時間周波数リソースブロック#Bに基づくチャネル#Bを通じて送り得る。
【０２５４】
ネットワークデバイスは、時間期間#Bの中でチャネル#Bを通じてアップリンクデータを受信することができ、初期MCSを使用することによってアップリンクデータに対する復号処理を実行して、ネットワークデバイスがコーディング処理を実行する前に存在していたデータにアップリンクデータを復元することができる。
【０２５５】
ネットワークデバイスは、マッピング関係情報、たとえば、マッピング関係#1すなわち式1を取得し得る。
【０２５６】
加えて、ネットワークデバイスは、アップリンクデータの中で搬送されたパイロット情報、たとえば、復調基準信号(DMRS、De-Modulation Reference Signal)によるチャネル#Bに対するチャネル推定を実行し得、チャネル#BのSINRをさらに計算し得る。
【０２５７】
したがって、ネットワークデバイスは、チャネル#BのCQI(または、CQIに対応するSINR)、およびアップリンク伝送を実行するために時間周波数リソースブロック#Bを再使用する端末デバイスの数量Kに対応するMCSを、マッピング関係#1すなわち式1に従って決定し得、端末デバイス#1のMCSとしてそのMCSを使用し得る。
【０２５８】
同様に、ネットワークデバイスはまた、マッピング関係#2すなわち式2、マッピング関係#3すなわち式3、またはマッピング関係#4すなわち式4に従って、端末デバイス#1のMCSを決定し得る。
【０２５９】
図6は、アップリンク伝送に対応する本発明のこの実施形態における、ネットワークデバイスと端末デバイス#1との間の相互作用の概略図を示す。図6に示すように、ステップS610において、ネットワークデバイスは、コーディング処理を実行するために使用される情報、たとえば、上記の初期MCSを含む上記のアップリンク伝送情報を、端末デバイス#1に配信する。
【０２６０】
ステップS620において、端末デバイス#1は、コーディング処理を実行してアップリンクデータを生成する。
【０２６１】
ステップS630において、端末デバイス#1は、アップリンクデータをネットワークデバイスへ送る。
【０２６２】
ステップS640において、ネットワークデバイスは、アップリンクデータを伝送するために使用されるチャネル(たとえば、上記のチャネル#B)のSINRを決定し、アップリンクデータに対する復号および復号処理を実行する。加えて、ネットワークデバイスは、たとえば、上記の事前記憶されているマッピング関係#1すなわち式1に基づいてMCSを決定する。
【０２６３】
ステップS650において、ネットワークデバイスおよび端末デバイス#1は、上記で説明したように決定されたMCSに従ってデータ伝送を実行し得る。
【０２６４】
図7は、本発明の一実施形態による変調およびコーディング方式を決定するための方法700の概略フローチャートを示し、ここで、方法は、端末デバイス(たとえば、端末デバイス#1)の観点から説明される。方法700は、K個の端末デバイスの中の第1の端末デバイスによって実行される。図7に示すように、方法700は以下のことを含む。
【０２６５】
S710。チャネルの信号対干渉雑音比SINRを決定し、ここで、チャネルは、第1の時間周波数リソースに基づくチャネルであり、チャネルは、第1の端末デバイスとネットワークデバイスとの間のダウンリンクデータを第1の時間期間の中で伝送するために使用され、K個の端末デバイスは、ネットワークデバイスからダウンリンクデータを受信するために第1の時間期間の中で第1の時間周波数リソースを再使用し、K≧2である。
【０２６６】
S720。ネットワークデバイスによって送られた第1のインジケータ情報を受信し、ここで、第1のインジケータ情報は、端末デバイスの数量Kを示すために使用される。
【０２６７】
S730。チャネルの信号対干渉雑音比SINRおよび端末デバイスの数量Kに従って、チャネル品質インジケータCQIを決定する。
【０２６８】
S740。ネットワークデバイスが、第1の端末デバイスの変調およびコーディング方式MCSをCQIに従って決定するように、第2のインジケータ情報をネットワークデバイスへ送り、ここで、第2のインジケータ情報は、CQIを示すために使用される。
【０２６９】
随意に、チャネルの信号対干渉雑音比SINRおよび端末デバイスの数量Kに従ってCQIを決定することは、
チャネルのSINR、端末デバイスの数量K、および第1の復号反復回数に従ってCQIを決定することを含み、ここで、第1の復号反復回数は、第1の端末デバイスがダウンリンクデータに対する復号処理を実行するときに実行された復号反復の回数である。
【０２７０】
随意に、チャネルの信号対干渉雑音比SINRおよび端末デバイスの数量Kに従ってCQIを決定することは、
チャネルのSINR、端末デバイスの数量K、第1の肯定応答メッセージの数量、および第1の否定応答メッセージの数量に従ってCQIを決定することを含み、ここで、第1の肯定応答メッセージは、ダウンリンクデータのためのハイブリッド自動再送要求HARQプロセスの中で第1の端末デバイスによってネットワークデバイスへ送られた肯定応答メッセージであり、第1の否定応答メッセージは、HARQプロセスの中で第1の端末デバイスによってネットワークデバイスへ送られた否定応答メッセージである。
【０２７１】
随意に、チャネルの信号対干渉雑音比SINRおよび端末デバイスの数量Kに従ってCQIを決定することは、
チャネルのSINR、端末デバイスの数量K、第1の復号反復回数、第1の肯定応答メッセージの数量、および第1の否定応答メッセージの数量に従ってCQIを決定することを含み、ここで、第1の復号反復回数は、第1の端末デバイスがダウンリンクデータに対する復号処理を実行するときに実行された復号反復の回数であり、第1の肯定応答メッセージは、ダウンリンクデータのためのハイブリッド自動再送要求HARQプロセスの中で第1の端末デバイスによってネットワークデバイスへ送られた肯定応答メッセージであり、第1の否定応答メッセージは、HARQプロセスの中で第1の端末デバイスによってネットワークデバイスへ送られた否定応答メッセージである。
【０２７２】
随意に、方法は、スパースコード多元接続通信システムに適用され、第1の時間周波数リソースは、少なくとも2つのリソース要素REを含む時間周波数リソースブロックである。
【０２７３】
方法700における第1の端末デバイスのアクションは、方法200または方法500における端末デバイス#1のアクションと類似である。本明細書では繰返しを避けるために、それの詳細な説明は省略する。
【０２７４】
本発明のこの実施形態における変調およびコーディング方式を決定するための方法によれば、K個の端末デバイスは、ネットワークデバイスとのデータ伝送を実行するために同じ時間期間の中で同じ時間周波数リソースを再使用し、データは、時間周波数リソースに基づくチャネルを通じて第1の端末デバイスとネットワークデバイスとの間で伝送され、処理されたCQIが第1の端末デバイスのデータ伝送プロセスにおける干渉雑音を反映し得るように、チャネルの信号対干渉雑音比に基づいて決定されたCQIが端末デバイスの数量Kに従って処理され、調整された変調およびコーディング方式が第1の端末デバイスの干渉雑音に適応し得るように、第1の端末デバイスの変調およびコーディング方式が処理済みCQIに従って調整される。したがって、方法は、データ伝送を実行するために同じ時間周波数リソースを再使用する端末デバイス用の変調およびコーディング方式の調整に適用可能である。
【０２７５】
図8は、本発明の別の実施形態による変調およびコーディング方式を決定するための方法800の概略フローチャートを示し、ここで、方法は、端末デバイス(たとえば、端末デバイス#1)の観点から説明される。方法800は、K個の端末デバイスの中の第1の端末デバイスによって実行される。図8に示すように、方法800は以下のことを含む。
【０２７６】
S810。チャネルの信号対干渉雑音比SINRを決定し、ここで、チャネルは、第1の時間周波数リソースに基づくチャネルであり、チャネルは、第1の端末デバイスとネットワークデバイスとの間のダウンリンクデータを第1の時間期間の中で伝送するために使用され、K個の端末デバイスは、ネットワークデバイスからダウンリンクデータを受信するために第1の時間期間の中で第1の時間周波数リソースを再使用し、K≧2である。
【０２７７】
S820。チャネルのSINRに従ってチャネル品質インジケータCQIを決定する。
【０２７８】
S830。ネットワークデバイスが、第1の端末デバイスの変調およびコーディング方式MCSを端末デバイスの数量Kおよび第1の復号反復回数に従って決定するように、第1のインジケータ情報および第2のインジケータ情報をネットワークデバイスへ送り、ここで、第1のインジケータ情報は、CQIを示すために使用され、第2のインジケータ情報は、第1の復号反復回数を示すために使用され、ここで、第1の復号反復回数は、第1の端末デバイスがダウンリンクデータに対する復号処理を実行するときに実行された復号反復の回数である。
【０２７９】
随意に、方法は、スパースコード多元接続通信システムに適用され、第1の時間周波数リソースは、少なくとも2つのリソース要素REを含む時間周波数リソースブロックである。
【０２８０】
方法800における第1の端末デバイスのアクションは、方法200または方法500において、端末デバイス#1がチャネルのCQIをフィードバックするとともに復号反復回数をフィードバックするときの、端末デバイス#1のアクションと類似である。本明細書では繰返しを避けるために、それの詳細な説明は省略する。
【０２８１】
本発明のこの実施形態における変調およびコーディング方式を決定するための方法によれば、K個の端末デバイスは、ネットワークデバイスとのデータ伝送を実行するために同じ時間期間の中で同じ時間周波数リソースを再使用し、データは、時間周波数リソースに基づくチャネルを通じて第1の端末デバイスとネットワークデバイスとの間で伝送され、処理されたCQIが第1の端末デバイスのデータ伝送プロセスにおける干渉雑音を反映し得るように、チャネルの信号対干渉雑音比に基づいて決定されたCQIが端末デバイスの数量Kおよび復号反復回数に従って処理され、調整された変調およびコーディング方式が第1の端末デバイスの干渉雑音に適応し得るように、第1の端末デバイスの変調およびコーディング方式が処理済みCQIに従って調整される。したがって、方法は、データ伝送を実行するために同じ時間周波数リソースを再使用する端末デバイス用の変調およびコーディング方式の調整に適用可能である。
【０２８２】
上記のことは、図1〜図8を参照しながら、本発明の実施形態による変調およびコーディング方式を決定するための方法を詳細に説明する。下記のことは、図9〜図12を参照しながら、本発明の実施形態による変調およびコーディング方式を決定するための装置を詳細に説明する。
【０２８３】
図9は、本発明の一実施形態による変調およびコーディング方式を決定するための装置900の概略構造図である。図9に示すように、装置900は、
装置とのダウンリンクデータ伝送を実行するために第1の時間期間の中で第1の時間周波数リソースを再使用する端末デバイスの数量Kを決定するように構成された数量決定ユニット910であって、ここで、K≧2である、数量決定ユニット910と、
チャネル品質インジケータCQIを取得するように構成されたCQI決定ユニット920であって、ここで、CQIが、チャネルの信号対干渉雑音比SINRおよび端末デバイスの数量Kに従って決定され、ここで、チャネルが、第1の時間周波数リソースに基づくチャネルであり、チャネルが、第1の端末デバイスと装置との間のダウンリンクデータを第1の時間期間の中で伝送するために使用される、CQI決定ユニット920と、
第1の端末デバイスの変調およびコーディング方式MCSをCQIに従って決定するように構成されたMCS決定ユニット930とを含む。
【０２８４】
随意に、CQIは、チャネルのSINR、端末デバイスの数量K、および第1の復号反復回数に従って決定され、ここで、第1の復号反復回数は、第1の端末デバイスがダウンリンクデータに対する復号処理を実行するときに実行された復号反復の回数である。
【０２８５】
随意に、CQIは、チャネルのSINR、端末デバイスの数量K、第1の肯定応答メッセージの数量、および第1の否定応答メッセージの数量に従って決定され、ここで、第1の肯定応答メッセージは、ダウンリンクデータのためのハイブリッド自動再送要求HARQプロセスの中で第1の端末デバイスによって装置へ送られた肯定応答メッセージであり、第1の否定応答メッセージは、HARQプロセスの中で第1の端末デバイスによって装置へ送られた否定応答メッセージである。
【０２８６】
随意に、CQIは、チャネルのSINR、端末デバイスの数量K、第1の復号反復回数、第1の肯定応答メッセージの数量、および第1の否定応答メッセージの数量に従って決定され、ここで、第1の復号反復回数は、第1の端末デバイスがダウンリンクデータに対する復号処理を実行するときに実行された復号反復の回数であり、第1の肯定応答メッセージは、ダウンリンクデータのためのハイブリッド自動再送要求HARQプロセスの中で第1の端末デバイスによって装置へ送られた肯定応答メッセージであり、第1の否定応答メッセージは、HARQプロセスの中で第1の端末デバイスによって装置へ送られた否定応答メッセージである。
【０２８７】
随意に、装置は、
第1のインジケータ情報を第1の端末デバイスへ送るように構成された送信ユニットであって、ここで、第1のインジケータ情報が、端末デバイスの数量Kを示すために使用される、送信ユニットと、
第1の端末デバイスによって送られた第2のインジケータ情報を受信するように構成された受信ユニットであって、ここで、第2のインジケータ情報が、CQIを示すために使用され、CQIが、チャネルのSINRおよび端末デバイスの数量Kに従って、第1の端末デバイスによって決定される、受信ユニットとをさらに含み、ここで、
CQI決定ユニットは、第2のインジケータ情報に従ってCQIを決定するように特に構成される。
【０２８８】
随意に、装置は、
第1のインジケータ情報を第1の端末デバイスへ送るように構成された送信ユニットであって、ここで、第1のインジケータ情報が、端末デバイスの数量Kを示すために使用される、送信ユニットと、
第1の端末デバイスによって送られた第2のインジケータ情報を受信するように構成された受信ユニットであって、ここで、第2のインジケータ情報が、CQIを示すために使用され、CQIが、チャネルのSINR、端末デバイスの数量K、および第1の復号反復回数に従って、第1の端末デバイスによって決定され、ここで、第1の復号反復回数が、第1の端末デバイスがダウンリンクデータに対する復号処理を実行するときに実行された復号反復の回数である、受信ユニットとをさらに含み、ここで、
CQI決定ユニットは、第2のインジケータ情報に従ってCQIを決定するように特に構成される。
【０２８９】
随意に、装置は、
第1のインジケータ情報を第1の端末デバイスへ送るように構成された送信ユニットであって、ここで、第1のインジケータ情報が、端末デバイスの数量Kを示すために使用される、送信ユニットと、
第1の端末デバイスによって送られた第2のインジケータ情報を受信するように構成された受信ユニットであって、ここで、第2のインジケータ情報が、CQIを示すために使用され、CQIが、チャネルのSINR、端末デバイスの数量K、第1の肯定応答メッセージの数量、および第1の否定応答メッセージの数量に従って、第1の端末デバイスによって決定され、ここで、第1の肯定応答メッセージが、ダウンリンクデータのためのハイブリッド自動再送要求HARQプロセスの中で第1の端末デバイスによって装置へ送られた肯定応答メッセージであり、第1の否定応答メッセージが、HARQプロセスの中で第1の端末デバイスによって装置へ送られた否定応答メッセージである、受信ユニットとをさらに含み、ここで、
CQI決定ユニットは、第2のインジケータ情報に従ってCQIを決定するように特に構成される。
【０２９０】
随意に、装置は、
第1のインジケータ情報を第1の端末デバイスへ送るように構成された送信ユニットであって、ここで、第1のインジケータ情報が、端末デバイスの数量Kを示すために使用される、送信ユニットと、
第1の端末デバイスによって送られた第2のインジケータ情報を受信するように構成された受信ユニットであって、ここで、第2のインジケータ情報が、CQIを示すために使用され、CQIが、チャネルのSINR、端末デバイスの数量K、第1の復号反復回数、第1の肯定応答メッセージの数量、および第1の否定応答メッセージの数量に従って、第1の端末デバイスによって決定され、ここで、第1の復号反復回数が、第1の端末デバイスがダウンリンクデータに対する復号処理を実行するときに実行された復号反復の回数であり、第1の肯定応答メッセージが、ダウンリンクデータのためのハイブリッド自動再送要求HARQプロセスの中で第1の端末デバイスによって装置へ送られた肯定応答メッセージであり、第1の否定応答メッセージが、HARQプロセスの中で第1の端末デバイスによって装置へ送られた否定応答メッセージである、受信ユニットとをさらに含み、ここで、
CQI決定ユニットは、第2のインジケータ情報に従ってCQIを決定するように特に構成される。
【０２９１】
随意に、装置は、
第1の端末デバイスによって送られた第3のインジケータ情報を受信するように構成された受信ユニットをさらに含み、ここで、第3のインジケータ情報は、第1の端末デバイスによってフィードバックされるCQIを示すために使用され、第1の端末デバイスによってフィードバックされるCQIは、チャネルのSINRに従って第1の端末デバイスによって決定され、ここで、
CQI決定ユニットは、CQIを決定するために、第1の端末デバイスによってフィードバックされたCQIを端末デバイスの数量Kに従って処理するように特に構成される。
【０２９２】
随意に、受信ユニットは、第1の端末デバイスによって送られた第4のインジケータ情報を受信するようにさらに構成され、ここで、第4のインジケータ情報は、第1の復号反復回数を示すために使用され、ここで、第1の復号反復回数は、第1の端末デバイスがダウンリンクデータに対する復号処理を実行するときに実行された復号反復の回数であり、
CQI決定ユニットは、第1の端末デバイスによってフィードバックされたCQIを、端末デバイスの数量Kおよび第1の復号反復回数に従って処理するように特に構成される。
【０２９３】
随意に、CQI決定ユニットは、第1の肯定応答メッセージの数量および第1の否定応答メッセージの数量を決定することであって、ここで、第1の肯定応答メッセージが、ダウンリンクデータのためのHARQプロセスの中で第1の端末デバイスによって装置へ送られた肯定応答メッセージであり、第1の否定応答メッセージが、HARQプロセスの中で第1の端末デバイスによって装置へ送られた否定応答メッセージであることを行うようにさらに構成され、第1の端末デバイスによってフィードバックされたCQIを、端末デバイスの数量K、第1の肯定応答メッセージの数量、および第1の否定応答メッセージの数量に従って処理するように構成される。
【０２９４】
随意に、受信ユニットは、第1の端末デバイスによって送られた第4のインジケータ情報を受信するようにさらに構成され、ここで、第4のインジケータ情報は、第1の復号反復回数を示すために使用され、ここで、第1の復号反復回数は、第1の端末デバイスがダウンリンクデータに対する復号処理を実行するときに実行された復号反復の回数であり、
CQI決定ユニットは、第1の肯定応答メッセージの数量および第1の否定応答メッセージの数量を決定することであって、ここで、第1の肯定応答メッセージが、ダウンリンクデータのためのHARQプロセスの中で第1の端末デバイスによって装置へ送られた肯定応答メッセージであり、第1の否定応答メッセージが、HARQプロセスの中で第1の端末デバイスによって装置へ送られた否定応答メッセージであることを行うようにさらに構成され、第1の端末デバイスによってフィードバックされたCQIを、端末デバイスの数量K、第1の復号反復回数、第1の肯定応答メッセージの数量、および第1の否定応答メッセージの数量に従って処理するように構成される。
【０２９５】
随意に、装置は、スパースコード多元接続通信システムにおいて構成され、第1の時間周波数リソースは、少なくとも2つのリソース要素REを含む時間周波数リソースブロックである。
【０２９６】
随意に、装置はネットワークデバイスである。
【０２９７】
本発明のこの実施形態による変調およびコーディング方式を決定するための装置900は、本発明の方法実施形態におけるネットワークデバイス(たとえば、基地局)に相当し得る。加えて、変調およびコーディング方式を決定するための装置900における各ユニット、すなわち、各モジュール、ならびに上記の他の動作および/または機能は、それぞれ、図2における方法200の対応する手順を実施することを意図する。簡潔のために、詳細は本明細書で再び説明しない。
【０２９８】
本発明のこの実施形態における変調およびコーディング方式を決定するための装置によれば、K個の端末デバイスは、ネットワークデバイスとのデータ伝送を実行するために同じ時間期間の中で同じ時間周波数リソースを再使用し、データは、時間周波数リソースに基づくチャネルを通じて第1の端末デバイスとネットワークデバイスとの間で伝送され、処理されたCQIが第1の端末デバイスのデータ伝送プロセスにおける干渉雑音を反映し得るように、チャネルの信号対干渉雑音比に基づいて決定されたCQIが端末デバイスの数量Kおよび復号反復回数に従って処理され、調整された変調およびコーディング方式が第1の端末デバイスの干渉雑音に適応し得るように、第1の端末デバイスの変調およびコーディング方式が処理済みCQIに従って調整される。したがって、装置は、データ伝送を実行するために同じ時間周波数リソースを再使用する端末デバイス用の変調およびコーディング方式の調整に適用可能である。
【０２９９】
図10は、本発明の一実施形態による変調およびコーディング方式を決定するための装置1000の概略構造図である。図10に示すように、装置1000は、
装置とのダウンリンクデータ伝送を実行するために第1の時間期間の中で第1の時間周波数リソースを再使用する端末デバイスの数量Kを決定するように構成された数量決定ユニット1010であって、ここで、K≧2である、数量決定ユニット1010と、
第1の端末デバイスによって送られた第1のインジケータ情報を受信するように構成された受信ユニット1020であって、ここで、第1のインジケータ情報が、チャネル品質インジケータCQIを示すために使用され、CQIが、チャネルのSINRに従って第1の端末デバイスによって決定され、チャネルが、第1の時間周波数リソースに基づくチャネルであり、チャネルが、第1の端末デバイスと装置との間のダウンリンクデータを第1の時間期間の中で伝送するために使用される、受信ユニット1020と、
端末デバイスの数量Kの値およびCQIの値に対応する変調およびコーディング方式MCSを事前設定マッピング関係情報に従って決定し、第1の端末デバイスのMCSとしてそのMCSを使用するように構成されたMCS決定ユニット1030であって、ここで、マッピング関係情報が、N個のパラメータセットとN個のMCSとの間の1対1マッピング関係を示すために使用され、各パラメータセットが、端末デバイス数量値およびCQI値を含み、N≧2である、MCS決定ユニット1030とを含む。
【０３００】
随意に、各パラメータセットは、復号反復回数値をさらに含み、
受信ユニットは、第1の端末デバイスによって送られた第2のインジケータ情報を受信するようにさらに構成され、ここで、第2のインジケータ情報は、第1の復号反復回数を示すために使用され、ここで、第1の復号反復回数は、第1の端末デバイスがダウンリンクデータに対する復号処理を実行するときに実行された復号反復の回数であり、
MCS決定ユニットは、端末デバイスの数量Kの値、CQIの値、および第1の復号反復回数値に対応するMCSを、事前設定マッピング関係情報に従って決定するように特に構成される。
【０３０１】
随意に、各パラメータセットは、肯定応答メッセージの数量の値および否定応答メッセージの数量の値をさらに含み、
数量決定ユニットは、第1の肯定応答メッセージの数量および第1の否定応答メッセージの数量を決定するようにさらに構成され、ここで、第1の肯定応答メッセージは、ダウンリンクデータのためのハイブリッド自動再送要求HARQプロセスの中で第1の端末デバイスによって装置へ送られた肯定応答メッセージであり、第1の否定応答メッセージは、HARQプロセスの中で第1の端末デバイスによって装置へ送られた否定応答メッセージであり、調整ポリシー情報は、第1の肯定応答メッセージの数量および第1の否定応答メッセージの数量をさらに含み、
MCS決定ユニットは、端末デバイスの数量Kの値、CQIの値、第1の肯定応答メッセージの数量、および第1の否定応答メッセージの数量に対応するMCSを、事前設定マッピング関係情報に従って決定するように特に構成される。
【０３０２】
随意に、各パラメータセットは、復号反復回数値、肯定応答メッセージの数量の値、および否定応答メッセージの数量の値をさらに含み、
受信ユニットは、第1の端末デバイスによって送られた第2のインジケータ情報を受信するようにさらに構成され、ここで、第2のインジケータ情報は、第1の復号反復回数を示すために使用され、ここで、第1の復号反復回数は、第1の端末デバイスがダウンリンクデータに対する復号処理を実行するときに実行された復号反復の回数であり、
数量決定ユニットは、第1の肯定応答メッセージの数量および第1の否定応答メッセージの数量を決定するようにさらに構成され、ここで、第1の肯定応答メッセージは、ダウンリンクデータのためのHARQプロセスの中で第1の端末デバイスによって装置へ送られた肯定応答メッセージであり、第1の否定応答メッセージは、HARQプロセスの中で第1の端末デバイスによって装置へ送られた否定応答メッセージであり、調整ポリシー情報は、第1の肯定応答メッセージの数量および第1の否定応答メッセージの数量をさらに含み、
MCS決定ユニットは、端末デバイスの数量Kの値、CQIの値、第1の復号反復回数値、第1の肯定応答メッセージの数量、および第1の否定応答メッセージの数量に対応するMCSを、事前設定マッピング関係情報に従って決定するように特に構成される。
【０３０３】
随意に、装置は、スパースコード多元接続通信システムにおいて構成され、第1の時間周波数リソースは、少なくとも2つのリソース要素REを含む時間周波数リソースブロックである。
【０３０４】
随意に、装置はネットワークデバイスである。
【０３０５】
随意に、マッピング関係情報は、特にN個のパラメータセットとN個のMCSとの間の1対1マッピング関係を記録するマッピング関係エントリである。
【０３０６】
本発明のこの実施形態による変調およびコーディング方式を決定するための装置1000は、本発明の方法実施形態におけるネットワークデバイス(たとえば、基地局)に相当し得る。加えて、変調およびコーディング方式を決定するための装置1000における各ユニット、すなわち、各モジュール、ならびに上記の他の動作および/または機能は、それぞれ、図5における方法500の対応する手順を実施することを意図する。簡潔のために、詳細は本明細書で再び説明しない。
【０３０７】
本発明のこの実施形態における変調およびコーディング方式を決定するための装置によれば、K個の端末デバイスは、ネットワークデバイスとのデータ伝送を実行するために同じ時間期間の中で同じ時間周波数リソースを再使用し、データは、時間周波数リソースに基づくチャネルを通じて第1の端末デバイスとネットワークデバイスとの間で伝送され、MCSが第1の端末デバイスのデータ伝送プロセスにおける干渉雑音を反映し得るとともに、調整された変調およびコーディング方式が第1の端末デバイスの干渉雑音に適応し得るように、MCSは、端末デバイスの数量K、およびチャネルの信号対干渉雑音比に基づいて決定されたCQIに従って決定される。したがって、装置は、データ伝送を実行するために同じ時間周波数リソースを再使用する端末デバイス用の変調およびコーディング方式の調整に適用可能である。
【０３０８】
図11は、本発明の一実施形態による変調およびコーディング方式を決定するための装置1100の概略構造図である。装置1100は、K個の端末デバイスにおける第1の端末デバイスである。図11に示すように、装置1100は、
チャネルの信号対干渉雑音比SINRを決定するように構成された決定ユニット1110であって、ここで、チャネルが、第1の時間周波数リソースに基づくチャネルであり、チャネルが、装置とネットワークデバイスとの間のダウンリンクデータを第1の時間期間の中で伝送するために使用され、K個の端末デバイスが、ネットワークデバイスからダウンリンクデータを受信するために第1の時間期間の中で第1の時間周波数リソースを再使用し、K≧2である、決定ユニット1110と、
ネットワークデバイスによって送られた第1のインジケータ情報を受信するように構成された受信ユニット1120であって、ここで、第1のインジケータ情報が、端末デバイスの数量Kを示すために使用され、ここで、
決定ユニット1110が、チャネルの信号対干渉雑音比SINRおよび端末デバイスの数量Kに従って、チャネル品質インジケータCQIを決定するようにさらに構成される、受信ユニット1120と、
ネットワークデバイスが、装置の変調およびコーディング方式MCSをCQIに従って決定するように、第2のインジケータ情報をネットワークデバイスへ送るように構成された送信ユニット1130であって、ここで、第2のインジケータ情報が、CQIを示すために使用される、送信ユニット1130とを含む。
【０３０９】
随意に、決定ユニットは、チャネルのSINR、端末デバイスの数量K、および第1の復号反復回数に従ってCQIを決定するように特に構成され、ここで、第1の復号反復回数は、装置がダウンリンクデータに対する復号処理を実行するときに実行された復号反復の回数である。
【０３１０】
随意に、決定ユニットは、チャネルのSINR、端末デバイスの数量K、第1の肯定応答メッセージの数量、および第1の否定応答メッセージの数量に従ってCQIを決定するように特に構成され、ここで、第1の肯定応答メッセージは、ダウンリンクデータのためのハイブリッド自動再送要求HARQプロセスの中で装置によってネットワークデバイスへ送られた肯定応答メッセージであり、第1の否定応答メッセージは、HARQプロセスの中で装置によってネットワークデバイスへ送られた否定応答メッセージである。
【０３１１】
随意に、決定ユニットは、チャネルのSINR、端末デバイスの数量K、第1の復号反復回数、第1の肯定応答メッセージの数量、および第1の否定応答メッセージの数量に従ってCQIを決定するように特に構成され、ここで、第1の復号反復回数は、装置がダウンリンクデータに対する復号処理を実行するときに実行された復号反復の回数であり、第1の肯定応答メッセージは、ダウンリンクデータのためのハイブリッド自動再送要求HARQプロセスの中で装置によってネットワークデバイスへ送られた肯定応答メッセージであり、第1の否定応答メッセージは、HARQプロセスの中で装置によってネットワークデバイスへ送られた否定応答メッセージである。
【０３１２】
随意に、装置は、スパースコード多元接続通信システムにおいて構成され、第1の時間周波数リソースは、少なくとも2つのリソース要素REを含む時間周波数リソースブロックである。
【０３１３】
本発明のこの実施形態による変調およびコーディング方式を決定するための装置1100は、本発明の方法実施形態における第1の端末デバイス(たとえば、端末デバイス#1)に相当し得る。加えて、変調およびコーディング方式を決定するための装置1100における各ユニット、すなわち、各モジュール、ならびに上記の他の動作および/または機能は、それぞれ、図7における方法700の対応する手順を実施することを意図する。簡潔のために、詳細は本明細書で再び説明しない。
【０３１４】
本発明のこの実施形態における変調およびコーディング方式を決定するための装置によれば、K個の端末デバイスは、ネットワークデバイスとのデータ伝送を実行するために同じ時間期間の中で同じ時間周波数リソースを再使用し、データは、時間周波数リソースに基づくチャネルを通じて第1の端末デバイスとネットワークデバイスとの間で伝送され、処理されたCQIが第1の端末デバイスのデータ伝送プロセスにおける干渉雑音を反映し得るように、チャネルの信号対干渉雑音比に基づいて決定されたCQIが端末デバイスの数量Kおよび復号反復回数に従って処理され、調整された変調およびコーディング方式が第1の端末デバイスの干渉雑音に適応し得るように、第1の端末デバイスの変調およびコーディング方式が処理済みCQIに従って調整される。したがって、装置は、データ伝送を実行するために同じ時間周波数リソースを再使用する端末デバイス用の変調およびコーディング方式の調整に適用可能である。
【０３１５】
図12は、本発明の一実施形態による変調およびコーディング方式を決定するための装置1200の概略構造図である。装置1200は、K個の端末デバイスにおける第1の端末デバイスである。図12に示すように、装置1200は、
チャネルの信号対干渉雑音比SINRを決定するように構成された決定ユニット1210であって、ここで、チャネルが、第1の時間周波数リソースに基づくチャネルであり、チャネルが、装置とネットワークデバイスとの間のダウンリンクデータを第1の時間期間の中で伝送するために使用され、K個の端末デバイスが、ネットワークデバイスからダウンリンクデータを受信するために第1の時間期間の中で第1の時間周波数リソースを再使用し、K≧2である、決定ユニット1210であって、チャネルのSINRに従ってチャネル品質インジケータCQIを決定するように構成された決定ユニット1210と、
ネットワークデバイスが、装置の変調およびコーディング方式MCSを端末デバイスの数量Kおよび第1の復号反復回数に従って決定するように、第1のインジケータ情報および第2のインジケータ情報をネットワークデバイスへ送るように構成された送信ユニット1220であって、ここで、第1のインジケータ情報が、CQIを示すために使用され、第2のインジケータ情報が、第1の復号反復回数を示すために使用され、ここで、第1の復号反復回数が、装置がダウンリンクデータに対する復号処理を実行するときに実行された復号反復の回数である、送信ユニット1220とを含む。
【０３１６】
随意に、装置は、スパースコード多元接続通信システムにおいて構成され、第1の時間周波数リソースは、少なくとも2つのリソース要素REを含む時間周波数リソースブロックである。
【０３１７】
本発明のこの実施形態による変調およびコーディング方式を決定するための装置1200は、本発明の方法実施形態における第1の端末デバイス(たとえば、端末デバイス#1)に相当し得る。加えて、変調およびコーディング方式を決定するための装置1200における各ユニット、すなわち、各モジュール、ならびに上記の他の動作および/または機能は、それぞれ、図8における方法800の対応する手順を実施することを意図する。簡潔のために、詳細は本明細書で再び説明しない。
【０３１８】
本発明のこの実施形態における変調およびコーディング方式を決定するための装置によれば、K個の端末デバイスは、ネットワークデバイスとのデータ伝送を実行するために同じ時間期間の中で同じ時間周波数リソースを再使用し、データは、時間周波数リソースに基づくチャネルを通じて第1の端末デバイスとネットワークデバイスとの間で伝送され、処理されたCQIが第1の端末デバイスのデータ伝送プロセスにおける干渉雑音を反映し得るように、チャネルの信号対干渉雑音比に基づいて決定されたCQIが端末デバイスの数量Kおよび復号反復回数に従って処理され、調整された変調およびコーディング方式が第1の端末デバイスの干渉雑音に適応し得るように、第1の端末デバイスの変調およびコーディング方式が処理済みCQIに従って調整される。したがって、装置は、データ伝送を実行するために同じ時間周波数リソースを再使用する端末デバイス用の変調およびコーディング方式の調整に適用可能である。
【０３１９】
上記のことは、図1〜図8を参照しながら、本発明の実施形態による変調およびコーディング方式を決定するための方法を詳細に説明する。下記のことは、図13〜図16を参照しながら、本発明の実施形態による変調およびコーディング方式を決定するためのデバイスを詳細に説明する。
【０３２０】
図13は、本発明の一実施形態による変調およびコーディング方式を決定するためのデバイス1300の概略構造図である。図13に示すように、デバイス1300は、
バス1310と、
バスに接続されたプロセッサ1320と、
バスに接続されたメモリ1330と、
バスに接続されたトランシーバ1340とを含み、ここで、
プロセッサは、メモリに記憶されたプログラムを、バスを使用することによって起動し、それにより、プロセッサは、デバイスとのダウンリンクデータ伝送を実行するために第1の時間期間の中で第1の時間周波数リソースを再使用する端末デバイスの数量Kを決定することであって、ここで、K≧2であることを行うように構成され、
チャネル品質インジケータCQIを取得することであって、ここで、CQIが、チャネルの信号対干渉雑音比SINRおよび端末デバイスの数量Kに従って決定され、ここで、チャネルが、第1の時間周波数リソースに基づくチャネルであり、チャネルが、第1の端末デバイスとデバイスとの間のダウンリンクデータを第1の時間期間の中で伝送するために使用されることを行うように構成され、
第1の端末デバイスの変調およびコーディング方式MCSをCQIに従って決定するように構成される。
【０３２１】
随意に、CQIは、チャネルのSINR、端末デバイスの数量K、および第1の復号反復回数に従って決定され、ここで、第1の復号反復回数は、第1の端末デバイスがダウンリンクデータに対する復号処理を実行するときに実行された復号反復の回数である。
【０３２２】
随意に、CQIは、チャネルのSINR、端末デバイスの数量K、第1の肯定応答メッセージの数量、および第1の否定応答メッセージの数量に従って決定され、ここで、第1の肯定応答メッセージは、ダウンリンクデータのためのハイブリッド自動再送要求HARQプロセスの中で第1の端末デバイスによってデバイスへ送られた肯定応答メッセージであり、第1の否定応答メッセージは、HARQプロセスの中で第1の端末デバイスによってデバイスへ送られた否定応答メッセージである。
【０３２３】
随意に、CQIは、チャネルのSINR、端末デバイスの数量K、第1の復号反復回数、第1の肯定応答メッセージの数量、および第1の否定応答メッセージの数量に従って決定され、ここで、第1の復号反復回数は、第1の端末デバイスがダウンリンクデータに対する復号処理を実行するときに実行された復号反復の回数であり、第1の肯定応答メッセージは、ダウンリンクデータのためのハイブリッド自動再送要求HARQプロセスの中で第1の端末デバイスによってデバイスへ送られた肯定応答メッセージであり、第1の否定応答メッセージは、HARQプロセスの中で第1の端末デバイスによってデバイスへ送られた否定応答メッセージである。
【０３２４】
随意に、プロセッサは、第1のインジケータ情報を第1の端末デバイスへ送るようにトランシーバを制御することであって、ここで、第1のインジケータ情報が、端末デバイスの数量Kを示すために使用されることと、
第1の端末デバイスによって送られた第2のインジケータ情報を受信するようにトランシーバを制御することであって、ここで、第2のインジケータ情報が、CQIを示すために使用され、CQIが、チャネルのSINRおよび端末デバイスの数量Kに従って、第1の端末デバイスによって決定されることとを行うように特に構成される。
【０３２５】
随意に、プロセッサは、第1のインジケータ情報を第1の端末デバイスへ送るようにトランシーバを制御することであって、ここで、第1のインジケータ情報が、端末デバイスの数量Kを示すために使用されることを行うように特に構成され、
第1の端末デバイスによって送られた第2のインジケータ情報を受信するようにトランシーバを制御することであって、ここで、第2のインジケータ情報が、CQIを示すために使用され、CQIが、チャネルのSINR、端末デバイスの数量K、および第1の復号反復回数に従って、第1の端末デバイスによって決定され、ここで、第1の復号反復回数が、第1の端末デバイスがダウンリンクデータに対する復号処理を実行するときに実行された復号反復の回数であることを行うように構成される。
【０３２６】
随意に、プロセッサは、第1のインジケータ情報を第1の端末デバイスへ送るようにトランシーバを制御することであって、ここで、第1のインジケータ情報が、端末デバイスの数量Kを示すために使用されることと、
第1の端末デバイスによって送られた第2のインジケータ情報を受信するようにトランシーバを制御することであって、ここで、第2のインジケータ情報が、CQIを示すために使用され、CQIが、チャネルのSINR、端末デバイスの数量K、第1の肯定応答メッセージの数量、および第1の否定応答メッセージの数量に従って、第1の端末デバイスによって決定され、ここで、第1の肯定応答メッセージが、ダウンリンクデータのためのハイブリッド自動再送要求HARQプロセスの中で第1の端末デバイスによってデバイスへ送られた肯定応答メッセージであり、第1の否定応答メッセージが、HARQプロセスの中で第1の端末デバイスによってデバイスへ送られた否定応答メッセージであることとを行うように特に構成される。
【０３２７】
随意に、プロセッサは、第1のインジケータ情報を第1の端末デバイスへ送るようにトランシーバを制御することであって、ここで、第1のインジケータ情報が、端末デバイスの数量Kを示すために使用されることと、
第1の端末デバイスによって送られた第2のインジケータ情報を受信するようにトランシーバを制御することであって、ここで、第2のインジケータ情報が、CQIを示すために使用され、CQIが、チャネルのSINR、端末デバイスの数量K、第1の復号反復回数、第1の肯定応答メッセージの数量、および第1の否定応答メッセージの数量に従って、第1の端末デバイスによって決定され、ここで、第1の復号反復回数が、第1の端末デバイスがダウンリンクデータに対する復号処理を実行するときに実行された復号反復の回数であり、第1の肯定応答メッセージが、ダウンリンクデータのためのハイブリッド自動再送要求HARQプロセスの中で第1の端末デバイスによってデバイスへ送られた肯定応答メッセージであり、第1の否定応答メッセージが、HARQプロセスの中で第1の端末デバイスによってデバイスへ送られた否定応答メッセージであることとを行うように特に構成される。
【０３２８】
随意に、プロセッサは、第1の端末デバイスによって送られた第3のインジケータ情報を受信するようにトランシーバを制御することであって、ここで、第3のインジケータ情報が、第1の端末デバイスによってフィードバックされるCQIを示すために使用され、第1の端末デバイスによってフィードバックされるCQIが、チャネルのSINRに従って第1の端末デバイスによって決定されることを行うように特に構成され、
CQIを決定するために、第1の端末デバイスによってフィードバックされたCQIを端末デバイスの数量Kに従って処理するように構成される。
【０３２９】
随意に、プロセッサは、第1の端末デバイスによって送られた第4のインジケータ情報を受信するようにトランシーバを制御することであって、ここで、第4のインジケータ情報が、第1の復号反復回数を示すために使用され、ここで、第1の復号反復回数が、第1の端末デバイスがダウンリンクデータに対する復号処理を実行するときに実行された復号反復の回数であることを行うように特に構成され、
第1の端末デバイスによってフィードバックされたCQIを、端末デバイスの数量Kおよび第1の復号反復回数に従って処理するように構成される。
【０３３０】
随意に、プロセッサは、第1の肯定応答メッセージの数量および第1の否定応答メッセージの数量を決定することであって、ここで、第1の肯定応答メッセージが、ダウンリンクデータのためのHARQプロセスの中で第1の端末デバイスによってデバイスへ送られた肯定応答メッセージであり、第1の否定応答メッセージが、HARQプロセスの中で第1の端末デバイスによってデバイスへ送られた否定応答メッセージであることを行うように特に構成され、
第1の端末デバイスによってフィードバックされたCQIを、端末デバイスの数量K、第1の肯定応答メッセージの数量、および第1の否定応答メッセージの数量に従って処理するように構成される。
【０３３１】
随意に、プロセッサは、第1の端末デバイスによって送られた第4のインジケータ情報を受信するようにトランシーバを制御することであって、ここで、第4のインジケータ情報が、第1の復号反復回数を示すために使用され、ここで、第1の復号反復回数が、第1の端末デバイスがダウンリンクデータに対する復号処理を実行するときに実行された復号反復の回数であることを行うように特に構成され、
第1の肯定応答メッセージの数量および第1の否定応答メッセージの数量を決定することであって、ここで、第1の肯定応答メッセージが、ダウンリンクデータのためのHARQプロセスの中で第1の端末デバイスによってデバイスへ送られた肯定応答メッセージであり、第1の否定応答メッセージが、HARQプロセスの中で第1の端末デバイスによってデバイスへ送られた否定応答メッセージであることを行うように構成され、
第1の端末デバイスによってフィードバックされたCQIを、端末デバイスの数量K、第1の復号反復回数、第1の肯定応答メッセージの数量、および第1の否定応答メッセージの数量に従って処理するように構成される。
【０３３２】
随意に、デバイスは、スパースコード多元接続通信システムにおいて構成され、第1の時間周波数リソースは、少なくとも2つのリソース要素REを含む時間周波数リソースブロックである。
【０３３３】
随意に、デバイスはネットワークデバイスである。
【０３３４】
本発明のこの実施形態は、様々な通信デバイスに適用可能である。
【０３３５】
デバイス1300の受信機は、受信機回路、電源コントローラ、デコーダ、およびアンテナを含み得る。加えて、デバイス1300は、送信機をさらに含み得る。送信機は、送信機回路、電源コントローラ、エンコーダ、およびアンテナを含み得る。
【０３３６】
プロセッサは、さらにCPUと呼ばれることがある。メモリは、読取り専用メモリおよびランダムアクセスメモリを含んでよく、命令およびデータをプロセッサに提供し得る。メモリの一部は、不揮発性ランダムアクセスメモリ(NVRAM)をさらに含んでよい。特定の適用例では、デバイス1300は、基地局などのネットワークデバイスに組み込まれてよく、またはデバイス1300自体が基地局などのネットワークデバイスであってよく、デバイス1300と遠隔デバイスとの間のデータの送信および受信を可能にするように送信機回路および受信機回路を収容するキャリアをさらに含み得る。送信機回路および受信機回路は、アンテナに結合され得る。デバイス1300における構成要素は、バスを使用することによって互いに結合される。バスは、データバスに加えて、電力バス、制御バス、およびステータス信号バスをさらに含む。ただし、明瞭な説明のために、様々なバスが、図におけるバスとして示される。特に、様々な製品において、デコーダはプロセッサと統合され得る。
【０３３７】
プロセッサは、本発明の方法実施形態で開示するステップおよび論理ブロック図を実施または実行し得る。汎用プロセッサは、マイクロプロセッサであってよく、またはプロセッサは、任意の従来のプロセッサ、デコーダなどであってよい。本発明の実施形態に関して開示する方法のステップは、ハードウェアプロセッサによって直接実行および完了されてよく、または復号プロセッサの中のハードウェアとソフトウェアモジュールの組合せを使用することによって実行および完了されてもよい。ソフトウェアモジュールは、ランダムアクセスメモリ、フラッシュメモリ、読取り専用メモリ、プログラマブル読取り専用メモリ、電気消去可能プログラマブルメモリ、またはレジスタなどの、当技術分野における成熟した記憶媒体の中にあってよい。
【０３３８】
本発明の実施形態では、プロセッサは中央処理装置(Central Processing Unit、略して「CPU」)であってよく、またはプロセッサは、別の汎用プロセッサ、デジタル信号プロセッサ(DSP)、特定用途向け集積回路(ASIC)、フィールドプログラマブルゲートアレイ(FPGA)もしくは別のプログラマブル論理デバイス、個別ゲートもしくはトランジスタ論理デバイス、個別ハードウェア構成要素などであってよいことを理解されたい。汎用プロセッサは、マイクロプロセッサであってよく、またはプロセッサは、任意の従来のプロセッサなどであってよい。
【０３３９】
メモリは、読取り専用メモリおよびランダムアクセスメモリを含んでよく、命令およびデータをプロセッサに提供し得る。メモリの一部は、不揮発性ランダムアクセスメモリをさらに含んでよい。たとえば、メモリは、デバイスタイプについての情報をさらに記憶し得る。
【０３４０】
バスシステムは、データバスに加えて、電力バス、制御バス、ステータス信号バスなどをさらに含み得る。ただし、明瞭な説明のために、図における様々なバスが、バスシステムとして示される。
【０３４１】
実施プロセスにおいて、上記の方法の各ステップは、プロセッサの中のハードウェアとしての集積論理回路、またはソフトウェアとしての形態の命令を使用することによって完了され得る。本発明の実施形態に関して開示する方法のステップは、ハードウェアプロセッサによって直接実行および完了されてよく、またはプロセッサの中のハードウェアとソフトウェアモジュールの組合せを使用することによって実行および完了されてもよい。ソフトウェアモジュールは、ランダムアクセスメモリ、フラッシュメモリ、読取り専用メモリ、プログラマブル読取り専用メモリ、電気消去可能プログラマブルメモリ、またはレジスタなどの、当技術分野における成熟した記憶媒体の中にあってよい。記憶媒体は、メモリの中にあり、プロセッサは、メモリの中の情報を読み取り、プロセッサのハードウェアと組み合わせて上記の方法におけるステップを完了する。繰返しを避けるために、詳細は本明細書で再び説明しない。
【０３４２】
本発明のこの実施形態による変調およびコーディング方式を決定するためのデバイス1300は、本発明の方法実施形態におけるネットワークデバイス(たとえば、基地局)に相当し得る。加えて、変調およびコーディング方式を決定するためのデバイス1300における各ユニット、すなわち、各モジュール、ならびに上記の他の動作および/または機能は、それぞれ、図2における方法200の対応する手順を実施することを意図する。簡潔のために、詳細は本明細書で再び説明しない。
【０３４３】
本発明のこの実施形態における変調およびコーディング方式を決定するためのデバイスによれば、K個の端末デバイスは、ネットワークデバイスとのデータ伝送を実行するために同じ時間期間の中で同じ時間周波数リソースを再使用し、データは、時間周波数リソースに基づくチャネルを通じて第1の端末デバイスとネットワークデバイスとの間で伝送され、処理されたCQIが第1の端末デバイスのデータ伝送プロセスにおける干渉雑音を反映し得るように、チャネルの信号対干渉雑音比に基づいて決定されたCQIが端末デバイスの数量Kおよび復号反復回数に従って処理され、調整された変調およびコーディング方式が第1の端末デバイスの干渉雑音に適応し得るように、第1の端末デバイスの変調およびコーディング方式が処理済みCQIに従って調整される。したがって、デバイスは、データ伝送を実行するために同じ時間周波数リソースを再使用する端末デバイス用の変調およびコーディング方式の調整に適用可能である。
【０３４４】
図14は、本発明の一実施形態による変調およびコーディング方式を決定するためのデバイス1400の概略構造図である。図14に示すように、デバイス1400は、
バス1410と、
バスに接続されたプロセッサ1420と、
バスに接続されたメモリ1430と、
バスに接続されたトランシーバ1440とを含み、ここで、
プロセッサは、メモリに記憶されたプログラムを、バスを使用することによって起動し、それにより、プロセッサは、デバイスとのダウンリンクデータ伝送を実行するために第1の時間期間の中で第1の時間周波数リソースを再使用する端末デバイスの数量Kを決定することであって、ここで、K≧2であることを行うように構成され、
第1の端末デバイスによって送られた第1のインジケータ情報を受信するようにトランシーバを制御することであって、ここで、第1のインジケータ情報が、チャネル品質インジケータCQIを示すために使用され、CQIが、チャネルのSINRに従って第1の端末デバイスによって決定され、チャネルが、第1の時間周波数リソースに基づくチャネルであり、チャネルが、第1の端末デバイスとデバイスとの間のダウンリンクデータを第1の時間期間の中で伝送するために使用されることを行うように構成され、
端末デバイスの数量Kの値およびCQIの値に対応する変調およびコーディング方式MCSを事前設定マッピング関係情報に従って決定し、第1の端末デバイスのMCSとしてそのMCSを使用することであって、ここで、マッピング関係情報が、N個のパラメータセットとN個のMCSとの間の1対1マッピング関係を示すために使用され、各パラメータセットが、端末デバイス数量値およびCQI値を含み、N≧2であることを行うように構成される。
【０３４５】
随意に、各パラメータセットは、復号反復回数値をさらに含み、
プロセッサは、第1の端末デバイスによって送られた第2のインジケータ情報を受信するようにトランシーバを制御することであって、ここで、第2のインジケータ情報が、第1の復号反復回数を示すために使用され、ここで、第1の復号反復回数が、第1の端末デバイスがダウンリンクデータに対する復号処理を実行するときに実行された復号反復の回数であることを行うようにさらに構成され、
端末デバイスの数量Kの値、CQIの値、および第1の復号反復回数値に対応するMCSを、事前設定マッピング関係情報に従って決定するように構成される。
【０３４６】
随意に、各パラメータセットは、肯定応答メッセージの数量の値および否定応答メッセージの数量の値をさらに含み、
プロセッサは、第1の肯定応答メッセージの数量および第1の否定応答メッセージの数量を決定することであって、ここで、第1の肯定応答メッセージが、ダウンリンクデータのためのハイブリッド自動再送要求HARQプロセスの中で第1の端末デバイスによってデバイスへ送られた肯定応答メッセージであり、第1の否定応答メッセージが、HARQプロセスの中で第1の端末デバイスによってデバイスへ送られた否定応答メッセージであり、調整ポリシー情報が、第1の肯定応答メッセージの数量および第1の否定応答メッセージの数量をさらに含むことを行うようにさらに構成され、
端末デバイスの数量Kの値、CQIの値、第1の肯定応答メッセージの数量、および第1の否定応答メッセージの数量に対応するMCSを、事前設定マッピング関係情報に従って決定するように構成される。
【０３４７】
随意に、各パラメータセットは、復号反復回数値、肯定応答メッセージの数量の値、および否定応答メッセージの数量の値をさらに含み、
プロセッサは、第1の端末デバイスによって送られた第2のインジケータ情報を受信するようにトランシーバを制御することであって、ここで、第2のインジケータ情報が、第1の復号反復回数を示すために使用され、ここで、第1の復号反復回数が、第1の端末デバイスがダウンリンクデータに対する復号処理を実行するときに実行された復号反復の回数であることを行うようにさらに構成され、
第1の肯定応答メッセージの数量および第1の否定応答メッセージの数量を決定することであって、ここで、第1の肯定応答メッセージが、ダウンリンクデータのためのHARQプロセスの中で第1の端末デバイスによってデバイスへ送られた肯定応答メッセージであり、第1の否定応答メッセージが、HARQプロセスの中で第1の端末デバイスによってデバイスへ送られた否定応答メッセージであり、調整ポリシー情報が、第1の肯定応答メッセージの数量および第1の否定応答メッセージの数量をさらに含むことを行うように構成され、
端末デバイスの数量Kの値、CQIの値、第1の復号反復回数値、第1の肯定応答メッセージの数量、および第1の否定応答メッセージの数量に対応するMCSを、事前設定マッピング関係情報に従って決定するように構成される。
【０３４８】
随意に、デバイスは、スパースコード多元接続通信システムにおいて構成され、第1の時間周波数リソースは、少なくとも2つのリソース要素REを含む時間周波数リソースブロックである。
【０３４９】
随意に、デバイスはネットワークデバイスである。
【０３５０】
随意に、マッピング関係情報は、特にN個のパラメータセットとN個のMCSとの間の1対1マッピング関係を記録するマッピング関係エントリである。
【０３５１】
本発明のこの実施形態は、様々な通信デバイスに適用可能である。
【０３５２】
デバイス1400の受信機は、受信機回路、電源コントローラ、デコーダ、およびアンテナを含み得る。加えて、デバイス1400は、送信機をさらに含み得る。送信機は、送信機回路、電源コントローラ、エンコーダ、およびアンテナを含み得る。
【０３５３】
プロセッサは、さらにCPUと呼ばれることがある。メモリは、読取り専用メモリおよびランダムアクセスメモリを含んでよく、命令およびデータをプロセッサに提供し得る。メモリの一部は、不揮発性ランダムアクセスメモリ(NVRAM)をさらに含んでよい。特定の適用例では、デバイス1400は、基地局などのネットワークデバイスに組み込まれてよく、またはデバイス1400自体が基地局などのネットワークデバイスであってよく、デバイス1400と遠隔地との間のデータの送信および受信を可能にするように送信機回路および受信機回路を収容するキャリアをさらに含み得る。送信機回路および受信機回路は、アンテナに結合され得る。デバイス1400における構成要素は、バスを使用することによって互いに結合され、ここで、バスは、データバスに加えて、電力バス、制御バス、およびステータス信号バスをさらに含む。ただし、明瞭な説明のために、様々なバスが、図におけるバスとして示される。特に、様々な製品において、デコーダは処理ユニットと統合され得る。
【０３５４】
プロセッサは、本発明の方法実施形態で開示するステップおよび論理ブロック図を実施または実行し得る。汎用プロセッサは、マイクロプロセッサであってよく、またはプロセッサは、任意の従来のプロセッサ、デコーダなどであってよい。本発明の実施形態に関して開示する方法のステップは、ハードウェアプロセッサによって直接実行および完了されてよく、または復号プロセッサの中のハードウェアとソフトウェアモジュールの組合せを使用することによって実行および完了されてもよい。ソフトウェアモジュールは、ランダムアクセスメモリ、フラッシュメモリ、読取り専用メモリ、プログラマブル読取り専用メモリ、電気消去可能プログラマブルメモリ、またはレジスタなどの、当技術分野における成熟した記憶媒体の中にあってよい。
【０３５５】
本発明の実施形態では、プロセッサは中央処理装置(Central Processing Unit、略して「CPU」)であってよく、またはプロセッサは、別の汎用プロセッサ、デジタル信号プロセッサ(DSP)、特定用途向け集積回路(ASIC)、フィールドプログラマブルゲートアレイ(FPGA)もしくは別のプログラマブル論理デバイス、個別ゲートもしくはトランジスタ論理デバイス、個別ハードウェア構成要素などであってよいことを理解されたい。汎用プロセッサは、マイクロプロセッサであってよく、またはプロセッサは、任意の従来のプロセッサなどであってよい。
【０３５６】
メモリは、読取り専用メモリおよびランダムアクセスメモリを含んでよく、命令およびデータをプロセッサに提供し得る。メモリの一部は、不揮発性ランダムアクセスメモリをさらに含んでよい。たとえば、メモリは、デバイスタイプについての情報をさらに記憶し得る。
【０３５７】
バスシステムは、データバスに加えて、電力バス、制御バス、ステータス信号バスなどをさらに含み得る。ただし、明瞭な説明のために、図における様々なバスが、バスシステムとして示される。
【０３５８】
実施プロセスにおいて、上記の方法の各ステップは、プロセッサの中のハードウェアとしての集積論理回路、またはソフトウェアとしての形態の命令を使用することによって完了され得る。本発明の実施形態に関して開示する方法のステップは、ハードウェアプロセッサによって直接実行および完了されてよく、またはプロセッサの中のハードウェアとソフトウェアモジュールの組合せを使用することによって実行および完了されてもよい。ソフトウェアモジュールは、ランダムアクセスメモリ、フラッシュメモリ、読取り専用メモリ、プログラマブル読取り専用メモリ、電気消去可能プログラマブルメモリ、またはレジスタなどの、当技術分野における成熟した記憶媒体の中にあってよい。記憶媒体は、メモリの中にあり、プロセッサは、メモリの中の情報を読み取り、プロセッサのハードウェアと組み合わせて上記の方法におけるステップを完了する。繰返しを避けるために、詳細は本明細書で再び説明しない。
【０３５９】
本発明のこの実施形態による変調およびコーディング方式を決定するためのデバイス1400は、本発明の方法実施形態におけるネットワークデバイス(たとえば、基地局)に相当し得る。加えて、変調およびコーディング方式を決定するためのデバイス1400における各ユニット、すなわち、各モジュール、ならびに上記の他の動作および/または機能は、それぞれ、図5における方法500の対応する手順を実施することを意図する。簡潔のために、詳細は本明細書で再び説明しない。
【０３６０】
本発明のこの実施形態における変調およびコーディング方式を決定するためのデバイスによれば、K個の端末デバイスは、ネットワークデバイスとのデータ伝送を実行するために同じ時間期間の中で同じ時間周波数リソースを再使用し、データは、時間周波数リソースに基づくチャネルを通じて第1の端末デバイスとネットワークデバイスとの間で伝送され、MCSが第1の端末デバイスのデータ伝送プロセスにおける干渉雑音を反映し得るとともに、調整された変調およびコーディング方式が第1の端末デバイスの干渉雑音に適応し得るように、MCSは、端末デバイスの数量K、およびチャネルの信号対干渉雑音比に基づいて決定されたCQIに従って決定される。したがって、デバイスは、データ伝送を実行するために同じ時間周波数リソースを再使用する端末デバイス用の変調およびコーディング方式の調整に適用可能である。
【０３６１】
図15は、本発明の一実施形態による変調およびコーディング方式を決定するためのデバイス1500の概略構造図である。デバイス1500は、K個の端末デバイスにおける第1の端末デバイスである。図15に示すように、デバイス1500は、
バス1510と、
バスに接続されたプロセッサ1520と、
バスに接続されたメモリ1530と、
バスに接続されたトランシーバ1540とを含み、ここで、
プロセッサは、メモリに記憶されたプログラムを、バスを使用することによって起動し、それにより、プロセッサは、チャネルの信号対干渉雑音比SINRを決定することであって、ここで、チャネルが、第1の時間周波数リソースに基づくチャネルであり、チャネルが、デバイスとネットワークデバイスとの間のダウンリンクデータを第1の時間期間の中で伝送するために使用され、K個の端末デバイスが、ネットワークデバイスからダウンリンクデータを受信するために第1の時間期間の中で第1の時間周波数リソースを再使用し、K≧2であることを行うように構成され、
ネットワークデバイスによって送られた第1のインジケータ情報を受信するようにトランシーバを制御することであって、ここで、第1のインジケータ情報が、端末デバイスの数量Kを示すために使用されることを行うように構成され、
チャネルの信号対干渉雑音比SINRおよび端末デバイスの数量Kに従って、チャネル品質インジケータCQIを決定するように構成され、
ネットワークデバイスが、デバイスの変調およびコーディング方式MCSをCQIに従って決定するように、第2のインジケータ情報をネットワークデバイスへ送るようにトランシーバを制御することであって、ここで、第2のインジケータ情報が、CQIを示すために使用されることを行うように構成される。
【０３６２】
随意に、プロセッサは、チャネルのSINR、端末デバイスの数量K、および第1の復号反復回数に従ってCQIを決定するように特に構成され、ここで、第1の復号反復回数は、デバイスがダウンリンクデータに対する復号処理を実行するときに実行された復号反復の回数である。
【０３６３】
随意に、プロセッサは、チャネルのSINR、端末デバイスの数量K、第1の肯定応答メッセージの数量、および第1の否定応答メッセージの数量に従ってCQIを決定するように特に構成され、ここで、第1の肯定応答メッセージは、ダウンリンクデータのためのハイブリッド自動再送要求HARQプロセスの中でデバイスによってネットワークデバイスへ送られた肯定応答メッセージであり、第1の否定応答メッセージは、HARQプロセスの中でデバイスによってネットワークデバイスへ送られた否定応答メッセージである。
【０３６４】
随意に、プロセッサは、チャネルのSINR、端末デバイスの数量K、第1の復号反復回数、第1の肯定応答メッセージの数量、および第1の否定応答メッセージの数量に従ってCQIを決定するように特に構成され、ここで、第1の復号反復回数は、デバイスがダウンリンクデータに対する復号処理を実行するときに実行された復号反復の回数であり、第1の肯定応答メッセージは、ダウンリンクデータのためのハイブリッド自動再送要求HARQプロセスの中でデバイスによってネットワークデバイスへ送られた肯定応答メッセージであり、第1の否定応答メッセージは、HARQプロセスの中でデバイスによってネットワークデバイスへ送られた否定応答メッセージである。
【０３６５】
随意に、デバイスは、スパースコード多元接続通信システムに属し、第1の時間周波数リソースは、少なくとも2つのリソース要素REを含む時間周波数リソースブロックである。
【０３６６】
本発明のこの実施形態は、様々な通信デバイスに適用可能である。
【０３６７】
デバイス1500の受信機は、受信機回路、電源コントローラ、デコーダ、およびアンテナを含み得る。加えて、デバイス1500は、送信機をさらに含み得る。送信機は、送信機回路、電源コントローラ、エンコーダ、およびアンテナを含み得る。
【０３６８】
プロセッサは、さらにCPUと呼ばれることがある。メモリは、読取り専用メモリおよびランダムアクセスメモリを含んでよく、命令およびデータをプロセッサに提供し得る。メモリの一部は、不揮発性ランダムアクセスメモリ(NVRAM)をさらに含んでよい。特定の適用例では、デバイス1500は、モバイルフォンなどのワイヤレス通信デバイスに組み込まれてよく、またはデバイス1500自体がモバイルフォンなどのワイヤレス通信デバイスであってよく、デバイス1500と遠隔地との間のデータの送信および受信を可能にするように送信機回路および受信機回路を収容するキャリアをさらに含み得る。送信機回路および受信機回路は、アンテナに結合され得る。デバイス1500における構成要素は、バスを使用することによって互いに結合され、ここで、バスは、データバスに加えて、電力バス、制御バス、およびステータス信号バスをさらに含む。ただし、明瞭な説明のために、様々なバスが、図におけるバスとして示される。特に、様々な製品において、デコーダは処理ユニットと統合され得る。
【０３６９】
プロセッサは、本発明の方法実施形態で開示するステップおよび論理ブロック図を実施または実行し得る。汎用プロセッサは、マイクロプロセッサであってよく、またはプロセッサは、任意の従来のプロセッサ、デコーダなどであってよい。本発明の実施形態に関して開示する方法のステップは、ハードウェアプロセッサによって直接実行および完了されてよく、または復号プロセッサの中のハードウェアとソフトウェアモジュールの組合せを使用することによって実行および完了されてもよい。ソフトウェアモジュールは、ランダムアクセスメモリ、フラッシュメモリ、読取り専用メモリ、プログラマブル読取り専用メモリ、電気消去可能プログラマブルメモリ、またはレジスタなどの、当技術分野における成熟した記憶媒体の中にあってよい。
【０３７０】
本発明の実施形態では、プロセッサは中央処理装置(Central Processing Unit、略して「CPU」)であってよく、またはプロセッサは、別の汎用プロセッサ、デジタル信号プロセッサ(DSP)、特定用途向け集積回路(ASIC)、フィールドプログラマブルゲートアレイ(FPGA)もしくは別のプログラマブル論理デバイス、個別ゲートもしくはトランジスタ論理デバイス、個別ハードウェア構成要素などであってよいことを理解されたい。汎用プロセッサは、マイクロプロセッサであってよく、またはプロセッサは、任意の従来のプロセッサなどであってよい。
【０３７１】
メモリは、読取り専用メモリおよびランダムアクセスメモリを含んでよく、命令およびデータをプロセッサに提供し得る。メモリの一部は、不揮発性ランダムアクセスメモリをさらに含んでよい。たとえば、メモリは、デバイスタイプについての情報をさらに記憶し得る。
【０３７２】
バスシステムは、データバスに加えて、電力バス、制御バス、ステータス信号バスなどをさらに含み得る。ただし、明瞭な説明のために、図における様々なバスが、バスシステムとして示される。
【０３７３】
実施プロセスにおいて、上記の方法の各ステップは、プロセッサの中のハードウェアとしての集積論理回路、またはソフトウェアとしての形態の命令を使用することによって完了され得る。本発明の実施形態に関して開示する方法のステップは、ハードウェアプロセッサによって直接実行および完了されてよく、またはプロセッサの中のハードウェアとソフトウェアモジュールの組合せを使用することによって実行および完了されてもよい。ソフトウェアモジュールは、ランダムアクセスメモリ、フラッシュメモリ、読取り専用メモリ、プログラマブル読取り専用メモリ、電気消去可能プログラマブルメモリ、またはレジスタなどの、当技術分野における成熟した記憶媒体の中にあってよい。記憶媒体は、メモリの中にあり、プロセッサは、メモリの中の情報を読み取り、プロセッサのハードウェアと組み合わせて上記の方法におけるステップを完了する。繰返しを避けるために、詳細は本明細書で再び説明しない。
【０３７４】
本発明のこの実施形態による変調およびコーディング方式を決定するためのデバイス1500は、本発明の方法実施形態における第1の端末デバイス(たとえば、端末デバイス#1)に相当し得る。加えて、変調およびコーディング方式を決定するためのデバイス1500における各ユニット、すなわち、各モジュール、ならびに上記の他の動作および/または機能は、それぞれ、図7における方法700の対応する手順を実施することを意図する。簡潔のために、詳細は本明細書で再び説明しない。
【０３７５】
本発明のこの実施形態における変調およびコーディング方式を決定するためのデバイスによれば、K個の端末デバイスは、ネットワークデバイスとのデータ伝送を実行するために同じ時間期間の中で同じ時間周波数リソースを再使用し、データは、時間周波数リソースに基づくチャネルを通じて第1の端末デバイスとネットワークデバイスとの間で伝送され、処理されたCQIが第1の端末デバイスのデータ伝送プロセスにおける干渉雑音を反映し得るように、チャネルの信号対干渉雑音比に基づいて決定されたCQIが端末デバイスの数量Kおよび復号反復回数に従って処理され、調整された変調およびコーディング方式が第1の端末デバイスの干渉雑音に適応し得るように、第1の端末デバイスの変調およびコーディング方式が処理済みCQIに従って調整される。したがって、デバイスは、データ伝送を実行するために同じ時間周波数リソースを再使用する端末デバイス用の変調およびコーディング方式の調整に適用可能である。
【０３７６】
図16は、本発明の一実施形態による変調およびコーディング方式を決定するためのデバイス1600の概略構造図である。デバイス1600は、K個の端末デバイスにおける第1の端末デバイスである。図16に示すように、デバイス1600は、
バス1610と、
バスに接続されたプロセッサ1620と、
バスに接続されたメモリ1630と、
バスに接続されたトランシーバ1640とを含み、ここで、
プロセッサは、メモリに記憶されたプログラムを、バスを使用することによって起動し、それにより、プロセッサは、チャネルの信号対干渉雑音比SINRを決定することであって、ここで、チャネルが、第1の時間周波数リソースに基づくチャネルであり、チャネルが、デバイスとネットワークデバイスとの間のダウンリンクデータを第1の時間期間の中で伝送するために使用され、K個の端末デバイスが、ネットワークデバイスからダウンリンクデータを受信するために第1の時間期間の中で第1の時間周波数リソースを再使用し、K≧2であることを行うように構成され、
チャネルのSINRに従ってチャネル品質インジケータCQIを決定するように構成され、
ネットワークデバイスが、デバイスの変調およびコーディング方式MCSを端末デバイスの数量Kおよび第1の復号反復回数に従って決定するように、第1のインジケータ情報および第2のインジケータ情報をネットワークデバイスへ送るようにトランシーバを制御することであって、ここで、第1のインジケータ情報が、CQIを示すために使用され、第2のインジケータ情報が、第1の復号反復回数を示すために使用され、ここで、第1の復号反復回数が、デバイスがダウンリンクデータに対する復号処理を実行するときに実行された復号反復の回数であることを行うように構成される。
【０３７７】
随意に、デバイスは、スパースコード多元接続通信システムに属し、第1の時間周波数リソースは、少なくとも2つのリソース要素REを含む時間周波数リソースブロックである。
【０３７８】
本発明のこの実施形態は、様々な通信デバイスに適用可能である。
【０３７９】
デバイス1600の受信機は、受信機回路、電源コントローラ、デコーダ、およびアンテナを含み得る。加えて、デバイス1600は、送信機をさらに含み得る。送信機は、送信機回路、電源コントローラ、エンコーダ、およびアンテナを含み得る。
【０３８０】
プロセッサは、さらにCPUと呼ばれることがある。メモリは、読取り専用メモリおよびランダムアクセスメモリを含んでよく、命令およびデータをプロセッサに提供し得る。メモリの一部は、不揮発性ランダムアクセスメモリ(NVRAM)をさらに含んでよい。特定の適用例では、デバイス1600は、モバイルフォンなどのワイヤレス通信デバイスに組み込まれてよく、またはデバイス1600自体がモバイルフォンなどのワイヤレス通信デバイスであってよく、デバイス1600と遠隔地との間のデータの送信および受信を可能にするように送信機回路および受信機回路を収容するキャリアをさらに含み得る。送信機回路および受信機回路は、アンテナに結合され得る。デバイス1600における構成要素は、バスを使用することによって互いに結合され、ここで、バスは、データバスに加えて、電力バス、制御バス、およびステータス信号バスをさらに含む。ただし、明瞭な説明のために、様々なバスが、図におけるバスとして示される。特に、様々な製品において、デコーダは処理ユニットと統合され得る。
【０３８１】
プロセッサは、本発明の方法実施形態で開示するステップおよび論理ブロック図を実施または実行し得る。汎用プロセッサは、マイクロプロセッサであってよく、またはプロセッサは、任意の従来のプロセッサ、デコーダなどであってよい。本発明の実施形態に関して開示する方法のステップは、ハードウェアプロセッサによって直接実行および完了されてよく、または復号プロセッサの中のハードウェアとソフトウェアモジュールの組合せを使用することによって実行および完了されてもよい。ソフトウェアモジュールは、ランダムアクセスメモリ、フラッシュメモリ、読取り専用メモリ、プログラマブル読取り専用メモリ、電気消去可能プログラマブルメモリ、またはレジスタなどの、当技術分野における成熟した記憶媒体の中にあってよい。
【０３８２】
本発明の実施形態では、プロセッサは中央処理装置(Central Processing Unit、略して「CPU」)であってよく、またはプロセッサは、別の汎用プロセッサ、デジタル信号プロセッサ(DSP)、特定用途向け集積回路(ASIC)、フィールドプログラマブルゲートアレイ(FPGA)もしくは別のプログラマブル論理デバイス、個別ゲートもしくはトランジスタ論理デバイス、個別ハードウェア構成要素などであってよいことを理解されたい。汎用プロセッサは、マイクロプロセッサであってよく、またはプロセッサは、任意の従来のプロセッサなどであってよい。
【０３８３】
メモリは、読取り専用メモリおよびランダムアクセスメモリを含んでよく、命令およびデータをプロセッサに提供し得る。メモリの一部は、不揮発性ランダムアクセスメモリをさらに含んでよい。たとえば、メモリは、デバイスタイプについての情報をさらに記憶し得る。
【０３８４】
バスシステムは、データバスに加えて、電力バス、制御バス、ステータス信号バスなどをさらに含み得る。ただし、明瞭な説明のために、図における様々なバスが、バスシステムとして示される。
【０３８５】
実施プロセスにおいて、上記の方法の各ステップは、プロセッサの中のハードウェアとしての集積論理回路、またはソフトウェアとしての形態の命令を使用することによって完了され得る。本発明の実施形態に関して開示する方法のステップは、ハードウェアプロセッサによって直接実行および完了されてよく、またはプロセッサの中のハードウェアとソフトウェアモジュールの組合せを使用することによって実行および完了されてもよい。ソフトウェアモジュールは、ランダムアクセスメモリ、フラッシュメモリ、読取り専用メモリ、プログラマブル読取り専用メモリ、電気消去可能プログラマブルメモリ、またはレジスタなどの、当技術分野における成熟した記憶媒体の中にあってよい。記憶媒体は、メモリの中にあり、プロセッサは、メモリの中の情報を読み取り、プロセッサのハードウェアと組み合わせて上記の方法におけるステップを完了する。繰返しを避けるために、詳細は本明細書で再び説明しない。
【０３８６】
本発明のこの実施形態による変調およびコーディング方式を決定するためのデバイス1600は、本発明の方法実施形態における第1の端末デバイス(たとえば、端末デバイス#1)に相当し得る。加えて、変調およびコーディング方式を決定するためのデバイス1600における各ユニット、すなわち、各モジュール、ならびに上記の他の動作および/または機能は、それぞれ、図8における方法800の対応する手順を実施することを意図する。簡潔のために、詳細は本明細書で再び説明しない。
【０３８７】
本発明のこの実施形態における変調およびコーディング方式を決定するためのデバイスによれば、K個の端末デバイスは、ネットワークデバイスとのデータ伝送を実行するために同じ時間期間の中で同じ時間周波数リソースを再使用し、データは、時間周波数リソースに基づくチャネルを通じて第1の端末デバイスとネットワークデバイスとの間で伝送され、処理されたCQIが第1の端末デバイスのデータ伝送プロセスにおける干渉雑音を反映し得るように、チャネルの信号対干渉雑音比に基づいて決定されたCQIが端末デバイスの数量Kおよび復号反復回数に従って処理され、調整された変調およびコーディング方式が第1の端末デバイスの干渉雑音に適応し得るように、第1の端末デバイスの変調およびコーディング方式が処理済みCQIに従って調整される。したがって、デバイスは、データ伝送を実行するために同じ時間周波数リソースを再使用する端末デバイス用の変調およびコーディング方式の調整に適用可能である。
【０３８８】
本発明の様々な実施形態において、上記のプロセスのシーケンス番号が実行シーケンスを意味しないことを理解されたい。プロセスの実行シーケンスは、プロセスの機能および内部論理に従って決定されるべきであり、本発明の実施形態の実施プロセスに対するいかなる限定としても解釈されるべきでない。
【０３８９】
本明細書で開示する実施形態において説明した例と組み合わせて、ユニットおよびアルゴリズムステップが、電子ハードウェア、またはコンピュータソフトウェアと電子ハードウェアの組合せによって実施されてよいことを、当業者は認識し得る。機能がハードウェアによって実行されるのか、またはソフトウェアによって実行されるのかは、特定の適用例、および技術的解決策の設計制約条件によって決まる。当業者は特定の適用例ごとに説明した機能を実施するために異なる方法を使用し得るが、実装形態が本発明の範囲を越えるものと見なされるべきでない。
【０３９０】
便利かつ簡潔な説明のために、上記のシステム、装置、およびユニットの詳細な作動プロセスにとって、上記の方法実施形態における対応するプロセスへの参照が行われ得ることが当業者によって明瞭に理解され得、詳細は本明細書で再び説明しない。
【０３９１】
本出願で提供されるいくつかの実施形態では、開示するシステム、装置、および方法が他の様式で実施され得ることを理解されたい。たとえば、説明した装置実施形態は例にすぎない。たとえば、ユニット分割は、論理的な機能分割にすぎず、実際の実装では他の分割であってもよい。たとえば、複数のユニットもしくは構成要素が組み合わせられてよく、または別のシステムの中に統合されてよく、あるいは一部の機能が無視されてよく、または実行されなくてもよい。加えて、表示または説明した相互結合または直接的な結合もしくは通信接続は、いくつかのインターフェースを使用することによって実施されてよい。装置またはユニットの間の間接的な結合または通信接続は、電子的な、機械的な、または他の形態で実施されてよい。
【０３９２】
別個の部分として説明したユニットは、物理的に別個であってよく、または物理的に別個でなくてもよく、ユニットとして表示した部分は、物理的ユニットであってよく、または物理的ユニットでなくてもよく、1つの位置に配置されてよく、または複数のネットワークユニットに分散されてもよい。ユニットの一部または全部は、実施形態の解決策の目的を達成するための実際の必要に従って選択されてよい。
【０３９３】
加えて、本発明の実施形態における機能ユニットは1つの処理ユニットの中に統合されてよく、またはユニットの各々が物理的に単独で存在してもよく、または2つ以上のユニットが1つのユニットの中に統合される。
【０３９４】
機能がソフトウェア機能ユニットの形態で実装され、独立した製品として販売または使用されるとき、機能はコンピュータ可読記憶媒体に記憶され得る。そのような理解に基づいて、本発明の技術的解決策は本質的に、または従来技術に寄与する部分は、または技術的解決策のうちのいくつかは、ソフトウェア製品の形態で実装され得る。ソフトウェア製品は、記憶媒体に記憶され、本発明の実施形態で説明した方法のステップのうちの全部または一部を実行するように(パーソナルコンピュータ、サーバ、またはネットワークデバイスであり得る)コンピュータデバイスに指示するためのいくつかの命令を含む。上記の記憶媒体は、USBフラッシュドライブ、リムーバブルハードディスク、読取り専用メモリ(ROM、Read-Only Memory)、ランダムアクセスメモリ(RAM、Random Access Memory)、磁気ディスク、または光ディスクなどの、プログラムコードを記憶することができる任意の媒体を含む。
【０３９５】
上記の説明は、本発明の特定の実装様式にすぎず、本発明の保護範囲を限定することを意図しない。本発明で開示する技術的範囲内で当業者によって容易に考え出されるいかなる変形または置き換えも、本発明の保護範囲に入るものとする。したがって、本発明の保護範囲は、特許請求の範囲の保護範囲の対象となるものとする。
【符号の説明】
【０３９６】
100  通信システム
102  ネットワークデバイス
104〜114  アンテナ
116  端末デバイス
118  順方向リンク
120  逆方向リンク
122  端末デバイス
124  順方向リンク
126  逆方向リンク
910  数量決定ユニット
920  CQI決定ユニット
930  MCS決定ユニット
1010  数量決定ユニット
1020  受信ユニット
1030  MCS決定ユニット
1110  決定ユニット
1120  受信ユニット
1130  送信ユニット
1210  決定ユニット
1220  送信ユニット
1310  バス
1320  プロセッサ
1330  メモリ
1340  トランシーバ
【図１】
0006522757.tif 000006
【図２】
0006522757.tif 000007
【図３】
0006522757.tif 000008
【図４】
0006522757.tif 000009
【図５】
0006522757.tif 000010
【図６】
0006522757.tif 000011
【図７】
0006522757.tif 000012
【図８】
0006522757.tif 000013
【図９】
0006522757.tif 000014
【図１０】
0006522757.tif 000015
【図１１】
0006522757.tif 000016
【図１２】
0006522757.tif 000017
【図１３】
0006522757.tif 000018
【図１４】
0006522757.tif 000019
【図１５】
0006522757.tif 000020
【図１６】
0006522757.tif 000021